(57)【要約】【課題】時分割多重された光信号が双方向に伝送しうるリング伝送システムの回線救済制御において、最短距離でループバックできるようにするとともに、品質の高い光信号を受信できるようにする【解決手段】光伝送装置Ｂにおいて、双方向リング伝送路に接続され、伝送リングとこの伝送リングに接続された他の伝送リングとの間の接続形態を認識する接続形態認識手段１１０ａと、接続形態認識手段１１０ａに接続され、障害が発生した区間を検出する障害区間検出手段１１０ｂと、接続形態認識手段１１０ａと障害区間検出手段１１０ｂとに接続され、接続形態と区間とに基づいて伝送経路を切り替えするループバック切り替え制御手段１１０ｃとをそなえて構成する。【選択図】図１８
2006129530.tif 000002
【特許請求の範囲】
【請求項１】
双方向リング伝送路を介して複数の光伝送装置が相互に接続された伝送リングにおける、リング伝送システム用光伝送装置であって、
該双方向リング伝送路に接続され、該伝送リングと該伝送リングに接続された他の伝送リングとの間の接続形態を認識する接続形態認識手段と、
該接続形態認識手段に接続され、障害が発生した区間を検出する障害区間検出手段と、
該接続形態認識手段と該障害区間検出手段とに接続され、該接続形態と該区間とに基づいて伝送経路を切り替えするループバック切り替え制御手段とをそなえて構成されたことを特徴とする、リング伝送システム用光伝送装置。
【請求項２】
該接続形態認識手段が、
該双方向リング伝送路に接続され該光信号をアド／ドロップする終端光伝送装置に関する情報と、該終端光伝送装置の該接続形態に関する接続形態情報と、現用回線／予備回線種別を示す回線種別情報とを一元的に認識しうるように構成されたことを特徴とする、請求項１記載のリング伝送システム用光伝送装置。
【請求項３】
該接続形態認識手段が、
該伝送リングに接続された該終端光伝送装置のうち少なくとも２基が、それぞれ、現用回線／予備回線の両方を用いて該光信号を伝送続行するディーティーピー接続であることを認識するように構成されたことを特徴とする、請求項２記載のリング伝送システム用光伝送装置。
【請求項４】
該ループバック切り替え制御手段に接続され、該双方向リング伝送路において、一方向からの第１光信号と、他の方向からの第２光信号とのうちの品質のよい方を選択するパス切り替え手段をそなえて構成されたことを特徴とする、請求項１記載のリング伝送システム用光伝送装置。
【請求項５】
双方向リング伝送路を介して複数の光伝送装置が相互に接続された伝送リングにおける、リング伝送システム用光伝送方法であって、
該伝送リングと該伝送リングに接続された他の伝送リングとの間の接続形態を認識する接続形態認識ステップと、
該接続形態認識ステップにて認識された該接続形態に基づき障害が発生した区間を検出する障害区間検出ステップと、
該接続形態認識ステップにて認識された該接続形態と該障害区間検出ステップにて検出された該区間とに基づき、光信号の該伝送リングにおけるループバック距離を最小にすべく、伝送経路を切り替えするループバック切り替え制御ステップとをそなえて構成されたことを特徴とする、リング伝送システム用光伝送方法。
【発明の詳細な説明】
【技術分野】
【０００１】
本発明は、データリンクチャネルを有する双方向リング伝送路を介して複数の光伝送装置が相互に接続されたリング伝送システムに用いて好適な、リング伝送システム用光伝送装置及びリング伝送システム用光伝送方法に関する。
【背景技術】
【０００２】
光ファイバを用いた光伝送においては、伝送回線の信頼性を向上させ、また、サービスの向上や管理を容易にするために、ＳＤＨ（Synchronous Digital Hierarchy:同期ディジタルハイアラーキ）を用いた信号の多重化が行なわれている。具体的には、光伝送は、ＳＯＮＥＴ(Synchronous Optical Network:同期光通信網)と呼ばれるアーキテクチャーが使用されている。このＳＯＮＥＴとは、ＳＤＨを採用する高速の専用線サービスであって、複数の光伝送装置が、光ファイバで接続されて、リング状の伝送路（以下、リング伝送路と称したり、単にリングと称する）が構成され、このリング状の伝送システムを光信号が伝送するようになっている。そして、このリング伝送路において、光信号は、複数のタイムスロットが時間多重されて伝送するようになっており、その伝送態様は、ＯＣ４８(Optical Carrier 48)やＯＣ１９２(Optical Carrier 192)と呼ばれる方式が採用されている。
【０００３】
このＯＣ４８とは、４８個のタイムスロットが時間多重されて４８回線が含まれたものであり、ＯＣ１９２とは、１９２個のタイムスロットが時間多重されて１９２回線が含まれたものである。そして、これら多重化されたタイムスロットは、半分が現用の回線（以下、現用回線と称する）に割り当てられ、また、残りの半分が予備用の回線（以下、予備回線と称する)に割り当てられている。なお、現用回線は、ワーキング回線とも呼ばれ、ＷｏｒｋｉｎｇやＷｏｒｋと表示され、一方、予備回線は、プロテクション回線とも呼ばれ、ＰｒｏｔｅｃｔｉｏｎやＰＴやＰＴＣＴと表示されることがある。
【０００４】
加えて、その多重化されたタイムスロットは、光信号が正確に目的地に伝送するように、データリンクチャネルと呼ばれる制御チャネルを有する。なお、以下の説明においては、このデータリンクチャネルをデータリンクと称することがある。
そして、よく知られているように、リング伝送システムにおいて、光伝送装置が、そのリング伝送システムに光信号を挿入し（光信号をアドする）、そのアドされた光信号は、光ファイバを伝送する。また、他の光伝送装置は、その伝送してきた光信号を抽出し（光信号をドロップ）、これにより、光信号は、リング伝送システム間を転送されるのである。すなわち、データリンクにより、アド・ドロップの情報が伝達されるようになっている。これにより、光ファイバで接続された光伝送装置は、それぞれ、データリンクの内容を読み出せるとともに、データリンクの内容を書き込むことができるようになっている。
【０００５】
なお、多重化されたタイムスロットによる回線の１つは、ＳＴＳ回線と呼ばれ、ＯＣ４８等の構成単位の１つに相当する。具体的には、ＳＴＳ−１(Synchronous Transport Signal Level 1)という回線が使用されており、このＳＴＳ−１回線の速度に関するフォーマットは、51.840Mbit/sの速度である。従って、ＯＣ４８は、４８個のタイムスロットが多重されているので、その速度は、2.4Gbps(51.840Mbit/s×48)である。
【０００６】
ところで、ＯＣ４８において、４８回線多重された光信号を伝送する構成は、１本の光ファイバを用いる２ファイバＢＬＳＲ構成と、２本の光ファイバを用いる４ファイバＢＬＳＲ構成との２種類がある。具体的には、２ファイバＢＬＳＲ構成は、伝送容量の半分を現用回線用の帯域に割り当てて、もう半分を予備回線用の帯域に割り当てている。一方、４ファイバＢＬＳＲ構成の場合は、一本の光ファイバが現用回線用の帯域に割り当てられ、もう一本が予備回線用の帯域に割り当てられている。近年は、４ファイバＢＬＳＲが用いられ、現用回線用の帯域が大幅に確保され、現用回線用の帯域が、より有効に利用できるようになっている。そして、この４ファイバＢＬＳＲは、２ファイバＢＬＳＲよりも、複雑な回線設定や回線切り替えを行なえるようになっている。
【０００７】
このリングにおける光信号の伝送は、単一方向だけ伝送可能なＵＰＳＲ(Uni-directional Path-Switched Ring)構成と、双方向伝送可能なＢＬＳＲ(Bi-directional Line-Switched Ring)構成とがあり、ＳＴＳ(Synchronous Transport Signal)回線を有効に利用できるＢＬＳＲ構成が主流となってきている。
さらに、ＢＬＳＲは、後述するように、ノーマルＢＬＳＲとサブマリンＢＬＳＲとの２態様がある。
【０００８】
図５８はＵＰＳＲ構成の模式図であり、この図５８に示すリング伝送システム８０は、光信号が単一方向のみ伝送できるリング伝送システムである。このリング伝送システム８０は、Ａ，Ｂ，Ｃ，Ｄ，ＥのノードＩＤ(Node Identification)を付された５種類の光伝送装置（ノード）を有し、ノードＢにアドされた光信号は、ノードＢ，ノードＣ，ノードＤの経路を通ってドロップされる一方、ノードＡ，ノードＥ，ノードＤの経路を通ってドロップされる。ここで、ノードとは、光伝送装置と同一のものであり、以下の説明中、リング接続についての説明で、光伝送装置をノードと称することがある。このリング伝送システム８０は、ノードＡ，ノードＢ間やノードＡ，ノードＣ間で光ファイバが何らかの障害（回線障害）が発生することにより、切断された場合は、光信号の伝送が遮断される。
【０００９】
図５９（ａ）〜（ｃ）はそれぞれＢＬＳＲ構成の模式図であり、各ノード間には現用回線と予備回線との２回線が設けられている。この図５９（ａ）に示すリング伝送システム８１ａは、光信号が双方向に伝送できるリング伝送システムである。そして、ノードＢから、ノードＤに対して送信された場合は、ノードＣを介して、ノードＤから出力される。図５９（ｂ）はノードＢ，ノードＣ間に障害が発生した場合のＢＬＳＲ構成の模式図であり、この図５９（ｂ）に示すノードＢ，ノードＣ間に障害が発生した場合は、ノードＢにアドされた光信号は、逆の方向のループを通り、ノードＩＤで、Ｂ，Ａ，Ｅ，Ｄ，Ｃ，Ｄという経路を通って、ノードＤにてドロップされる。また、図５９（ｃ）はノードＣ，ノードＤ間に障害が発生した場合のＢＬＳＲ構成の模式図であり、この図５９（ｃ）でも、ノードＢでアドされた光信号は、Ｂ，Ｃ，Ｂ，Ａ，Ｂ，Ｄ（ノードＩＤ）を通って、ノードＤにてドロップされる。従って、光信号の伝送方向は２通りある。
【００１０】
このＢＬＳＲ構成は、同一回線に、複数の光信号を伝送させることができるので、リング伝送システムがアイドル状態の時は、回線切り替えが行なわれていないことを利用して、予備回線で別の光信号を伝送させることができる。すなわち、予備回線は、これら複数の現用回線の光信号と予備回線の光信号とを共用している。このため、予備回線は、複数の回線を収容しているので、回線切り替えが行なわれた場合は、これら複数の回線の間で、光信号が誤って転送される接続（ミスコネクト）が発生する可能性がある。
【００１１】
従って、より複雑な回線切り替えが行なえるように、各ノードは、スケルチテーブル(Squelch Table)やリップテーブル(Ring Interworking on Protection Table：以下、ＲＩＰテーブルと称する）を設けている。以下、スケルチテーブルについて、図６０から図６３を用いて説明する。また、ＲＩＰテーブルについては、リング伝送システムの接続形態を表すＤＣＰ(Drop and Continue on Protection)接続，ＤＴＰ(Dual Transmit on Protection)接続と関連が深いので、そのＤＣＰ接続及びＤＴＰ接続とついて、図６４から図６９を用いて説明するときに、併せて説明する。
【００１２】
上記のスケルチとは、リング伝送路の２箇所以上で障害が発生してリング伝送路が分断された状態になった場合に、伝送されている光信号が誤ったノードに接続されるのを防止し、光信号を救済するために行なわれる処理であって、具体的には、各ノードが、光信号にＡＩＳ(Alarm Indication Signal)を加える操作を意味する。これにより、光信号の混信が防止される。なお、このスケルチは、スケルチングやスケルチ処理とも称されるが、同一の意味で使用することとし、また、リング伝送路が分断される状態のことを、リングセグメンテーション：Ring Segmentation）と称されることがある。
【００１３】
そして、このスケルチ機能を発揮するために、各ノードには、スケルチテーブルが設けられている。スケルチテーブルとは、スケルチするために必要な回線接続情報が書き込まれたテーブルであって、現在運用されている回線において、個々のアドノードのＩＤとドロップノードのＩＤとを示すデータが書き込まれたテーブルをいう。また、このスケルチテーブルは、ＳＴＳ回線毎に個別に設けられており、このスケルチテーブルによって、各ノードは、どのノードからどのノードまでパス（経路）が設定されているかについてのクロスコネクト情報を得ることが可能となる。すなわち、このクロスコネクト情報とは、ＢＬＳＲ構成において、１箇所のノードにおいて、光信号をどの方向に振り分けるか、あるいは、スルーさせるかという回線の接続状況を示すものである。
【００１４】
そして、各ノードは、それぞれ、光信号について、スケルチするか否かの判定を行なって障害が発生した場所を特定して、この場所とスケルチテーブルとを比較することによって、光信号を救済できるか否かを判定するようになっている。また、救済不可能な場合はスケルチが行なわれる。
上述したように、ＢＬＳＲ構成のリング伝送路では、協調して光信号の迂回路を形成するために、全ノードが、リング伝送路の障害が発生した箇所と、自ノードとの位置関係を的確に知る必要がある。この位置関係を決定するために、各ノードは、それぞれ、個別のノードＩＤを割り振られるとともに、各ノードは、それぞれ、これらのノードＩＤの並び順をトポロジー（リングトポロジー）として有するようになっている。
【００１５】
図６０はトポロジーを説明するための図である。この図６０に示すＢＬＳＲ構成のリング伝送システム８２は、４基のノードＡ，Ｂ，Ｃ，Ｄを有し、各ノード間は、それぞれ、現用回線と予備回線とにより光信号を伝送させるようになっている。また、各ノードは、それぞれ、隣接する２基のノードの方向別にＥ（East）とＷ(West)とを有する。この方向の決め方は、図６０に示すリング伝送システム８２を上から見て、右回りに伝送する方向をＥ方向（Ｗ→Ｅ方向，Ｅａｓｔ方向周り，時計方向）と定義し、また、左回りに伝送する方向をＷ方向（Ｅ→Ｗ方向，Ｗｅｓｔ方向，反時計周り方向）と定義する。ここで、各ノードは、それぞれ、自ノードを常に先頭にしたトポロジー（ＴＰＬＧＹ）を有する。例えばノードＡは、自ノードＡを先頭に、トポロジーＡ，Ｂ，Ｃ，Ｄを有する。
【００１６】
図６１は、データリンクのフォーマットを示す図である。上述したように、データリンクは、クロスコネクト情報を有し、アドノードのＩＤとドロップノードのＩＤとが書き込まれている。
そして、アドノードのＩＤはソースノードＩＤ（Source Node ID）、ドロップノードのＩＤはデスティネーションノードＩＤ（Destination Node ID）と記載される。
【００１７】
この図６１に示すデータリンクは、Ｅ→Ｗ方向とＷ→Ｅ方向とを別々に有し、これらの方向毎に、それぞれ、送信データと受信データとを有する。
また、各クロスコネクト情報は、１バイトで管理されており、全て合計すると８バイトである。そして、各１バイトは、４ビットづつを、ソースノードＩＤ部と、デスティネーションノードＩＤ部とに割り当てており、送信及び受信に関する情報が管理されている。これにより、このデータリンクは、クロスコネクト設定が行なわれ、どこからどこへ接続されたかが、各ノードで認識されるようになっている。
【００１８】
図６２（ａ）はアドノードとドロップノードとを有するリング伝送路の模式図であり、ノードＡ，ノードＢ，ノードＣがそれぞれ、接続されている。そして、この図６２（ａ）に示すノードＣにおいて、光信号がアドされて、パス２を用いて、ノードＢに伝送され、ノードＡにおいて、ドロップされるようになっている。また、ノードＢにおいて、光信号がアドされて、パス１を用いてノードＣに伝送され、ノードＣにおいて、その光信号がドロップされるようになっている。
【００１９】
また、図６２（ｂ）はノードＢのスケルチテーブルの一例を示す図である。この図６２（ｂ）に示すスケルチテーブル８４は、２種類のパス１，２を有し、それらのパス毎に、アドノードを示すソースノードＩＤと、ドロップノードを示すデスティネーションノードＩＤとが書き込まれている。
そして、図６２（ｃ）は各ノードでのスケルチテーブル値を比較するための図であり、スケルチテーブル８３ａ，８３ｂ，８３ｃが表示されている。この図６２（ｃ）に示すスケルチテーブル８３ａは、ノードＡ(Node A)のＷｅｓｔ側に相当するものであって、ノードＣ(Node C)でアドされたパス２の光信号がノードＡでドロップされることを示している。また、スケルチテーブル８３ｂは、ノードＢ(Node B)のＥａｓｔ側とＷｅｓｔ側に相当するものであって、Ｅａｓｔ側にアドノードＣのＩＤ，ドロップノードＡのＩＤが書き込まれており、さらに、Ｗｅｓｔ側には、Ｅ→Ｗ方向にアドノードＣのＩＤ，ドロップノードＡのＩＤが書き込まれるとともに、Ｗ→Ｅ方向にアドノードＢのＩＤ，ドロップノードＣのＩＤが書き込まれる。さらに、スケルチテーブル８３ｃについても同様に、Ｅａｓｔ側のＥ→Ｗ方向に、アドノードＢのＩＤ，ドロップノードＣのＩＤが書き込まれており、Ｅａｓｔ側のＷ→Ｅ方向にアドノードＣのＩＤとドロップノードＡのＩＤが書き込まれている。
【００２０】
また、この図６２（ｃ）に示す、スケルチテーブル８３ｂの下に、Source及びDest(Destination)と付された８個の枠が示されているが、これらは、それぞれ、スケルチテーブル８３ａ，８３ｂ，８３ｃが有する８個の枠内の同一位置に示されるＩＤを表すものである。例えば、スケルチテーブル８３ｂのＷｅｓｔ側のＥ→Ｗ方向にあるＢ及びＣは、それぞれ、デスティネーションノードＩＤ及びソースノードＩＤを表している。
【００２１】
換言すれば、アドされたノードは、ソースノードＩＤ部に自ノードのＩＤを入力し、デスティネーションノードＩＤ部に受信したデータリンクのデスティネーションノードＩＤ部を入れて送信する。また、ドロップされたノードは、デスティネーションノードＩＤ部に自ノードを入れ、ソースノードＩＤ部に受信したデータリンクのソースノードＩＤを入れて送信するのである。
【００２２】
次に、３ノード時のデータリンクにおけるデータの流れの具体例を、図６３（ａ）〜（ｆ）を用いて説明する。図６３（ａ）は３ノードが接続された模式図であり、ノード１〜３がそれぞれ、ノードＩＤとして１〜３を有する。また、図６３（ｂ）は初期状態での各ノードにおけるデータリンクの内容を示す図であり、ノード１において、アドクロスコネクトがなされたことにより、ノード１は、Ｅ→Ｗ方向のソースノードＩＤ部に、自ノードの絶対ノードＩＤを書き込む。さらに、図６３（ｃ）はノード１でアドクロスコネクトが設定されたときの各ノードにおけるデータリンクの内容を示す図であり、この図６３（ｃ）に示すように、ノード１のＥ→Ｗ方向のデスティネーションノードＩＤ部には、ノード１が受信しているデスティネーションノードのノードＩＤが入れられて送信されている。
【００２３】
図６３（ｄ）はノード２においてＥ→Ｗ方向のスルー設定がなされた場合の各ノードにおけるデータリンクの内容を示す図であり、ノード２は、ドロップノード３を受信し、この値を送信し、Ｅ側から受信したデータをそのままＷ側に送信する。
次に、図６３（ｅ）はノード３においてドロップクロスコネクトがなされた場合の各ノードにおけるデータリンクの内容を示す図である。ノード３は、ドロップクロスコネクトを実施することにより、Ｅ→Ｗ方向のデスティネーションノードＩＤ部に、自ノードの絶対ノードＩＤを書き込み、また、送信するソースノードＩＤ部に、受信したソースノードＩＤ部をコピーして送信する。そして、ノード１は、受信したデスティネーションノードＩＤ部が変化したことを検出することにより、再度デスティネーションノードＩＤ部を入れ替えて送信する。
【００２４】
図６３（ｆ）は各ノードのスケルチテーブルの内容を示す図であるが、この図６３（ｆ）のように、全ノードで送信側のスケルチテーブルと、受信側のスケルチテーブルとが同一データとなり、ノード１は、このリング伝送路におけるデータリンクが完成したものと判断し、ノード１は、スケルチテーブルを、本データリンクに基づいて、データを取り出して作成するのである。
【００２５】
このため、スケルチテーブルを生成するには、多量の設定項目が存在するので、その設定項目を極力少なくすることが要求されている。また、光伝送装置の設定を、簡易に行なえるように、データリンクの情報を使用して各ノードにおける各設定が自動的に行なわれることが求められている。
また、従って、リングが１つの場合は、予備回線用の帯域は、切り替えが発生すると、現用回線用の帯域に置き替えられるために、スケルチ動作をする必要がなく、回線設定によりデータリンクを使用し、回線設定の状態を通知する必要がない。
【００２６】
なお、予備回線用の帯域でクロスコネクトを実施しても、予備回線用の帯域は、切り替えが発生すると、必ず、現用回線用の帯域の情報が乗せ替えられるので、予備回線用の帯域としてミスコネクトの可能性がない。従って、予備回線用の帯域は、スケルチテーブル構築を実施する必要がないため、予備回線用の帯域については、スケルチテーブル構築用のデータリンクは使用されていない。
【００２７】
ところで、ＢＬＳＲの仕様によれば、通常、一つのリングが有するノード数は１６であり、それ以上のノード数が必要な場合は、２以上のリングを相互に接続するようにしている。このリング間の相互接続方式は、リング・インターコネクションとも呼ばれ、ＤＣＷ（Drop and Continue on Working）及びＤＴＷ（Dual Transmit on Working）と、ＤＣＰ（Drop and Continue on Protection）及びＤＴＰ（Dual Transmit on Protection）との４種類がある。
【００２８】
そして、各ノードは、自分がこれら４種類のリング・インターコネクションのうちどれに属するかを、ＲＩＰテーブルと呼ばれるものによって、知ることができるようになっている。
次に、ＲＩＰテーブルについて説明する。このＲＩＰテーブルとは、２つ以上のリング伝送システム間を接続するために必要な情報が書き込まれたテーブルである。
【００２９】
そして、このＲＩＰテーブルにより、２個以上のリングが接続されたリング伝送システム（デュアルリング伝送システムとも称する）が実現されるのである。
ここで、ＤＣＰ（ＤＣＰアプリケーション）及びＤＴＰ（ＤＴＰアプリケーション）では、それぞれ、プライマリノードとセカンダリノードとの間において、光信号が予備回線で伝送される。さらに、ＤＣＷ（ＤＣＷアプリケーション）及びＤＴＷ（ＤＴＷアプリケーション）では、それぞれ、プライマリノードとセカンダリノードとの間において、光信号が現用回線で伝送される。
【００３０】
従って、ＤＣＰ及びＤＴＰのグループと、ＤＣＷ及びＤＴＷのグループとの相違点は、光信号の伝送が、予備回線であるか又は現用回線であるかによる。以降、特に断らない限り、ＤＣＰ及びＤＴＰを例にして説明を行なう。
また、これらＤＣＰ接続又はＤＴＰ接続とは、リング伝送システムにおいて、光信号をアドされて、そのアドされた光信号を他のリング伝送システムにドロップする場合に、アドノードを２箇所設けて、ドロップノードにおいて、アドされた２系統の光信号のうち良い方が選択されてドロップされるようにした接続構成を意味する。
【００３１】
例えば、第１のリング伝送システムと第２のリング伝送システムとが結合したリング伝送システムにおいて、他の外部のリング伝送システムから送信された光信号が第１のリング伝送システムにアドされて、そのアドされた光信号が第２のリング伝送システムに送信された後、他の外部のリング伝送システムにその光信号をドロップする場合を考える。
ここで、第１のリング伝送システムにある１箇所のノードが、異なる他のリング伝送システムから光信号を受信してその光信号を第２のリング伝送システムに送信する場合に、第２のリング伝送システムを構成する２箇所のノードにて、光信号を第１のリング伝送システムから別々に受信する。
【００３２】
ここで、第２のリング伝送システムにある２箇所のノードは、それぞれ、プライマリノード（Primary Node）と、セカンダリノード（Secondary Node）と呼ばれている。また、第２のリング伝送システムにあるノードであって、第１のリング伝送システムからの光信号を他の外部のリング伝送システムに送信するノードは、ドロップノード（Drop Node）と呼ばれる。
【００３３】
そして、プライマリノードとセカンダリノードとで別々に受信された光信号は、それぞれ、２系統で第２のリング伝送システムを伝送し、ドロップノードにて、それら２系統の光信号から、より良い光信号が選択されて他の外部のリング伝送システムに送信されるようになっている。
また、このＤＣＰ接続と、ＤＴＰ接続との違いは、プライマリノードとセカンダリノードとの位置関係によって次のように呼び分けられている。具体的には、ＤＣＰ接続とは、プライマリノードとセカンダリノードとの間に、ドロップノードがない接続構成であり、そして、ＤＴＰ接続とは、プライマリノードとセカンダリノードとの間に、ドロップノードがある接続構成である。
【００３４】
以下、図６４〜図６９を用いて、ＤＣＰ，ＤＴＰについて説明する。
図６４はＤＣＰ接続の模式図である。この図６４に示すリング伝送システム９０とリング伝送システム９１とが、それぞれ、自システムが有する相互のノードが結合することによって構築され、これら複数のリング伝送システムを光信号が伝送できるようになっている。ここで、図６４に示す実線は現用回線（Ｗｏｒｋと表示されたもの）を表し、点線は予備回線（ＰＴＣＴと表示されたもの）を表す。なお、ノード９０ａ内には、データの乗せ替えを行なうサービスセレクタＳＳが表示されており、また、ＤＣＰ接続を明示するために、ＤＣＰと表示されている。
【００３５】
さらに、リング伝送システム９０，９１は、それぞれ、伝送リングをも意味する。従って、リング伝送システム９０，９１は、１つのリングと２又は３以上複数のリングが相互に接続されたものとの両方を意味する。そのため、以下の説明においては、リング伝送システムを、単に、伝送リングあるいはリングと称することもある。
そして、リング伝送システム９０は、リング伝送システム９１から、プライマリノード９０ａとセカンダリノード９０ｂとの２箇所のノードにて、光信号を受信し、セカンダリノード９０ｂは、その受信した光信号を予備回線にてプライマリノード９０ａに送信する。ここで、プライマリノード９０ａは、現用回線と予備回線とで受信した２系統の同じ光信号のうち良い方を選択して、品質の良い方をドロップノード９０ｃに送信し、ドロップノード９０ｃは、その光信号を外部の他のリング伝送システムに送信するようになっている。
【００３６】
図６５（ａ）はＤＣＰ接続の構成図であり、図６５（ｂ）はＤＣＰ接続された各ノードのスケルチテーブルの説明図である。この図６５（ａ）に示すＤＣＰ接続は、ドロップノード９０ｃ（ノード１とも称する）と、プライマリノード９０ａ（ノード３とも称する）と、セカンダリノード９０ｂ（ノード５とも称する）とを有し、また、ドロップノード９０ｃは、これらプライマリノード９０ａ，セカンダリノード９０ｂの間の外側に配置されている。そして、プライマリノード９０ａとセカンダリノード９０ｂとにおいて、それぞれ、光信号がアドされ、それらの２系統の光信号は、プライマリノード９０ａにおいて、品質の良い方が選択されて、ドロップノード９０ｃに送信され、そして、このドロップノード９０ｃから、他のリング伝送システム（図示省略）に光信号が送信されるのである。
【００３７】
一方、ドロップノード９０ｃからアドされた光信号は、現用回線にて伝送しプライマリノード９０ａにてドロップされるとともに、予備回線を伝送しセカンダリノード９０ｂにてドロップされる。すなわち、プライマリノード９０ａにて、ドロップ（drop）かつ伝送続行(continue)がなされている。
また、図６５（ｂ）に示すように、スケルチテーブルの設定は、現用回線が通過しているノード１，ノード３間だけで行なわれており、予備回線を使用しているノード４,ノード５間は、スケルチテーブルが設定されないようになっている。そして、このノード１，ノード３間において、ＤＣＰ接続されたパスの両端のノードＩＤが、ソースノードＩＤ及びデスティネーションノードＩＤとして設定されている。
【００３８】
次に、図６６はＤＣＰ接続におけるプライマリノード及びセカンダリノードの動作説明図である。この図６６に示すように、プライマリノードを含む現用回線に障害が発生した場合には、セカンダリノードが、プライマリノードと逆方向の予備回線に、アド・ドロップ制御を実施し、プライマリノード側の予備回線には、警報信号であるＡＩＳを書き込む。そして、セカンダリノードを含まない現用回線に障害が発生した場合には、プライマリノードは、光信号の伝送続行を禁止させ、ＳＳの設定をアドノード側に固定する。また、セカンダリノードは、プライマリノード方向の予備回線に、光信号のドロップと伝送続行とを行ない、プライマリノードへ光信号を伝送する。また、予備回線の障害が発生した場合や、光信号が通過していないスパン（区間）での障害が発生したときは、予備回線に対して、アド・ドロップの制御を実施し、プライマリノード側の回線には、ＡＩＳを書き込む。
【００３９】
一方、図６７はＤＴＰ接続の模式図である。この図６７に示すリング伝送システム９２とリング伝送システム９３とが結合し、光信号が伝送できるようになっている。なお、図６７に示す実線は現用回線（Ｗｏｒｋと表示されたもの）を表し、点線は予備回線（ＰＴＣＴと表示されたもの）を表す。
ここで、リング伝送システム９２は、リング伝送システム９３から、プライマリノード９２ａとセカンダリノード９２ｂとの２箇所のノードにて、光信号を受信する。そして、プライマリノード９２ａは、その受信した光信号を現用回線にてドロップノード９２ｃに送信し、また、セカンダリノード９２ｂは、その受信した同じ光信号を予備回線にてドロップノード９２ｃに送信する。さらに、ドロップノード９２ｃは、現用回線と予備回線とで受信した２系統の同じ光信号のうち良い方を選択して、外部の他のリング伝送システム（図示省略）に送信するようになっている。なお、光伝送装置９２ｃ及び光伝送装置９３ｃ内には、それぞれ、データを選択してドロップするためのスイッチＰＳＷ（Path Switch）が表示されており、また、ＤＴＰ接続を明示するために、ＤＴＰと表示されている。
【００４０】
さらに、図６８（ａ）はＤＴＰ接続の構成図であり、図６８（ｂ）はＤＴＰ接続された各ノードのスケルチテーブルの説明図である。この図６８（ａ）に示すＤＴＰ接続は、プライマリノード９２ａ（ノード１とも称する）と、ドロップノード９２ｃ（ノード３とも称する）と、セカンダリノード９２ｂ（ノード５とも称する）とを有し、また、ドロップノード９２ｃが、これらプライマリノード９２ａ，セカンダリノード９２ｂの間に配置されている。
【００４１】
そして、プライマリノード９２ａとセカンダリノード９２ｂとにおいて、それぞれ、外部のリング伝送システム（図示省略）から光信号がアドされ、その光信号は、２系統の現用回線及び予備回線でドロップノード９２ｃに送信される。それらの２系統の光信号は、ドロップノード９２ｃにおいて、より良い方が選択され、他のリング伝送システム（図示省略）に送信される。
【００４２】
一方、ドロップノード９２ｃで他のリング伝送システムからアドされた光信号は、現用回線にて伝送しプライマリノード９２ａにてドロップされるとともに、予備回線にて伝送しセカンダリノード９２ｂにてドロップされる。
また、同様に、スケルチテーブルの設定が必要なノードは、現用回線が通過しているノード１，ノード３間だけであり、予備回線を使用しているノード４，ノード５間は、スケルチテーブルは設定されないようになっている。そして、このノード１，ノード３間において、ＤＴＰ接続されたパスのＰＣＡ（Protection Channel Access）区間のノードＩＤが、ソースノードＩＤ及びデスティネーションノードＩＤとして設定されている。このＰＣＡとは、回線切り替えが実施されていない場合に、予備回線に光信号を通すことを意味し、回線切り替えがなされた時には、現用回線が予備回線を使用するために侵食されてしまうものであって、優先度が低いものである。すなわち、セカンダリノードへの接続に際しては、現用回線を使わないように用いられることがある。
【００４３】
さらに、図６９はＤＴＰ接続におけるプライマリノード及びセカンダリノードの動作説明図であり、プライマリノードを含む現用回線に障害が発生した場合は、次のようになる。
すなわち、プライマリノードを含む現用回線に障害が発生した場合には、セカンダリノードは、予備回線へのアド・ドロップ制御をそのまま継続して実施する。一方、プライマリノードを含まない現用回線に障害が発生した場合には、プライマリノードは、通常の切り替え動作を行なう。ここで、プライマリノードが光信号をスルーさせるだけのときは、スルーノード（Through Node）として動作する。また、セカンダリノードは、プライマリノード方向の予備回線に、光信号のドロップと伝送続行とを実施し、プライマリノードへ光信号を送信する。加えて、セカンダリノードは、ターミナルノード(Terminal Node）に向かう予備回線については、サービスセレクタＳＳの設定を行なう。なお、このターミナルノードとは、アド機能とドロップ機能とを有するノード、又は、ドロップ機能のみを有するノードを意味する。
【００４４】
また、予備回線に障害が発生した場合や、光信号が通過していない区間で障害が発生した場合は、プライマリノードは、通常の切り替え動作を行ない、光信号をスルーさせるだけのときは、スルーノードとして動作する。そして、セカンダリノードは、予備回線を使ったアド・ドロップのクロスコネクトを禁止する。
さらに、ターミナルノードを含む現用回線又は予備回線に障害が発生した場合は、プライマリノードは、やはり、通常の切り替え動作を行ない、光信号をスルーさせるだけのときは、スルーノードとして動作する。そして、セカンダリノードも、同様に、予備回線を使ったアド・ドロップのクロスコネクトを禁止する。
【００４５】
このように、ＤＣＰ接続及びＤＴＰ接続は、２個以上のリング間を接続し、より一層、回線の使用効率を向上させるように用いられている。また、４ファイバ（又は２ファイバ）ＢＬＳＲにおけるＤＣＰ接続及びＤＴＰ接続の場合は、予備回線用の帯域を含んだ形でスケルチテーブルを構築しなければならず、そのため、ＤＣＰ接続及びＤＴＰ接続におけるセカンダリノードは、それぞれ、障害が発生した区間により、回線切り替え動作を変更できる必要がある。従って、各ノードは、現用回線がどの区間で使用されているかという情報と、自分がＤＣＰ接続あるいはＤＴＰ接続におけるセカンダリノード として定義されていることを認識して動作しなければならない。
【００４６】
すなわち、パスに関係するノード数が増加するため、ＤＣＰ接続やＤＴＰ接続の場合は、上述のスケルチテーブルだけではクロスコネクト情報を表現できなくなる。そして、より複雑なスケルチテーブルの構築と、回線毎に切り替えを管理するために、各ノード毎にＲＩＰテーブルの構築が行なわれ、複雑な構成での切り替えに対応できるようになっている。このＲＩＰテーブルは、スケルチテーブルとほぼ同一の内容を有し、プライマリと、セカンダリと、ターミナルとのそれぞれのノードＩＤが格納されるようになっている。さらに、これらの設定は、回線毎に必要であり、使用者が設定する場合は、各ノード毎及びＳＴＳ回線単位でかつ方向別になされなければならない。
【００４７】
なお、ＢＬＳＲ技術に関しては，Bellcore社の仕様にＳＯＮＥＴの分類で基準化（ＧＲ−１２３０）されており、その実現方法も公知であり、また、上記のＵＰＳＲ技術についても、Bellcore社の仕様にＳＯＮＥＴの分類で基準化（ＣＲ−１４００）されて公知である。このため、以下、関連のあるものについて主に説明し、その他についての説明を省略する。
【００４８】
上記ＢＬＳＲは、特にノーマルＢＬＳＲ（以下、図面中ではNormal BLSRと表記することがある）と称される。
このノーマルＢＬＳＲのうちで、さらに、救済時に余計なパス（冗長な部分のパス）を省いたものは、特にサブマリンＢＬＳＲと呼ばれている。すなわち、このサブマリンＢＬＳＲは、ノーマルＢＬＳＲから、そのノーマルＢＬＳＲを用いた場合に生じる品質劣化原因を取り除いたものである。
【００４９】
このサブマリンＢＬＳＲは、例えば海底ケーブルにより大陸間を接続するノードに用いられている。米国西岸から日本に対して光信号を伝送するために、ハワイと日本との間は、海底ケーブルが設けられている。仮に、日本とハワイとの間で障害が発生した場合、ハワイにあるノードは、送信方向を日本からアラスカに変更し、アラスカを経由して日本に伝送される。ここで、光信号は、ハワイとその障害位置（障害点）との間の往復分だけ伝送するので、ループバックされると余計なパスがあるため光信号のロスが生じる。
【００５０】
従って、そのような迂回距離が大きく、総じて数万キロメートルになる場合には、光信号は、最短経路でループバックされるようになっている。このため、サブマリンＢＬＳＲを用いると、光信号はターミナルノードにてループバックされ、また、余計なパスが無くなるようにされている。これにより、パス短縮の効果が顕著に現れ、光信号が救済されるのである。
【００５１】
そして、ノーマルＢＬＳＲとサブマリンＢＬＳＲとを用いることにより、ネットワークの回線使用率や回線救済率を向上させることができ、近年のデジタル光通信における伝送容量の増大に応えることができる。
さらに、以下の説明において使用する、両端と片端とについて説明する。すなわち、両端とは、一つのリングの両端（２箇所のノード）においてＤＣＰ（又はＤＴＰ，ＤＣＷ，ＤＴＷ）接続されていることを意味し、片端とは、一つのリングの片端（片方のターミナルノード）においてＤＣＰ（又はＤＴＰ，ＤＣＷ，ＤＴＷ）接続されていることを意味する。
【００５２】
さて、両端ＤＣＷとは、１つのリングが２つのリングと接続されている場合に、中央のリングが、それら２つのリングとＤＣＷ接続されているときの、その中央のリングの接続形態を意味する。
一方、片端ＤＣＷとは、１つのリングが２つのリングと接続されている場合に、中央のリングが、それらのリングのうちの１つのリングとＤＣＷ接続されているその中央のリングの接続形態を意味する。すなわち、他のリングとの接続箇所がリング内で一箇所だけであることを意味する。また、これらの両端及び片端の意味は、以後同様の意味で使用する。
【００５３】
図７０は片端ＤＣＷの構成図であり、この図７０に示すリング伝送システム１２０ａは、リング１とリング２とが相互に接続されている。そして、リング１−ノード３（リング１のノード３を表す。以下の説明でも同様に表す）とリング１−ノード４とがペアになり、また、リング２−ノード１とリング２−ノード６とがペアになっている。
すなわち、この図７０に示すリング１は、片端のノード３，ノード４によりＤＣＷ構成となる。また、リング２は、片端のノード１，ノード６によりＤＣＷ構成となる。
【００５４】
そして、これらのプライマリノード（Primary Nodeと表示されたもの）及びセカンダリノード（Secondary Nodeと表示されたもの）のペアは、同一の光信号に対してアクセスし、他の伝送リングにその光信号を送信するのである。
これにより、ターミナルノード（リング１−ノード１）からアドされた光信号は、リング１−ノード２を通って、リング１−ノード３のプライマリノードに到達し、このプライマリノードにて２分岐される。すなわち、一方の光信号は、そのままリング２−ノード１へ直接ドロップされ、他方の光信号は、セカンダリノード（リング１−ノード４）にコンティニューされる。そして、コンティニューされた光信号は、リング２−ノード６のセカンダリノードにアドされてリング２−ノード１に転送される。
【００５５】
一方、リング２のプライマリノード（リング２−ノード１）においては、リング１−ノード３から来た光信号と、リング１−ノード６から来た光信号とのうちのいずれか一方が選択されてリング２−ノード２へ転送され、最終的にターミナルノード（リング２−ノード３）からドロップされる。
この片端ＤＣＷは、ＤＣＰと異なり、図７０に示すリング１−ノード３からリング１−ノード４を経由して、リング２−ノード６、リング２−ノード１へ到達される光信号のパスが、現用回線を用いて伝送されている。なお、これらの間が予備回線を用いて光信号が伝送されていれば、ＤＣＰとなる。
【００５６】
この図７０においては、リング１−ノード４からリング２−ノード６へ伝送されるパスが、現用回線を用いて伝送されている。従って、この現用回線を用いたパスは、冗長であるにも関わらず、その現用回線の光信号によって占有されてしまうので、その他の光信号は、この現用回線の同一チャネルを使用できず、回線利用効率の低下の原因となっていた。
【００５７】
また、ＤＣＷは、単一のリングでは、現用回線の光信号によって回線が占有されてしまうため、回線使用効率の低下原因となっていた。
なお、図７０において、リング２−ノード１とリング２−ノード６との間には、他のノードが設けられるようにしてもよい。
図７１はＤＴＷの構成図であり、この図７１に示すリング伝送システム１２０ｂは、リング１又はリング２内の片方のターミナルノードにて、双方向（Dual）に光信号を現用回線（Working）を用いて伝送（Transmit）している。
【００５８】
この図７１に示すリング１−ノード３、リング１−ノード４と、リング２−ノード１、リング２−ノード６との間がそれぞれ、プライマリノード、セカンダリノードにてリング間が相互に接続されている。
これにより、リング１−ノード１のターミナルノードからアドされた光信号は、Ｅａｓｔ方向周り（時計方向）に伝送されるものと、Ｗｅｓｔ方向周り（反時計方向）に伝送されるものとに分岐される。まず、リング１−ノード１からの光信号は、リング１−ノード２、リング１−ノード３のプライマリノードに到達し、そのままリング２−ノード１、リング２−ノード２をそれぞれ経由して、ターミナルノードのリング２−ノード３へ転送される。一方、リング１−ノード１からアドされた光信号は、反時計方向でリング１−ノード６、リング１−ノード５，・・・，リング２−ノード４を経由してリング２−ノード３へ伝送される。
【００５９】
そして、最終的には、リング２−ノード３のターミナルノードは、時計方向からの受信した光信号と反時計方向からの受信した光信号とのそれぞれについて、パススイッチ（Path Switch）し、どちらか一方の光信号をドロップするのである。
従って、リング１−ノード１（ターミナルノード）にて、リング１−ノード３（プライマリノード）から現用回線を用いて光信号と、その逆方向のリング１−ノード４（セカンダリノード）から予備回線を用いた光信号とが、パス選択され、そして、そのうちの品質のよい方がドロップされて、他のリングに伝送されるのである。一方、リング１−ノード１（ターミナルノード）にて、アドされる光信号に対しては、現用回線を経由したリング１−ノード３（プライマリノード）への接続と、その逆方向のリング１−ノード４（セカンダリノード）への接続が行なわれる。
【００６０】
このように、ＤＴＷは、リング１−ノード３（プライマリノード）にてサービスセレクタ制御せず、また、リング１−ノード４（セカンダリノード）にてアド・ドロップの方向がＤＣＰのそれと逆になる。そして、前述したＤＣＷと同様に、ＤＴＷは、Ｅａｓｔ方向周りの光信号とＷｅｓｔ方向周りの光信号との両方が、いずれも、現用回線を用いて伝送されている。
【００６１】
次にＲＩＰテーブルを用いた回線接続形態の説明を図７２及び図７３を用いて説明する。図７２は片端ＤＣＰの構成図であり、この図７２に示すリング伝送システム１２０ｃは、リング１内の片方のターミナルノード（リング１−ノード３，リング１−ノード４）にて、ＤＣＰしており、同様に、リング２内の片方のターミナルノード（リング２−ノード１，リング２−ノード６）にて、ＤＣＰしている。
【００６２】
また、図７２に示すリング２−ノード１は、リング２−ノード３（ターミナルノード）から現用回線を経由する光信号をドロップし、かつ、その光信号をセカンダリノード（リング２−ノード６）に対してコンティニューする。また、セカンダリノード（リング２−ノード６）は、予備回線を用いて、その光信号をドロップする。
一方、リング２−ノード１は、現用回線を用いてリング１−ノード３が送信した光信号と、予備回線を用いてリング２−ノード６が送信した光信号とを、入力され、サービスセレクタＳＳによって、選択してリング２−ノード２に対して現用回線を用いて光信号を送信する。
【００６３】
ここで、片端ＤＣＷ（図７０参照）との相違点は、リング１−ノード３からリング１−ノード４を通過して、リング２−ノード６、リング２−ノード１へそれぞれ伝送される光信号が予備回線を用いて伝送されている点である。すなわち、光信号は、リング１−ノード３から最終的にリング２−ノード１へ、現用回線を用いて伝送されている。ここで、ＲＩＰテーブルを用いてリングを相互に接続すると、その予備回線を用いて相互接続されている区間は、現用回線により別の光信号を伝送できるため、片端ＤＣＰは、片端ＤＣＷと比較して回線利用効率が高くなる。
【００６４】
すなわち、片端ＤＣＰと片端ＤＣＷとの相違点は、リング１−ノード３、リング１−ノード４と、リング２−ノード１、リング２−ノード６との間のそれぞれのプライマリノード，セカンダリノード間におけるリング間の相互接続部分である。
なお、図７２において、リング２−ノード１とリング２−ノード６との間には、他のノードが設けられるようにしてもよい。
【００６５】
図７３はＤＴＰの構成図であり、この図７３に示すリング伝送システム１２０ｄは、リング内の片方のターミナルノードにて、ＤＴＰ構成されているものである。すなわち、リング１では、リング１−ノード１（ターミナルノード）にて、リング１−ノード３（プライマリノード）から現用回線を経由する光信号と、その逆方向のリング１−ノード４（セカンダリノード）から予備回線を経由する光信号とが、パス選択されてドロップされる。
【００６６】
一方、アド光信号に対しては、現用回線を経由してリング１−ノード３（プライマリノード）に接続され、予備回線経由でリング１−ノード４（セカンダリノード）に接続される。
なお、リング２においても同様であり、リング２−ノード３（ターミナルノード）にて、リング２−ノード１（プライマリノード）から現用回線を経由する光信号と、その逆方向のリング２−ノード６（セカンダリノード）から予備回線を経由する光信号とが、パス選択されてドロップされる。一方、アド光信号に対しては、現用回線を経由してリング２−ノード１（プライマリノード）に接続され、予備回線経由でリング２−ノード６（セカンダリノード）に接続される。
【００６７】
このＤＴＰと、ＤＣＰとの違いは、プライマリノードとセカンダリノードとの位置関係によって次のように呼び分けられ、ＤＣＰとは、プライマリノードとセカンダリノードとの間に、ドロップノードがない接続であり、そして、ＤＴＰとは、プライマリノードとセカンダリノードとの間に、ドロップノードがある接続である。ＤＣＰとの違いは、プライマリノードにてサービスセレクタＳＳが形成される。なお、ＤＴＰは、ＤＴＷと異なり、リング１−ノード１からアドされる反時計方向の光信号は、予備回線を用いて伝送される。
【００６８】
すなわち、リング１においては、リング１−ノード３とリング１−ノード４とにおいてそれぞれ、ＤＴＰされており、リング１−ノード１及びリング１−ノード６においては、ＤＴＰされていない。
このように、２箇所のアドノードにてアドされた２系統の光信号のうちの良い方が選択されてドロップされ、ＲＩＰテーブルによりリングを相互接続した場合、予備回線を用いて相互接続している間の回線区間は、現用回線を用いてその他の光信号伝送に利用できるため、ＤＴＷと比較して回線利用効率が高い。
【００６９】
次に、ノーマルＢＬＳＲにおける障害発生時のループバック制御について、図７４及び図７５を用いて説明する。
図７４は通常時のノーマルＢＬＳＲ（Normal-BLSR時の通常時）としての伝送の説明図である。この図７４に示すリング２００のノードＣにおいて、Ｗ（Ｗｅｓｔ）側からアドされた光信号は，反時計方向に伝送され、ノードＢ、ノードＡを通って、最終的にノードＦに到達し，ノードＦのＥ（Ｅａｓｔ）側からドロップされる。この逆に、ノードＣのＥ側からアドされた光信号は、時計方向にノードＤへ伝送され、ノードＤのＷ側からドロップされる。
【００７０】
従って、ノーマルＢＬＳＲにおける光信号は、リング２００内の同一の現用回線を用いて送信されるので、ＵＰＳＲと比較して回線利用効率が高い。
次に、図７５は回線救済制御（Normal-BLSR時の救済制御）の説明図であり、図７４に示すリング２００において、ノードＡとノードＢとの間にて障害が発生した場合の回線救済を制御したときの光信号の流れを表している。
【００７１】
ここで、障害が発生すると、この図７５に示すノードＡ及びノードＢは、それぞれ、障害位置の両側にある障害ノードとして、光信号をループバックする。そして、回線情報は、この図７５に示すノードＣから反時計方向によりノードＦに対して送信される。
すなわち、ノードＢにて、光信号は、現用回線から予備回線へのブリッジによりループバックされて、再度、ノードＣ、ノードＤ、ノードＥ、ノードＦ、ノードＡを通って、再度ノードＦに折り返されてノードＦのＥ（Ｅａｓｔ）側からドロップされる。また、ノードＣからノードＤへ伝送されていた光信号は、その障害の影響を受けないのでそのまま伝送され続ける。
【００７２】
ここで、ノードＣからノードＦに対して送信された光信号は、ノードＦヘ到達するまでに、余計なパスを通過している。この余計なパスとは、図７５に示すノードＢ及びノードＣ間のパスと、ノードＡ及びノードＦ間のパスであって、迂回経路をいう。
このように、リングの接続の形態は、種々の種類があり、光信号は、安全に伝送されているが、同時に、光信号は、そのリングを構成する各ノード間において、最短距離で伝送されることが要求される。
【００７３】
なお、リング接続は、ＤＣＷ（自ノード）−ＤＣＰ（対向ノード）、ＤＣＷ（自ノード）−ＤＣＷ（対向ノード）等の接続も存在するが、これらの接続の違いのみに基づき、ループバックの制御方法が異なるものではない。
さらに、自ノードと対向ノードとのそれぞれにプライマリノードとセカンダリノードという接続形態がある。これは、リング間を相互に接続した場合に、プライマリノードにおいては、一つは、他のリングのプライマリノード又はセカンダリノードからドロップされて、自リングにアドされる光信号と、もう一つは、他リングのプライマリノード又はセカンダリノードからドロップされて自リングのセカンダリノードにアドされ、現用回線又は予備回線を経由してプライマリノードに到達する光信号とがある。
【００７４】
そして、サービスセレクタ機能により、これら前者と後者との光信号のうち、品質の良い方が選択されて、送信すべき目的ノードに対して光信号が伝送されるのである。このＢＬＳＲにおけるサービスセレクタ機能とに関する技術は，ＳＯＮＥＴの規格（ＧＲ−１２３０）に記載されており、公知なため、詳細な説明を省略する。
以下、この最短距離での伝送について、ＤＣＷ（自ノード）−ＤＣＰ（対向ノード）、ＤＣＷ（自ノード）−ＤＣＷ（対向ノード）という接続について、リング数が３のときを例として、ループバック制御について述べる。
【００７５】
図７６はＤＣＰ−ＤＣＷのリング間相互接続の説明図であって、両端ＤＣＰの変形接続を示している。すなわち、この図７６に示すリング２の一端がリング１とＤＣＰ接続され、リング２の他端がリング３とＤＣＷ接続されており、ＤＣＰ構成のリング２−ノード４（セカンダリノード）とＤＣＷ構成のリング２−ノード６（セカンダリノード）との間が、予備回線、現用回線、現用回線により接続されている。そして、障害発生前は、リング３−ノード１から光信号がアドされて、リング１−ノード３にてその光信号がドロップされるのである。
【００７６】
すなわち、まず、リング３−ノード１にて光信号がアドされ、リング３−ノード３に送信される。そして、そのノード３にて、一方は、リング２−ノード１へ送信され、他方はリング３−ノード４（セカンダリノード）を経由してリング２−ノード６へ送信され、リング２−ノード１（プライマリノード）へ送信される。
さらに、リング２−ノード１においては、両方向から来る光信号がサービスセレクタＳＳで選択されて、品質の良い方が、リング２−ノード２を経由してリング２−ノード３へ送信され、一方はリング１−ノード１へ送信され、他方はリング２−ノード４とリング１−ノード６とを経由してリング１−ノード１へ送信される。そして、リング１−ノード１にて、サービスセレクタＳＳによりリング１−ノード３へ送信され、そこでドロップされるのである。ここで、リング２−ノード１（プライマリノード）とリング２−ノード６（セカンダリノード）との間において、光信号は、現用回線を通って転送されている。
【００７７】
なお、図７６において、リング２−ノード３とリング２−ノード４との間と、リング２−ノード１とリング２−ノード６との間には、それぞれ、他のノードが設けられるようにしてもよい。
次に、現用回線に障害が発生した場合に、回線救済がどのように制御されるかについて、障害によって光信号の伝送路が変わる部分を主に説明する。
【００７８】
まず、図７７を用いて障害が発生した場合に生じる迂回パスについて説明する。図７７は障害発生時のリングの説明図であり、リングスイッチ機能を有するリング伝送システム５００にて障害が発生した場合の動作が表示されている。この図７７に示すものは、ＤＣＰ−ＤＣＷ接続であり、また、リング２−ノード３及びリング２−ノード４のそれぞれの対向ノードに相当するプライマリノード（リング２−ノード１）とセカンダリノード（リング２−ノード６）との間で障害が発生したものとする。この例において、ＤＣＰ（自ノード）−ＤＣＷ（対向ノード）間が、従来の装置における回線救済を示している。
【００７９】
ここで、リング２−ノード１，リング２−ノード６間で障害が発生すると、まず、リング３−ノード４から、リング２−ノード６に伝送された光信号は、障害発生によってリングブリッジされてＷｅｓｔ方向周りの予備回線を通り、ループバックされる。従って、リング２−ノード６において、光信号のパスが変更されている。
続いて、このループバックされた光信号は、リング２−ノード５、リング２−ノード４を介してリング２−ノード３へ転送される。そして、Ｗｅｓｔ方向周り（反時計方向）の予備回線を通って転送された光信号は、リング２−ノード３のリングスイッチによって、Ｅａｓｔ方向周り（時計方向）の現用回線に切り替えられて救済されるのである。
【００８０】
なお、先の、リング２−ノード６でループバックされ、リング２−ノード５、リング２−ノード４へ予備回線を通過した光信号は、このリング２−ノード４にてドロップされ（ＤＴＰ−スイッチ−ドロップ−Ｗｅｓｔ）されてリング１−ノード６へアドされる。さらに、このアドされた光信号は、リング１−ノード１へ転送され、リング１−ノード１にてサービスセレクタ制御されて、リング１−ノード２、リング１−ノード３へ転送されて、そこでドロップされる。
【発明の開示】
【発明が解決しようとする課題】
【００８１】
しかしながら、ＢＬＳＲ構成は、ＡＰＳ信号のバイト制限より、１つのネットワークのノード数は、１６ノードまでと制限されており、また、現状のデータリンクでは、４ビットで、絶対ノードＩＤを表しているため、４ビットで表現できる全てのデータ（０〜１５）は、ノードＩＤを示すのに使用されており、付加的な情報を表現するための領域が存在していない。従って、セカンダリノードにおける現用回線と使用区間とを通知するために、フラグ等を使用して情報を送信することができず、切り替え処理を正常に行なうたの情報を通知することができない。
【００８２】
その上、回線設定を実施し各情報が通知されるときに、各ノードは、どのようなタイミングで、データリンク上のデータが変化するのかを認識できない。従って、各ノードは、スケルチテーブルの変更が完了していない旨を認識できるようにし、切り替えによって起こりうるミスコネクトを事前に防止する必要がある。ここで、データリンク内に複数の情報を通知することになると、各ノードは、いつデータリンクの変更が完了したかを認識することができない。
【００８３】
また、さらに、各ノードは、データリンクを構築している途中で障害が発生したときに、あるノードから先にデータリンクが伝送されていないことを知ることもできない。従って、各ノードは、正常に全てのノードでデータリンクが受信され、スケルチテーブルが構築されているかを認識できない。
このため、次のような６つの課題が生ずる。まず、最初に、ＤＣＰ接続，ＤＴＰ接続において、各ノードが、スケルチテーブル及びＲＩＰテーブルを構築し、クロスコネクト設定を実施すると、データリンクの値が常に変化する。この場合、末端ノードにおいても、自ノードのノードＩＤを使用しないでスケルチテーブルを構築しなければならないことがあり、末端ノードは、データリンク完了と判断して良いか否かを明確に判断できず、また、予備帯域を含めてデータ構築を行なわなければならない。従って、現状の方法では、各ノードは、予備帯域の設定状態を通知することができないという課題がある。
【００８４】
また、第２に、これらのＲＩＰテーブルとスケルチテーブルとは極めてその性格が似たテーブルである一方で、互換性がない。これらの光伝送装置のハードウェアは、スケルチテーブルを構築するために作られており、情報量が多いＲＩＰテーブルの構築には向いていないが、リング伝送システムにおいて新規装置が従来装置と接続されることがあるので、ハードウェアを新たに作り直すことは出来ないという課題がある。
【００８５】
また、第３に、セカンダリノードに対して、２ノード以上の情報を通知するにも４ビットで表現できる値の中に意味をもたない値がデータリンク上になく、変化する情報の中でどれが何を示す値なのかを通知することができず、使用者がＳＴＳ回線毎に、各種の設定を行なわなければ、正常なシステム運用ができない。さらに、スケルチデータが完成するまでの間に、切り替えが発生した場合は、スケルチ動作が正常に動作し得ないので、警報が各ノードに通知されることによって、その旨を周知させる必要がある。この場合でも、各ノードは、いつスケルチテーブル及びＲＩＰテーブルが完成したかを認識できないので、警報の発生、解除を通知することが出来ないという課題がある。
【００８６】
さらに、第４に、複雑な操作によって、システムの構築を実施するため、光伝送装置を正常に動作させるために数多くの設定が必要となり、使用が困難な光伝送装置となってしまい、また、データリンクの情報量を変えて、対策を実施する場合は、現状出荷している光伝送装置のハードウェアの改造が必須となり、運用されている光伝送装置のハードウェアを入れ替える作業が発生するという課題が発生する。
【００８７】
加えて、次の第５の課題と第６の課題とがある。
すなわち、図７５に示す回線救済制御において、障害が発生すると、光信号は余計なパスを通過するので、光信号の伝送遅延をもたらし、かつ、光信号の劣化を引き起こす。従って、光信号の劣化は、中継装置の設置数を増加させなければならず、コストが上昇する。このため、最短距離でループバックできる機能を具備した装置の開発が、要望されているが、図７７に示すリング２−ノード３は、リング２−ノード４から予備回線を経由してきた光信号を、リングスイッチの切り替えにより選択している。このため、リング３−ノード３（プライマリノード），リング２−ノード１（プライマリノード），リング２−ノード２を介して受信した光信号は、まったく選択されず、品質の高い光信号を受信できない。
【００８８】
さらに、図７８，図７９はいずれもリングスイッチ機能がないネットワークにて障害が発生した場合の説明図であり、この図７８に示すリング２−ノード１とリング２−ノード６との間において障害が発生している。
ここで、リング２−ノード６において、リング３−ノード４からの光信号は、リングブリッジされ、この光信号は予備回線を通過して、障害検出ノードであるリング２−ノード１にてリングスイッチされる。そして、リング２−ノード１にてサービスセレクタ制御され、光信号はリング２−ノード２に戻り、リング２−ノード３からリング１−ノード１へドロップされる。ここで、リング２−ノード３において、リング２−ノード２から受信した光信号が無条件に選択されて、リング１−ノード１に転送されている。
【００８９】
しかしながら、第５に、このように障害検出ノード（リング２−ノード１）にてループバックが行なわれると、リング２−ノード４からリング２−ノード１までの予備回線にて余計なパスを通過し、光信号の品質が低いという課題がある。
また、図７９において、障害がリング２−ノード４とリング１−ノード６との間にて発生すると、リング２−ノード４にて最短距離でドロップされていた光信号は、そのパスを失う。従って、リング２−ノード４から、光信号が出力され、その光信号はリング２の予備回線をほぼ一周し、そして、リング２−ノード１にてループバックされてから、リング２−ノード３からリング１−ノード１にドロップされる。従って、第６に、やはり、回線救済のために、余計なパスを通過しているという課題がある。
【００９０】
本発明は、このような課題に鑑み創案されたもので、時分割多重された光信号が双方向に伝送しうるリング伝送システムにおいて、複数の箇所で伝送経路の切り替えが行なわれた際に、スケルチを正常に行なうためのスケルチテーブルの構築と、各ノードがＤＣＰ接続又はＤＴＰ接続を認識するのに必要なＲＩＰテーブルの構築とが、データリンクの設定が行なわれるのと同時に、自動的に、かつ、最小限の設定により行なわれるようにして、リング伝送システムが正常動作することを第１の目的とする。
【００９１】
また、本発明は、既存のハードウェアを用いてスケルチテーブルを高速に作成して、効率的な情報伝送を可能とするとともに、スケルチテーブルに比べて情報量が多いＲＩＰテーブルの構築が効率よく行なわれることを第２の目的とする。
さらに、本発明は、データリンクを構成する時でも現状のデータリンクが有する情報量のままで設定項目を増加させずに、上記のテーブル構築がなされるまでの警報発生が自動的に行なわれることを第３の目的とする。
【００９２】
加えて、本発明は、各ノードが、それぞれ、パス管理を一元的にできる回線接続テーブルを設けることにより、ＲＩＰ機能と、現用回線及び予備回線とを最短距離でループバックさせる機能とを発揮し、また、対向ノードが使用している回線種別及びリング間接続形態を認識できるようにし、これにより、回線利用効率、回線障害救済率を向上させて、アド又はドロップしているターミナルノードにてループバックが行なえるとともに、４ノードのみならず、３ノード及び２ノードで構成されるリングが相互に接続できるようにすることを第４の目的とする。
【００９３】
併せて、本発明は、特別な回線障害が発生した場合（以下、特例と称することがある）には、特殊な光信号の救済を制御するとともに、リング・インターコネクションを行なうことを第５の目的とする。
【課題を解決するための手段】
【００９４】
このため、本発明のリング伝送システム用光伝送装置は、双方向リング伝送路を介して複数の光伝送装置が相互に接続された伝送リングにおける、リング伝送システム用光伝送装置であって、双方向リング伝送路に接続され、伝送リングと伝送リングに接続された他の伝送リングとの間の接続形態を認識する接続形態認識手段と、接続形態認識手段に接続され、障害が発生した区間を検出する障害区間検出手段と、接続形態認識手段と前記障害区間検出手段とに接続され、前記接続形態と前記区間とに基づいて伝送経路を切り替えするループバック切り替え制御手段とをそなえて構成されたことを特徴としている。
【００９５】
さらに、前記接続形態認識手段が、双方向リング伝送路に接続され光信号をアド／ドロップする終端光伝送装置に関する情報と、終端光伝送装置の接続形態に関する接続形態情報と、現用回線／予備回線種別を示す回線種別情報とを一元的に認識するように構成されてもよい。
また、前記接続形態認識手段が、伝送リングに接続された終端光伝送装置のうち少なくとも２基が、それぞれ、現用回線／予備回線の両方を用いて光信号を伝送続行するディーティーピー接続であることを認識するように構成されてもよい。
【００９６】
さらに、前記ループバック切り替え制御手段に接続され、双方向リング伝送路において、一方向からの第１光信号と、他の方向からの第２光信号とのうちの品質のよい方を選択するパス切り替え手段をそなえて構成されてもよい。
また、本発明のリング伝送システム用光伝送方法は、双方向リング伝送路を介して複数の光伝送装置が相互に接続された伝送リングにおける、リング伝送システム用光伝送方法であって、伝送リングと伝送リングに接続された他の伝送リングとの間の接続形態を認識する接続形態認識ステップと、接続形態認識ステップにて認識された接続形態に基づき障害が発生した区間を検出する障害区間検出ステップと、接続形態認識ステップにて認識された接続形態と障害区間検出ステップにて検出された区間とに基づき、光信号の伝送リングにおけるループバック距離を最小にすべく、伝送経路を切り替えするループバック切り替え制御ステップとをそなえて構成されたことを特徴としている。
【発明の効果】
【００９７】
本発明によれば、以下の少なくともいずれか１つの効果ないし利点が得られる。
本発明のリング伝送システム用光伝送装置によれば、双方向リング伝送路に接続され、伝送リングとこの伝送リングに接続された他の伝送リングとの間の接続形態を認識する接続形態認識手段と、接続形態認識手段に接続され、障害が発生した区間を検出する障害区間検出手段と、接続形態認識手段と障害区間検出手段とに接続され、接続形態と区間とに基づいて伝送パスを切り替えするループバック切り替え制御手段とをそなえて構成されているので、回線使用率が向上し、回線障害救済率が向上する利点がある。例えば、図２５に示すように、リング２−ノード３が、リング２−ノード２から受信した光信号と、リング２−ノード４からの光信号とのうちの品質の良い方の光信号を選択して、リング１−ノード１に転送し、光信号の品質が向上する利点がある。
【００９８】
また、その接続形態認識手段は、双方向リング伝送路に接続され光信号をアド／ドロップする終端光伝送装置に関する情報と、終端光伝送装置の接続形態に関する接続形態情報と、現用回線／予備回線種別を示す回線種別情報とを一元的に認識しうるように構成されてもよく、あるいは、伝送リングに接続された終端光伝送装置のうち少なくとも２基が、それぞれ、現用回線／予備回線の両方を用いて光信号を伝送続行するディーティーピー接続であることを認識するように構成されてもよく、このようにすれば、ＲＩＰテーブルによるＲＩＰ機能と最短距離でのループバック制御機能とがそれぞれ発揮され、対向ノードの使用する現用回線／予備回線に関する情報を得ることができ、従って、障害発生時の回線救済効率が向上する利点がある。
【００９９】
さらに、上記ループバック切り替え制御手段に接続され、双方向リング伝送路において、一方向からの第１光信号と、他の方向からの第２光信号とのうちの品質のよい方を選択するパス切り替え手段をそなえて構成することもでき、このようにすれば、特別な回線障害が発生した場合にも光信号の救済を制御できる。
加えて、本発明のリング伝送システム用光伝送方法は、伝送リングとこの伝送リングに接続された他の伝送リングとの間の接続形態を認識する接続形態認識ステップと、接続形態認識ステップにて認識された接続形態に基づき障害が発生した区間を検出する障害区間検出ステップと、接続形態認識ステップにて認識された接続形態と障害区間検出ステップにて検出された区間とに基づき、光信号の伝送リングにおけるループバック距離を最小にすべく、伝送パスを切り替えするループバック切り替え制御ステップとをそなえて構成されているので、４ノード間の回線接続のみならず、３ノード間の回線接続及び２ノード間の回線接続ができる利点がある。
【０１００】
そして、本発明に関連する技術のリング伝送システム用光伝送装置によれば、クロスコネクト情報とリング状に接続された光伝送装置の並び順を一意的に表示するトポロジー情報とを読み出すデータリンク読み出し手段と、データリンク読み出し手段にて読み出されたトポロジー情報を用いて、トポロジーを生成するトポロジー生成手段と、トポロジー生成手段にて生成されたトポロジーに基づき、データリンクチャネルのクロスコネクト情報に、複数の光伝送装置のそれぞれが有する固有の絶対ノード識別番号と、他ノードの絶対ノード識別番号とトポロジーとを関連させて付された相対ノード識別番号とを、データリンクチャネルのクロスコネクト情報に書き込むデータリンク書き込み手段と、データリンクチャネルに書き込まれたクロスコネクト情報を保持するスケルチテーブルを生成するスケルチテーブル生成手段とをそなえて構成されているので、既存のハードウェアを改造することなく、ＤＣＰ接続構成又はＤＴＰ接続構成の場合に、回線設定を行なえて、正常にスケルチテーブルやリップテーブルの構築が行なえる利点がある。また、スケルチテーブルが構築されるときまで、各光伝送装置にはスケルチテーブルが構築されていないことが通知されるので、ミスコネクトが発生する可能性を減少させることが可能となる。
【０１０１】
また、本発明に関連する技術のリング伝送システム用光伝送装置は、データリンクチャネルのクロスコネクト情報とリング状に接続された光伝送装置の並び順を一意的に表示するトポロジー情報とを読み出すデータリンク読み出し手段と、データリンク読み出し手段にて読み出されたトポロジー情報を用いて、トポロジーを生成するトポロジー生成手段と、トポロジー生成手段にて生成されたトポロジーに基づき、データリンクチャネルのクロスコネクト情報に、複数の光伝送装置のそれぞれが有する固有の絶対ノード識別番号と、他ノードの絶対ノード識別番号とトポロジーとを関連させて付された相対ノード識別番号とを、書き込むデータリンク書き込み手段と、データリンクチャネルに書き込まれたクロスコネクト情報を保持するスケルチテーブルを生成するスケルチテーブル生成手段と、第１のリング伝送路から第２のリング伝送路に光信号を送信するプライマリノードを示す識別番号と、プライマリノードに隣接して光信号を送受信するセカンダリノードを示すセカンダリノード識別番号と、ドロップノード識別番号とを保持するリップテーブルを、クロスコネクト情報に基づいて現用回線及び予備回線毎に生成するリップテーブル生成手段と、データリンク読み出し手段が読み出したクロスコネクト情報の相対ノード識別番号により、自ノードがプライマリノードであるかセカンダリノードであるかを認識しうるノード認識手段とをそなえて構成されているので、セカンダリノードとして機能する光伝送装置に対して、各種の情報が、自動的に送信されるとともに、現用回線にクロスコネクトしているノードに対して、ＤＣＰ接続及びＤＴＰ接続の態様を各回線毎に自動的に判断できる利点がある。
【０１０２】
さらに、上記のデータリンク書き込み手段は、自ノードがアドノードである場合は自ノードの絶対ノード識別番号をデータリンクチャネルのアドノード識別番号に設定し、自ノードがドロップノードである場合はデータリンクチャネルのドロップノード識別番号をアドノード識別番号に対応する自ノードの相対ノード識別番号に設定するように構成されてもよく、また、相対ノード識別番号が零以外のデータを使用してノード認識手段が、零データの有無を認識することにより、クロスコネクト情報の設定が完了したことを判定するように構成されてもよく、このようにすれば、ハードウェアを改造し、データリンクの情報量を増加させる必要がなくなるとともに、製品の汎用性を向上させられる利点がある。
【０１０３】
そして、上記のノード認識手段は、ＤＣＰ接続か、若しくは、ＤＴＰ接続かを、スケルチテーブルに書き込まれた情報により判定しうる付加情報判定手段１２ｄをそなえて構成されてもよく、また、この付加情報判定手段が、プライマリノード識別番号からみた自ノードを示す自ノード識別番号の方向が、トポロジーが表示するノードの並び順と同一方向か逆方向かにより、ＤＣＰ接続又はＤＴＰ接続であるかを判定するように構成されてもよく、このようにすれば、セカンダリノードに対する設定が、回線設定を行なうことによって、自動的に通知されるとともに、セカンダリノードであることも同時に通知されるため、セカンダリノードは、特別な設定を一切する必要がなくなることで、各操作を簡潔化でき、システムとして、より正常に動作させることが簡単になり、信頼性の向上と、マンマシンインターフェースの簡略化を向上させることができる利点がある。
【０１０４】
そして、本発明に関連する技術のリング伝送システム用光伝送方法は、トポロジー情報が読み出され、そのトポロジー情報を用いてトポロジーが生成され、データリンクチャネルのクロスコネクト情報に、複数のノードの絶対ノード識別番号と他ノードの絶対ノード識別番号と相対ノード識別番号とが書き込まれ、スケルチテーブルが生成されるので、このようにすれば、スケルチテーブルとリップテーブルとが、データリンクの設定と同時かつ自動的に行なわれ、また、最小限の設定により正常動作させることができる利点がある。
【０１０５】
また、本発明に関連する技術のリング伝送システム用光伝送方法は、ＤＣＰ接続又はＤＴＰ接続構成において、プライマリノード識別番号と、セカンダリノード識別番号と、ドロップノード識別番号とを保持するリップテーブルが、クロスコネクト情報に基づいて現用回線及び予備回線毎に生成され、その相対ノード識別番号により自ノードがプライマリノードであるかセカンダリノードであるかが認識されるので、このようにすれば、多量の設定項目が存在しても、設定項目を少なくしたまま、簡易に、光伝送装置の設定を行なえる利点があり、また、スケルチテーブルが、既存のハードウェアで高速に生成され、効率的な情報伝送が可能となる利点がある。
【０１０６】
加えて、上記のデータリンク書き込みは、相対ノード識別番号が零以外のデータを使用するように構成されたり、零データの有無を認識することにより、クロスコネクト情報の設定が完了したことを判定するように構成されてもよく、このようにすれば、現状のデータリンクが有する情報量のまま、その設定項目を増加させずにデータリンクを構築できる利点がある。また、セカンダリノードが、スケルチテーブルが構築されるまでに、ＡＩＳを自動的に送信するので、回線の安全性を高められる利点がある。
【発明を実施するための最良の形態】
【０１０７】
以下、図面を参照して本発明あるいは本発明に関連するものの実施の形態を説明する。
（Ａ）第１実施形態の説明
図１は、本発明に関連する技術の実施形態（説明の流れ上、この実施形態を第１実施形態と称する）に係るリング伝送システムの模式図である。この図１に示すリング伝送システム１０は、光信号をアドするノードを表すアドノード識別番号（アドノードＩＤ）と光信号をドロップするノードを表すドロップノード識別番号（ドロップノードＩＤ）とを表示するクロスコネクト情報が書き込まれたデータリンクチャネル（データリンク）をそなえた伝送路を介して、６基のリング伝送システム用光伝送装置（以下、単に光伝送装置と称することがある）１０ａ，１０ｂ，１０ｃ，１０ｄ，１０ｅ，１０ｆが相互に接続されて構成されている。この伝送路は、光ファイバであって、光ファイバを介して、これらの光伝送装置１０ａ，１０ｂ，１０ｃ，１０ｄ，１０ｅ，１０ｆの間を、光信号が伝送し、また、これらの光伝送装置１０ａ，１０ｂ，１０ｃ，１０ｄ，１０ｅ，１０ｆは、それぞれ、双方向リング伝送路に使用されるようになっている。
【０１０８】
図２は、第１実施形態に係るデータリンクのフォーマットを示す図である。この図２に示すデータリンク１は、アドノードのＩＤとドロップノードのＩＤとが、それぞれ、書き込まれたものであって、Sourceと表示された領域（以下、ソースノードＩＤ部と称する）と、Destinationと表示された領域（以下、デスティネーションノードＩＤ部と称する）とを有する。そして、アドノードのＩＤはソースノードＩＤ部に書き込まれ、ドロップノードのＩＤはデスティネーションノードＩＤ部に書き込まれる。ここで、ソースノードＩＤ部と、デスティネーションノードＩＤ部とは、それぞれ、４ビットづつが割り当てられている。
【０１０９】
さらに、データリンク１は、イースト（Ｅａｓｔ）側とウエスト（Ｗｅｓｔ）側とを有する。これらイースト側とウエスト側とは、それぞれ、光伝送装置１０ａの両側に対応する。また、イースト側とウエスト側とにそれぞれ、Ｅ→Ｗ方向とＷ→Ｅ方向とを別々に有し、そして、Ｅ→Ｗ方向とＷ→Ｅ方向とに対して、それぞれ、送信データと受信データとを有する。これらの送信及び受信に関する情報は、１バイトのデータにより管理されている。
【０１１０】
また、このリング伝送システム１０（図１参照）は、ＳＯＮＥＴを基にした光信号の伝送を行なっており、以下の説明は、ＳＯＮＥＴを基礎として記述する。具体的には、ＯＣ４８が用いられ、４８回線の光信号が、光時分割多重されている。そして、このリング伝送システム１０は、４ファイバＢＬＳＲ構成であり、１本の光ファイバが現用回線に割り当てられるとともに、もう１本が予備回線に割り当てられている。この４ファイバＢＬＳＲ構成により、現用回線が大幅に確保され、現用回線の帯域がより有効に利用できるようになり、また、２ファイバＢＬＳＲ構成よりも、複雑な回線設定や回線切り替えが行なえるようになる。
【０１１１】
なお、以下の説明では、リング接続の形態に関し、光伝送装置のことをノードと称することがあるが、これらは同一のものである。また、以下の説明中では、他ノードとは、他のノードを意味し、自ノードとは、自局のノードを意味する。
図３は、第１実施形態に係る光伝送装置１０ａの構成図である。また、リング伝送システム１０における他の５基の光伝送装置１０ｂ，１０ｃ，１０ｄ，１０ｅ，１０ｆも、それぞれ、同様な構成となっている。さらに、後述する光伝送装置２０ａ，２０ｂ，２０ｃ，２０ｄ，２０ｅ，２１ａ，２１ｂ，２１ｃ，２１ｄ，２１ｅ及び３０ａ，３０ｂ，３０ｃ，３０ｄ，３０ｅ，３１ａ，３１ｂ，３１ｃ，３１ｄ，３１ｅも同様な構成である。
【０１１２】
この図３に示す光伝送装置１０ａは、データリンク読み出し手段１１ａと、トポロジー生成手段１１ｂと、データリンク書き込み手段１１ｃと、スケルチテーブル生成手段１１ｄと、スケルチテーブル１１ｅと、ＲＩＰテーブル生成手段１２ａと、ＲＩＰテーブル１２ｂと、ノード認識手段１２ｃと、イースト側受信部１３ａ，イースト側送信部１３ｂと、ウエスト側送信部１４ａ，ウエスト側受信部１４ｂとをそなえて構成されている。
【０１１３】
ここで、データリンク読み出し手段１１ａは、クロスコネクト情報とリング状に接続された光伝送装置の並び順を一意的に表示するトポロジー情報とを読み出すものである。このクロスコネクト情報とは、アドノードを示すアドノードＩＤと光信号をドロップするドロップノードを示すドロップノードＩＤとを有する情報であって、データリンクにて伝送されている。さらに、上記のデータリンクには、クロスコネクト情報とは別のトポロジー用のデータリンクが存在し、そのデータリンクにてトポロジー情報が伝送されている。
【０１１４】
また、トポロジー生成手段１１ｂは、データリンク読み出し手段１１ａにて読み出されたクロスコネクト情報とトポロジー情報とを用いて、リング状に接続された光伝送装置１０ａ，１０ｂ，１０ｃ，１０ｄ，１０ｅ，１０ｆの並び順を一意的に表示するトポロジーを生成するものである。
さらに、データリンク書き込み手段１１ｃは、トポロジー生成手段２０ｄにて生成されたトポロジーに基づき、データリンクのクロスコネクト情報に、６基の光伝送装置１０ａ，１０ｂ，１０ｃ，１０ｄ，１０ｅ，１０ｆのそれぞれが有する固有の絶対ノードＩＤと、他ノードの絶対ノードＩＤとトポロジーとを関連させて付された相対ノードＩＤとを、データリンクのクロスコネクト情報に書き込むものである。そして、このデータリンク書き込み手段１１ｃは、自ノードがアドノードである場合は自ノードの絶対ノードＩＤをデータリンクのアドノードＩＤに設定し、自ノードがドロップノードである場合はデータリンクのドロップノードＩＤをアドノードＩＤに対応する自ノードの相対ノードＩＤに設定するようになっている。
【０１１５】
さらに、スケルチテーブル生成手段１１ｄは、スケルチテーブル１１ｅを生成するものである。このスケルチテーブル１１ｅは、データリンクに書き込まれたクロスコネクト情報を保持するものであり、例えばハードウェアにより、実現されている。また、このスケルチテーブル生成手段１１ｄは、リング伝送システム１０の光伝送装置の間で同一のスケルチテーブルを生成するようになっている。
【０１１６】
さらに、イースト側受信部１３ａは、光伝送装置１０ａが受信したデータリンクの内容を保持するバッファであり、光伝送装置１０ａのイースト側に設けられている。そして、イースト側送信部１３ｂは、光伝送装置１０ａが送信するデータリンクの内容を保持するバッファであり、光伝送装置１０ａのイースト側に設けられている。
加えて、ウエスト側送信部１４ａは、光伝送装置１０ａが送信するデータリンクの内容を保持するバッファであり、光伝送装置１０ａのウエスト側に設けられている。そして、ウエスト側受信部１４ｂは、光伝送装置１０ａが受信したデータリンクの内容を保持するバッファであり、光伝送装置１０ａのウエスト側に設けられている。
【０１１７】
これにより、このリング伝送システム用光伝送方法は、次のようになる。すなわち、上記の各ノードのそれぞれにおいて、クロスコネクト情報とリング状に接続されたノードの並び順を一意的に表示するトポロジー情報とが読み出され（データリンク読み出しステップ）、データリンク読み出しステップにて読み出されたトポロジー情報を用いて、トポロジーが生成される（トポロジー生成ステップ）。
【０１１８】
そして、このトポロジー生成ステップにて生成されたトポロジーに基づき、データリンクのクロスコネクト情報に、複数のノードのそれぞれが有する固有の絶対ノードＩＤと、他ノードの絶対ノードＩＤとトポロジーとを関連させて付された相対ノードＩＤとが書き込まれる（データリンク書き込みステップ）。また、このデータリンク書き込みステップが、相対ノードＩＤが零以外のデータを使用するようになっている。続いて、データリンクに書き込まれたクロスコネクト情報を保持するスケルチテーブルが生成されるのである（スケルチテーブル生成ステップ）。
【０１１９】
これらの機能は、ソフトウェア又はハードウェアにより実現される。また、光伝送装置１０ａの他の構成部材については、その説明を省略する。なお、この図３に示すＲＩＰテーブル生成手段１２ａ，ＲＩＰテーブル１２ｂ，ノード認識手段１２ｃは、それぞれ、ＤＣＰ接続及びＤＴＰ接続に関するものであるため、ＤＣＰ接続及びＤＴＰ接続の説明とともに後述する。
【０１２０】
次に、図４（ａ）〜（ｃ）を用いて、トポロジーと相対ノードＩＤとの関係を説明する。図４（ａ）は、リング伝送システム１０の光伝送装置１０ａ，１０ｂ，１０ｃ，１０ｄ，１０ｅ，１０ｆに付された絶対ノードＩＤの一例を示す図であり、光伝送装置１０ａ，１０ｂ，１０ｃ，１０ｄ，１０ｅは、それぞれ、ノードＩＤとして、１，３，５，６，８，２が付されている。
【０１２１】
また、図４（ｂ）は、ノードＩＤとトポロジーテーブルとの関係を示す図である。この図４（ｂ）に示すトポロジーは、自ノードを先頭とし、時計回りの方向に沿って設けられた光伝送装置のノードＩＤが並べられている。例えば、光伝送装置１０ａ（ノードＩＤは１）が有するトポロジーは、１，３，５，６，８，２である。
さらに、図４（ｃ）は、トポロジーテーブルと相対ノードＩＤとの関係を示す図であり、各列のノード（Node1, Node3, Node5, Node6, Node8, Node2）が認識するノードが、相対ノードＩＤの値により示されている。この相対ノードＩＤは、自ノードを"０"とし、"１"から順番に、時計回り方向に付されており、この相対ノードＩＤは、絶対ノードＩＤとは異なり、番号が欠落することなく、詰めてナンバリングされる。例えば、光伝送装置１０ｂ（ノードＩＤが３）にとっての相対ノードＩＤとノードとの関係は、次のようになる。すなわち、相対ノードＩＤ０は絶対ノードＩＤ３を示し、同様に、相対ノードＩＤ１，２，３，４，５は、それぞれ、５，６，８，２，１を示す。
【０１２２】
従って、その相対ノードＩＤが示す光伝送装置は、各光伝送装置１０ａ，１０ｂ，１０ｃ，１０ｄ，１０ｅ，１０ｆ間で異なっており、また、この相対ノードＩＤ"０"は、自ノードを示すので、データリンクには、"０"値が書き込まれることがなくなる。換言すれば、この"０"データに特別な意味をもたせることにより、"０"値がある場合には、各光伝送装置１０ａ，１０ｂ，１０ｃ，１０ｄ，１０ｅは、それぞれ、そのノードは使用されていないと判定できるようになる。
【０１２３】
ここで、全てのノードが相対ノードＩＤを使用すると、各ノードにおける相対ノードＩＤが示すノードが何処を示しているのかについては、各ノードＩＤによって、認識が異なる。従って、相対ノードＩＤを定義する基準として、ドロップクロスコネクトされたノードは、アドクロスコネクトされたノードが設定した絶対ノードＩＤからみた相対ノードＩＤを設定するようにする。
【０１２４】
次に、この光伝送装置は、ノードとして、４ファイバＢＬＳＲで実施されるクロスコネクトの８種類のパターンを有し、各パターンについて図５（ａ）から図７（ｂ）を用いて説明する。
図５（ａ）は現用回線のドロップのみを行なうノードの模式図であり、このノード４２ａは、受信したデータリンクのソースノードＩＤ部からみた、自ノードの相対ノードＩＤを、現用回線用の送信部（イースト側送信部１３ｂ又はウエスト側送信部１４ａ）のデスティネーションノードＩＤに入れる。そして、この相対ノードＩＤが書き込まれたデータが、送信されるのである。
【０１２５】
図５（ｂ）は現用回線のアドのみを行なうノードの模式図であり、このノード４２ｂは、自ノードの絶対ノードＩＤを、現用回線用の送信部（イースト側送信部１３ｂ又はウエスト側送信部１４ａ）に入れる。
図５（ｃ）は予備回線のドロップのみを行なうノードの模式図である。このノード４２ｃは、受信したデスティネーションノードＩＤが"０"以外の時は、受信したソースノードＩＤからみた自ノードの相対ノードＩＤを、予備回線用の送信部（イースト側送信部１３ｂ又はウエスト側送信部１４ａ）に入れる。そして、このノード４２ｃは、追加情報がある場合には、予備回線用の送信部（イースト側送信部１３ｂ又はウエスト側送信部１４ａ）のソースノードＩＤ部に、"１（要求フラグ）"を入れることによって、他のノードは、受け入れ完了を認識できるようにしている。
【０１２６】
図５（ｄ）は予備回線のアドのみを行なうノードの模式図である。このノード４２ｄは、自ノードの絶対ノードＩＤを、予備回線用の送信部（イースト側送信部１３ｂ又はウエスト側送信部１４ａ）に入れる。そして、このノードは、受信したデスティネーションノードＩＤが"０"以外の時は、予備回線用の送信部（イースト側送信部１３ｂ又はウエスト側送信部１４ａ）に"１（要求フラグ）"を入れる。従って、受信したデスティネーションノードＩＤが"０"又は"１"であるかにより、このノードは、追加情報がある場合に、その受け入れが完了したことを認識できるようになっている。
【０１２７】
図６（ａ）は、２方向からの光信号を選択してアドするノードの模式図であって、このノード４２ｅは、予備回線から入力された光信号と外部からの光信号（ＡＤＤ信号）とを受信して、品質の良い方の光信号を、サービスセレクタＳＳで選択して現用回線へアドするようになっている。このノード４２ｅは、予備回線で受信したソースノードＩＤを、現用回線用の送信部（イースト側送信部１３ｂ又はウエスト側送信部１４ａ）のソースノードＩＤ部に入れる。そして、このノード４２ｅは、現用回線で受信したデスティネーションノードＩＤが、"０"以外であれば、予備回線で受信したソースノードＩＤからみた自ノードの相対ノードＩＤを、予備回線用の送信部（イースト側送信部１３ｂ又はウエスト側送信部１４ａ）のソースノードＩＤ部に入れるのである。
【０１２８】
一方、このノード４２ｅは、現用回線で受信したデスティネーションノードＩＤが、"０"以外であれば、そのデスティネーションノードＩＤを、予備回線用の送信部（イースト側送信部１３ｂ又はウエスト側送信部１４ａ）のデスティネーションノードＩＤ部に入れ、同時に、予備回線用の受信部（イースト側受信部１３ａ又はウエスト側受信部１４ｂ）のソースノードＩＤからみた自ノードの相対ノードＩＤを予備回線用の送信部（イースト側送信部１３ｂ又はウエスト側送信部１４ａ）のソースノードＩＤ部に入れる。さらに、このノード４２ｅは、予備回線で受信したデスティネーションノードＩＤが"１"であり、また、現用回線で受信したソースノードＩＤが、"０"以外であれば、現用回線で受信したソースノードＩＤを予備回線用の送信部（イースト側送信部１３ｂ又はウエスト側送信部１４ａ）のソースノードＩＤ部に入れる。
【０１２９】
ここで、このノード４２ｅは、光信号を振り分けるためのデータの乗せ替えを、サービスセレクタＳＳを用いて、次のように行なっている。すなわち、このノード４２ｅは、現用回線で伝送される複数のタイムスロットの中から１つのタイムスロットを受信し、そのタイムスロットの中身を現用回線の別のタイムスロットにコピーするとともに、同じ中身を予備回線のタイムスロットの１つにコピーすることによって、データの乗せ替えを行なっている。また、逆方向の乗せ替えも同様であって、ノード４２ｅは、他のノード（図示省略）が予備回線で送信したタイムスロットの中身と、他のノード（図示省略）が現用回線で送信したタイムスロットの中身とをそれぞれ受信し、それらの中身を現用回線のタイムスロットの１つにコピーして、データの乗せ替えを行なうのである。なお、このデータの乗せ替えについては、後述するＤＴＰ接続（図１１のノード３参照）においても、同様である。さらに、このサービスセレクタＳＳは、図６（ａ）以外の図にも表示されており、それらは、全て、上記のデータ乗せ替えを行なっている。
【０１３０】
図６（ｂ）は、１方向からの光信号を２方向に伝送するノードの模式図であって、このノード４２ｆは、現用回線からの光信号を受信し、その光信号をドロップするとともに予備回線に伝送する。このノード４２ｆは、現用回線で受信したソースノードＩＤを、予備回線用の送信部（イースト側送信部１３ｂ又はウエスト側送信部１４ａ）のソースノードＩＤ部に入れ、この受信ソースノードＩＤからみた自ノードの相対ノードＩＤを予備回線用の送信部（イースト側送信部１３ｂ又はウエスト側送信部１４ａ）のデスティネーションノードＩＤに入れる。また、このノード４２ｆは、予備回線で受信したデスティネーションノードＩＤが、"０"以外の場合は、現用回線用の送信部（イースト側送信部１３ｂ又はウエスト側送信部１４ａ）のデスティネーションノードＩＤに、予備回線で受信したデスティネーションノードＩＤを入れ、現用回線で受信したソースノードＩＤからみた自ノードの相対ノードＩＤを現用回線用の送信部（イースト側送信部１３ｂ又はウエスト側送信部１４ａ）のソースノードＩＤ部に入れる。
【０１３１】
図７（ａ）は、１方向からの光信号を２方向に伝送するノードの模式図であって、このノード４２ｇは、アドされた光信号を現用回線と予備回線とに送出する。このノード４２ｇは、現用回線用の送信部（イースト側送信部１３ｂ又はウエスト側送信部１４ａ）のソースノードＩＤ部に、自ノードの絶対ノードＩＤを入れ、そして、予備回線用の送信部（イースト側送信部１３ｂ又はウエスト側送信部１４ａ）のソースノードＩＤにも自ノードの絶対ノードＩＤを入れる。ここで、現用回線で受信したデスティネーションＩＤが"０"以外の場合は、このノード４２ｇは、予備回線用の送信部（イースト側送信部１３ｂ又はウエスト側送信部１４ａ）のデスティネーションノードＩＤ部に、現用回線で受信したデスティネーションノードＩＤを入れる。同様に、予備回線で受信したデスティネーションノードＩＤが"０"以外であれば、そのデータを、現用回線用の送信部（イースト側送信部１３ｂ又はウエスト側送信部１４ａ）のデスティネーションノードＩＤに入れる。
【０１３２】
図７（ｂ）は、２方向からの光信号を選択しドロップするノードの模式図であって、現用回線と予備回線とからの光信号は、それぞれ、スイッチＰＳＷ(Path Switch)により選択されてドロップされるようになっている。
また、このノード４２ｈは、現用回線で受信したソースノードＩＤからみた自ノードの相対ノードＩＤを、現用回線用の送信部（イースト側送信部１３ｂ又はウエスト側送信部１４ａ）のデスティネーションノードＩＤ部に入れる。さらに、このノード４２ｈは、予備回線で受信したソースノードＩＤを、現用回線で受信したソースノードＩＤからみた相対ノードＩＤに変換して現用回線用の送信部（イースト側送信部１３ｂ又はウエスト側送信部１４ａ）に入れる。加えて、このノード４２ｈは、予備回線で受信したソースノードＩＤからみた自ノードの相対ノードＩＤを、予備回線用の送信部（イースト側送信部１３ｂ又はウエスト側送信部１４ａ）のデスティネーションノードＩＤ部に入れる。さらに、現用回線で受信したソースノードＩＤを、予備回線で受信したソースノードＩＤからみた相対ノードＩＤに変換して予備回線用の送信部（イースト側送信部１３ｂ又はウエスト側送信部１４ａ）のソースノードＩＤ部に入れる。
【０１３３】
なお、このスイッチＰＳＷは、図７（ｂ）以外の図にも表示されており、それらは、全て、上記のデータの選択とドロップとを行なっている。
このように、ドロップノードは、デスティネーションノードＩＤに相対ノードＩＤを入れ、また、アドノードは、そのデータを受信し、デスティネーションノードＩＤが"０"以外であることを認識する。従って、アドノード及びドロップノードは、それぞれ、クロスコネクトの設定が完了したことを認識できるようになる。また、各ノードは、それぞれ、データリンクにおけるデータ送受信が完了したことを判断できるようになる。
【０１３４】
さらに、各ノードは、それぞれ、送信と受信とが同じデータでなくても、クロスコネクトの設定を認識できる。また、各ノードは、それぞれ、ソースノードＩＤ部とデスティネーションノードＩＤ部とにデータを入れる必要がなくなる。これにより、デスティネーションノードＩＤ部は、Ｅ→Ｗ方向及びＷ→Ｅ方向別に、４ビットの余裕を生じるため、各ノードは、それぞれ、この４ビットを使用して付加情報を通信できるようになる。
【０１３５】
次に、２個以上のリング伝送システムが接続された場合について、図８，９を用いてＤＣＰ接続を説明し、また、図１０，１１を用いてＤＴＰ接続を説明する。図８は、第１実施形態に係るＤＣＰ接続されたリング伝送システムの模式図であり、この図８に示すリング伝送システム２５は、第１のリング伝送システム２０と、第２のリング伝送システム２１とが結合したものであって、各リング伝送路内の相互のノードが結合することによって、これらのリング伝送路を光信号が伝送できるようになっている。また、この図８に示す実線は現用回線（Ｗｏｒｋと表示されたもの）を表し、点線は予備回線（ＰＴＣＴと表示されたもの）を表す。
【０１３６】
この第１のリング伝送システム２０は、アドノードＩＤとドロップノードＩＤとを表示するクロスコネクト情報が書き込まれたデータリンクを有する双方向リング伝送路を介して５基のリング伝送システム用光伝送装置（光伝送装置）２０ａ，２０ｂ，２０ｃ，２０ｄ，２０ｅが相互に接続されて構成されている。
ここで、光伝送装置２０ｄは、外部のノードから現用回線にて送信された光信号を受信し光信号を現用回線にて光伝送装置２０ｅに送信するとともに、光伝送装置２０ｅから現用回線にて送信された光信号を受信するものであって、第１アドドロップノードとして機能している。また、光伝送装置２０ｅは、光伝送装置２０ｄと光伝送装置２０ａとの間に設けられたものである。なお、これらの光伝送装置２０ａ，２０ｂ，２０ｃ，２０ｄ，２０ｅの近傍に付されたＥは、Ｅ→Ｗ方向を表し、また、Ｗは、Ｗ→Ｅ方向を表す。
【０１３７】
さらに、光伝送装置２０ａは、光伝送装置２０ｅが現用回線にて送信した光信号を受信し光信号を現用回線にて外部のリング伝送システム２１と第１のリング伝送システム２０の光伝送装置２０ｂとに送信するとともに、外部のリング伝送システム２１が現用回線にて送信した光信号と第１のリング伝送システム２０の光伝送装置２０ｂが予備回線にて送信した光信号とを受信し、受信した光信号のうちの一方を選択して現用回線にて光伝送装置２０ｅに送信するものであって、第１プライマリノードとして機能している。
【０１３８】
また、光伝送装置２０ｂは、光伝送装置２０ａと光伝送装置２０ｃとの間に設けられ、受信した光信号の内容を変更せずそのまま伝送方向の光伝送装置２０ａ（又は光伝送装置２０ｃ）に送信するものである。なお、以下の説明において、このような機能をスルー(through)するということがある。
さらに、光伝送装置２０ｃは、光伝送装置２０ａ（第１プライマリノード）が予備回線にて送信した光信号を受信しその光信号を予備回線にて外部のリング伝送システム２１に送信するとともに、外部のリング伝送システム２１が予備回線にて送信した光信号を受信しその光信号を予備回線にて光伝送装置２０ｄに送信するものであって、第１セカンダリノードとして機能している。
【０１３９】
これにより、光伝送装置２０ｄでアドされた光信号の経路は、次のようになる。すなわち、光伝送装置２０ｄにて光信号がアドされ、この光信号は、現用回線を伝送して光伝送装置２０ｅを通過し、さらに、光伝送装置２０ａにて、ドロップされるとともに、予備回線を伝送して光伝送装置２０ｂを通過し、光伝送装置２０ｃにてドロップされる。
逆方向も同様であって、光伝送装置２０ｃにて、第２のリング伝送システム２１から光信号がアドされ、その光信号は予備回線を伝送して光伝送装置２０ｂを通過し、また、光伝送装置２０ａにて、光伝送装置２０ｂからの光信号と第２のリング伝送システム２１から送信された光信号とのうち、品質の良い方が選択されて、その選択された光信号が現用回線に送信され、この現用回線を伝送する光信号は、光伝送装置２０ｄにてドロップされるのである。
【０１４０】
一方、第２のリング伝送システム２１は、そのデータリンクを有する双方向リング伝送路を介して５基の光伝送装置２１ａ，２１ｂ，２１ｃ，２１ｄ，２１ｅが相互に接続されて構成されている。
ここで、光伝送装置２１ｂは、第１のリング伝送システム２０の光伝送装置２０ｃが予備回線にて送信した光信号を受信して、光信号を予備回線にて第２のリング伝送システム２１に送信するものであり、第２セカンダリノードとして機能している。
【０１４１】
また、光伝送装置２１ａは、第１のリング伝送システム２０の光伝送装置２０ｃが送信した現用回線の光信号と光伝送装置２１ｂが送信した予備回線の光信号とを受信してその光信号を現用回線にて光伝送装置２１ｅに送信するとともに、光伝送装置２１ｅが現用回線で送信した光信号を受信しその光信号を第１のリング伝送システム２０の光伝送装置２０ａに送信しその光信号を光伝送装置２１ｂに送信するものであって、第２プライマリノードとして機能している。そして、光伝送装置２１ｅは、光伝送装置２１ａと光伝送装置２１ｄとの間に設けられ、スルーを行なうノードである。
【０１４２】
さらに、光伝送装置２１ｄは、外部のリング伝送システム（図示省略）から現用回線にて送信された光信号を受信しその光信号を現用回線にて光伝送装置２１ｅに送信するとともに、光伝送装置２１ｅが現用回線にて送信した光信号を受信しその光信号を現用回線にて外部のリング伝送システムに送信するものであって、第２アドドロップノードとして機能している。
【０１４３】
なお、光伝送装置２０ａ及び光伝送装置２１ａ内には、それぞれ、サービスセレクタＳＳが表示されており、また、ＤＣＰ接続を明示するために、ＤＣＰと表示されている。
これにより、光伝送装置２１ｂにて、第１のリング伝送システム２０からの光信号がアドされ、また、光伝送装置２１ａにて、第１のリング伝送システム２０からの光信号がアドされる。そして、この光伝送装置２１ａにて、これら２方向からの光信号のうち、品質の良い方が選択され、その選択された光信号は、現用回線を伝送する。また、その光信号は、光伝送装置２１ｅを通過し、光伝送装置２１ｄにて、外部のリング伝送システムにドロップされる。
【０１４４】
これとは逆に、光伝送装置２１ｄにてアドされた光信号は、光伝送装置２１ｅを通過し、光伝送装置２１ａにて、その光信号は、ドロップされて第１のリング伝送システム２０に送信されるとともに、予備回線を伝送し、光伝送装置２１ｂにて、光信号は予備回線で第１のリング伝送システム２０に送信される。
そして、第１のリング伝送システム２５の光伝送装置２０ａにて、光伝送装置２０ｃ，光伝送装置２０ｂをそれぞれ介して光伝送装置２１ｂから送信された光信号と、光伝送装置２１ａから直接送信された光信号とが比較される。ここで、これら２方向からの光信号のうち、品質の良い方が選択され、その選択された光信号は、現用回線を伝送し、光伝送装置２０ｅを通過し、光伝送装置２０ｄにて、外部のリング伝送システムにドロップされるのである。
【０１４５】
これらの光伝送装置２０ａ，２０ｂ，２０ｃ，２０ｄ，２０ｅと、２１ａ，２１ｂ，２１ｃ，２１ｄ，２１ｅとは、それぞれ、これら第１のリング伝送システム２０，第２のリング伝送システム２１のそれぞれに使用されるものであり、その詳細を、図３に示す。図３は第１実施形態に係る光伝送装置の構成図である。この図３に示す光伝送装置２０ａが有するＲＩＰテーブル生成手段１２ａは、ＲＩＰテーブル１２ｂをクロスコネクト情報に基づいて現用回線及び予備回線毎に生成するものである。また、ＲＩＰテーブル１２ｂは、第１のリング伝送路から第２のリング伝送路に光信号を送信するプライマリノードを示すプライマリノードＩＤと、光信号を送受信するセカンダリノードを示すセカンダリノードノードＩＤと、ドロップノードノードＩＤとを保持するようになっている。
【０１４６】
また、ノード認識手段１２ｃは、データリンク読み出し手段が読み出したクロスコネクト情報の相対ノードＩＤにより、自ノードがプライマリノードであるかセカンダリノードであるかを認識しうるものであって、付加情報判定手段１２ｄをそなえて構成されている。
この付加情報判定手段１２ｄは、第１のリング伝送システム２０又は第２のリング伝送システム２１の接続形態に関し、光信号がプライマリノードでドロップされるとともに光信号が予備回線にて伝送続行されるＤＣＰ接続か、若しくは、光信号が現用回線と予備回線との両方にて伝送続行されるＤＴＰ接続かを、スケルチテーブルに書き込まれた情報により判定しうるものである。
【０１４７】
そして、付加情報判定手段１２ｄは、プライマリノードＩＤからみた自ノードを示す自ノードＩＤの方向が、トポロジーが表示するノードの並び順と同一方向か逆方向かにより、第１のリング伝送システム２０及び第２のリング伝送システム２１が、ＤＣＰ接続又はＤＴＰ接続であるかを判定するようになっている。
そして、これにより、第１のリング伝送システム２０と、第２のリング伝送システム２１とで行なわれるリング伝送システム用光伝送方法は、次のようになる。すなわち、第１のリング伝送システム２０が、第１アドドロップノードと、第１プライマリノードと、第１セカンダリノードとをそなえて構成され、第２のリング伝送システム２１が、第２セカンダリノードと、第２プライマリノードと、第２アドドロップノードとをそなえて構成され、上記の各ノードのそれぞれにおいて、まず、データリンクのクロスコネクト情報とリング状に接続された光伝送装置の並び順を一意的に表示するトポロジー情報とが読み出され（データリンク読み出しステップ）、データリンク読み出しステップにて読み出されたトポロジー情報を用いて、トポロジーが生成される（トポロジー生成ステップ）。
【０１４８】
続けて、トポロジー生成ステップにて生成されたトポロジーに基づき、データリンクのクロスコネクト情報に、複数のノードのそれぞれが有する固有の絶対ノードＩＤと、他ノードの絶対ノードＩＤとトポロジーとを関連させて付された相対ノードＩＤとが書き込まれる（データリンク書き込みステップ）。また、このデータリンク書き込みステップが、相対ノードＩＤが零以外のデータを使用するようになっている。
【０１４９】
さらに、データリンクに書き込まれたクロスコネクト情報を保持するスケルチテーブルが生成され（スケルチテーブル生成ステップ）、第１のリング伝送路から第２のリング伝送路に光信号を送信するプライマリノードを示すＩＤと、プライマリノードに隣接して光信号を送受信するセカンダリノードを示すセカンダリノードＩＤと、ドロップノードＩＤとを保持するリップテーブルが、クロスコネクト情報に基づいて現用回線及び予備回線毎に生成されるのである（リップテーブル生成ステップ）。
【０１５０】
また、データリンク読み出しステップが読み出したクロスコネクト情報の相対ノードＩＤにより、自ノードがプライマリノードであるかセカンダリノードであるかが認識される（ノード認識ステップ）。
また、ノード認識ステップが、データリンクのドロップノードＩＤが書き込まれた領域の零データの有無を認識することにより、クロスコネクト情報の設定が完了したことを判定するようになっている。さらに、ノード認識ステップが、データリンクのドロップノードＩＤが書き込まれた領域の零データの有無を認識することにより、クロスコネクト情報の設定が完了したことを判定するようになっている。
【０１５１】
このように、各ノードが、それぞれ、４ファイバＢＬＳＲにおけるＤＣＰ接続及びＤＴＰ接続された場合において、予備回線をも含めた複雑なスケルチテーブルが構築される。また、各ノードは、それぞれ、各ノード毎にＲＩＰテーブルの構築が行なわれ、各ノードは、それぞれ、このＲＩＰテーブルの情報により、現用回線がどの区間で使用されているかを認識でき、自ノードがＤＣＰ接続あるいはＤＴＰ接続におけるセカンダリノードとして定義されているか否かを認識できるのである。従って、各ノードは、それぞれ、複雑な構成での切り替えに対応でき、回線毎の切り替えを管理できるようになる。
【０１５２】
さらに、このように、ＤＣＰ接続やＤＴＰ接続の場合に、リング伝送路に関係するノード数が増加しても、各ノードは、それぞれ、上述のスケルチテーブルに加えてクロスコネクト情報を認識できるようになる。
加えて、ＤＣＰ接続及びＤＴＰ接続におけるセカンダリノードは、それぞれ、障害が発生した区間により、回線切り替え動作を変更できるようになる。
【０１５３】
なお、これらの設定は、回線毎に行なわれ、使用者が設定する場合は、ＳＴＳ回線単位でかつ方向別になされるようにしている。
図９（ａ）はＤＣＰ接続形態を説明するための模式図である。ここで、実線は現用回線を表し、点線は予備回線を表す。そして、光伝送装置２０ａ（ノード３とも称する）は、光伝送装置２０ｅ（ノード１とも称する）が現用回線にて送信したデータを、現用回線にて外部にドロップするとともに、予備回線にて光伝送装置２０ｂ（ノード４とも称する）側に送信しており、データを乗せ替えている。なお、光伝送装置２０ｃと光伝送装置２０ｅとは接続されているが、その結線は、省略している。
【０１５４】
そして、図９（ｂ）はＤＣＰ接続における各ノードでのデータリンクの中身を示す図である。この図９（ｂ）は、図９（ａ）に示す各ノードに、それぞれ、対応したものであって、各ノードの真下に配置されている。
例えば、ノード３については、イースト側受信部１３ａ，イースト側送信部１３ｂ，ウエスト側送信部１４ａ，ウエスト側受信部１４ｂを有する。すなわち、ノード３は、Ｅ→Ｗ方向とＷ→Ｅ方向とを別々に有し、これらの方向毎に、それぞれ、送信データと受信データとを有する。ここで、送信及び受信に関する情報は、１バイトのデータにより管理されている。また、（１）と（３）とは、それぞれ、Ｅ→Ｗ方向に伝送するデータリンクの流れを示しており、（２）と（４）とは、それぞれ、Ｗ→Ｅ方向に伝送するデータリンクの流れを示している。換言すれば、Ｅ→Ｗ方向とＷ→Ｅ方向とは、それぞれ、２系統のデータリンクを伝送する回線を有するようになっている。さらに、ウエスト側から送信するデータリンクの内容は、ウエスト側送信部１４ａに格納され、ウエスト側で受信するデータリンクの内容は、ウエスト側受信部１４ｂに格納される。
【０１５５】
そして、データリンクの各方向（Ｅ→Ｗ方向,Ｗ→Ｅ方向）と、その中のソースノードＩＤとデスティネーションノードＩＤとの関係を、次のようにして決定する。すなわち、Ｅ→Ｗ方向のＷ方向（１）の流れにおいては、各ノードは、ソースノードＩＤ部に末端ノード、デスティネーションノードＩＤ部に中継ノードのＩＤを書き込み、また、Ｅ→Ｗ方向のＥ方向（３）の流れにおいては、各ノードは、ソースノードＩＤ部に中継ノード、デスティネーションノードＩＤ部に末端ノードを書き込む。ここで、中継ノードとは、ノード３のようなＤＣＰ接続を行なっているプライマリノードを意味する。
【０１５６】
さらに、Ｗ→Ｅ方向のＷ方向（２）の流れにおいては、各ノードは、ソースノードＩＤ部に中継ノードのＩＤを書き込み、デスティネーションノードＩＤ部に末端ノードを書き込む。加えて、Ｗ→Ｅ方向のＥ方向（４）の流れにおいては、各ノードは、ソースノードＩＤ部に末端ノードのＩＤを書き込み、デスティネーションノードＩＤ部に中継ノードを書き込む。
【０１５７】
各ノードは、それぞれ、プライマリノードと、末端ノードとの関係をトポロジーテーブルからみた並びの関係と比較することにより、中継ノードが末端ノードより内側にあるかどうかで（順方向か逆方向）、ＤＣＰ接続及びＤＴＰ接続の区別が行なえて、この方法を使用することによって、各ノードは、自動的に、ＤＣＰ接続かＤＴＰ接続かを区別して認識できるようになる。
【０１５８】
ここで、図９（ｂ）に示すノード５が受信するデータ１３ａは、ソースノードＩＤが１（絶対ノードＩＤ）であり、デスティネーションノードＩＤが２（相対ノードＩＤ）であり、デスティネーションノードＩＤが零データ以外のものであるので、自ノードがセカンダリノードであることを認識できる。また、ノード５は、（１）の流れの関係を適用して、末端ノードをソースノードＩＤからノード１（絶対ノードＩＤ）と認識し、また、プライマリノードをデスティネーションノードＩＤから３（絶対ノードＩＤ）と認識する。
【０１５９】
そして、ノード５は、自ノード（ノード５）と末端ノードとの間に、プライマリノードが存在することから、ＤＣＰ接続であることを認識できる。
従って、付加情報判定手段１２ｄは、プライマリノードＩＤ（"３"）からみた自ノードを示す自ノードＩＤ（"５"）の方向が、トポロジーが表示するノードの並び順（１，２，３，４，５）と同一方向（順方向）であるので、第１のリング伝送システム２０及び第２のリング伝送システム２１が、ＤＣＰ接続と判定していることになる。
【０１６０】
また、ノード５は、現用回線で使用されている区間が、ノード１とノード３との間であることから、ＲＩＰテーブル１２ｂを構築できて、セカンダリノードとして必要な情報を全て揃えることができるようになる。
さらに、ノード３で中継されてノード１でドロップされているので、Ｓに、中継ノードである３（相対ノードＩＤ）を入れ、Ｄに、末端ノードである１（相対ノードＩＤ）を入れてＷ→Ｅ方向に送信している。ここで、ノード５の相対ノードＩＤである１，３が示すノードは、それぞれ、アドしているノード５からノード５を０としてＥ→Ｗ方向に向かって１番目，３番目のノードであって、それぞれ、ノード１，ノード３になる。
【０１６１】
これにより、ノード３は、ウエスト側受信部１４ｂのＳが"５"と、ウエスト側送信部１４ａのＳが"３"とにより、ノード５からアドされていることを知るのである。
さらに、ノード１は、Ｅ→Ｗ方向のＷ方向（１）のソースノードＩＤを絶対ノードＩＤの"１"にし、デスティネーションＩＤを"０"にして送信している。同時にＥ→Ｗ方向のＥ方向（３）のソースノードＩＤが２（相対ノードＩＤ）で、デスティネーションノードＩＤが４（相対ノードＩＤ）を表す。ここで、デスティネーションノードＩＤは、末端ノードを示し、ソースノードＩＤが、中継ノードを示しており、これらは、それぞれ、相対ノードＩＤである。従って、ノード１は、中継ノードを、末端ノードよりも内側にあると判断でき（順方向）、接続形態をＤＣＰ接続と認識するのである。
【０１６２】
また、ノード１は、ＤＣＰ接続と認識した場合は、Ｅ→Ｗ方向のＷ方向（１）のソースノードＩＤ０と、Ｅ→Ｗ方向のＥ方向（３）のデスティネーションノードＩＤ４とによって、光信号がノード１でアドされ、ノード５でドロップされていることを認識する。さらに、ノード１は、Ｗ→Ｅ方向のＥ方向（４）のソースノードＩＤ５（絶対ノードＩＤ）と、Ｗ→Ｅ方向のＥ方向（４）のデスティネーションノードＩＤ３（ノード３にて予備回線から受信した５からみた自ノードの相対ノードＩＤ）とを受信している。加えて、ノード１は、Ｗ→Ｅ方向のＷ方向の（２）より、デスティネーションノードＩＤが１であり、ソースノードＩＤが０である。
【０１６３】
このように、各ノードは、スケルチテーブル１１ｅの構築を行なうことができ、また、このように、ドロップノードは、相対ノードＩＤを使用してデータリンクへデータを書き込むので、設定されたスケルチテーブル１１ｅは、相対ノードＩＤとして"０"データが入ることはない。逆に、相対ノードＩＤとして"０"データが入っていれば、回線設定がなされていない（未設定）と認識されるのである。
【０１６４】
そして、このようにして、返信用のデータを入れていた箇所に、特別な付加情報を入れることができ、ターミナルノード以外のノード情報を通知したり、フラグ部として使用することが可能となる。従って、ＤＣＰ接続及びＤＴＰ接続の時に、スケルチテーブル１１ｅの構築、ＲＩＰテーブルの構築及びセカンダリノードとしての動作を保証するための各情報の通知、加えて、ＤＣＰ接続及びＤＴＰ接続の区別を、各ノードがそれぞれ独自にかつ自動的に認識できるようになる。
【０１６５】
さらに、このようにして、各光伝送装置が、クロスコネクト設定を実施するので、各光伝送装置において、ＤＣＰ接続及びＤＴＰ接続としての動作が実施できるようになるともに、スケルチテーブル１１ｅ及びＲＩＰテーブルを自動的に構築することができ、さらに、各テーブルの作成完了を自動的に認識できるようになる。
また、セカンダリノード５においては、Ｗ方向のデータリンクのソースノードＩＤが"１"（絶対ノードＩＤ）を示し、デスティネーションノードＩＤが"２"（相対ノードＩＤ）を示していることから、デスティネーションノードＩＤ部に、"０"以外のデータが入っている。このことから、自ノードは、セカンダリノードであると認識でき、末端ノードがソースノードＩＤからノード１と認識し、デスティネーションノードＩＤから中継ノードがノード３と認識し、Ｅ→Ｗ方向と同様に、末端ノードより内側に中継ノードが存在することから（順方向）、ＤＣＰ接続であると認識することができ、現用回線の使用区間がノード１とノード３の間であると認識できる。これにより、ＲＩＰテーブルの構築を行なえ、セカンダリノードとして必要な情報が全て揃うのである。
【０１６６】
そして、このようにして、ノード１，ノード３間において、ＤＣＰ接続されたパスの両端のノードＩＤが、ソースノードＩＤ及びデスティネーションノードＩＤとして設定される。すなわち、スケルチテーブル１１ｅの設定が必要なノードは、現用回線が通過しているノード１，ノード３間だけであり、予備回線を使用しているノード４,ノード５間は、スケルチテーブル１１ｅは設定されない。さらに、セカンダリノードとして機能するノードは、必ず、予備回線を使用して、各光伝送装置間でのクロスコネクトを実施し、この予備回線にデータを入れることによって、各ノードは、セカンダリノードとして認識できるようになるとともに、セカンダリノードとして必要なＲＩＰテーブルを構築できるようになる。
【０１６７】
なお、リング伝送システム２５に障害が発生した場合は、その障害位置がプライマリノードを含むか否かによって次のようになる。すなわち、プライマリノードを含む現用回線に障害が発生した場合には、セカンダリノードは、プライマリノードと逆方向の予備回線に、アド・ドロップ制御を実施し、プライマリノード側の予備回線には、ＡＩＳを書き込む。
【０１６８】
また、プライマリノードを含まない現用回線に障害が発生した場合には、プライマリノードは、光信号の伝送続行を禁止し、サービスセレクタＳＳをアドノード側に固定する。そして、セカンダリノードは、プライマリノード方向の予備回線に、光信号のドロップ（Drop）と伝送続行（Continue）とを実施し、プライマリノードへ光信号を送信する。加えて、セカンダリノードは、ターミナルノードに向かう予備回線については、サービスセレクタＳＳの設定を行なう。
【０１６９】
また、予備回線に障害が発生した場合や、光信号が通過していない区間で障害が発生した場合は、プライマリノードは、伝送続行を禁止、サービスセレクタＳＳをアドノードに固定する。そして、セカンダリノードは、予備回線を使ったアド・ドロップのクロスコネクトを禁止する。
このように、プライマリノード及びセカンダリノードは、それぞれ、自動的に回線設定を行ない、また、セカンダリノードは、スケルチテーブル１１ｅが生成されるまで、ＡＩＳを自動的に送信するので、回線の安全性を高めることができる。加えて、さらに、セカンダリノードは、特別な設定を一切する必要がなくなることで、各操作を簡潔化でき、システムとして、より正常に動作させることが簡単になり、信頼性の向上と、マンマシンインターフェースの簡略化を向上させられるようになる。
【０１７０】
次に、ＤＴＰ接続時について説明する。図１０は、第１実施形態に係るＤＴＰ接続されたリング伝送システムの模式図である。この図１０に示すリング伝送システム３５は、第１のリング伝送システム３０と、第２のリング伝送システム３１とが結合したものであって、各リング伝送路内の相互のノードが結合することによって、これらのリング伝送路を光信号が伝送できるようになっている。
【０１７１】
この第１のリング伝送システム３０は、アドノードＩＤとドロップノードＩＤとを表示するクロスコネクト情報が書き込まれたデータリンクを有する双方向リング伝送路を介して５基の光伝送装置３０ａ，３０ｂ，３０ｃ，３０ｄ，３０ｅが相互に接続されて構成されている。
ここで、光伝送装置３０ｃは、外部の光伝送装置（図示省略）から現用回線にて送信された光信号を受信しこの光信号を現用回線にて第１のリング伝送システム３０に送信しその光信号を予備回線にて第１のリング伝送システム３０に送信するとともに、第１のリング伝送システム３０の光伝送装置３０ｂから現用回線にて送信された光信号を受信し、また、第１のリング伝送システム３０の光伝送装置３０ｄから予備回線にて送信された光信号を受信しその光信号を現用回線にて外部のリング伝送システム（図示省略）に送信するするものであって、第１アドドロップノードとして機能している。
【０１７２】
また、光伝送装置３０ｂは、光信号をスルーするノードとして機能している。
さらに、光伝送装置３０ａは、光伝送装置３０ｃ（第１アドドロップノード）が現用回線にて送信した光信号を受信しその光信号を現用回線にて第２のリング伝送システム３１の光伝送装置３１ａに送信するとともに、第２のリング伝送システム３１の光伝送装置３１ａが現用回線にて送信した光信号を受信しその光信号を現用回線にて第１のリング伝送システム３０の光伝送装置３０ｂに送信するものであって、第１プライマリノードとして機能している。加えて、光伝送装置３０ｄは、光信号をスルーするノードとして機能している。
【０１７３】
また、光伝送装置３０ｅは、光伝送装置３０ｄが予備回線にて送信した光信号を受信しその光信号を予備回線にて第２のリング伝送システム３１の光伝送装置３１ｅに送信するとともに、第２のリング伝送システム３１の光伝送装置３１ｅが予備回線にて送信した光信号を受信しその光信号を予備回線にて光伝送装置３０ｄに送信するものであって、第１セカンダリノードとして機能している。
【０１７４】
同様にして、第２のリング伝送システム３１は、アドノードＩＤとドロップノードＩＤとを表示するクロスコネクト情報が書き込まれたデータリンクを有する双方向リング伝送路を介して５基の光伝送装置３１ａ，３１ｂ，３１ｃ，３１ｄ，３１ｅが相互に接続されて構成されている。
ここで、光伝送装置３１ａは、第１のリング伝送システム３０の光伝送装置３０ａが予備回線にて送信した光信号を受信しその光信号を現用回線にて第２のリング伝送システム３１の光伝送装置３１ｂに送信するとともに、第２のリング伝送システム３１の光伝送装置３１ｂが現用回線にて送信した光信号を受信しその光信号を予備回線にて第１のリング伝送システム３０の光伝送装置３０ａに送信するものであって、第２プライマリノードとして機能している。
【０１７５】
さらに、光伝送装置３１ｅは、第１のリング伝送システム３０の光伝送装置３０ｅが予備回線にて送信した光信号を受信しその光信号を予備回線にて第２のリング伝送システム３１の光伝送装置３１ｄに送信するとともに、第２のリング伝送システム３１の光伝送装置３１ｄが予備回線にて送信した光信号を受信しその光信号を予備回線にて第１のリング伝送システム３０の光伝送装置３０ｅに送信するものであって、第２セカンダリノードとして機能している。
【０１７６】
また、光伝送装置３１ｂと光伝送装置３１ｄは、それぞれ、光信号をスルーするノードとして機能している。
そして、光伝送装置３１ｃは、光伝送装置３１ｄが予備回線にて送信した光信号を受信し第２のリング伝送システム３１の光伝送装置３１ｂが現用回線にて送信した光信号を受信しその光信号を現用回線にて外部のリング伝送システム（図示省略）に送信するとともに、外部のリング伝送システムが現用回線にて送信した光信号を受信しその光信号を現用回線にて光伝送装置３１ｂに送信しその光信号を予備回線にて光伝送装置３１ｄに送信するものであって、第２アドドロップノードとして機能している。
【０１７７】
なお、光伝送装置３０ｃ及び光伝送装置３１ｃ内には、それぞれ、スイッチＰＳＷが表示されており、また、ＤＴＰ接続を明示するために、ＤＴＰと表示されている。
これにより、第１のリング伝送システム３０の光伝送装置３０ｃにて光信号がアドされ、この光信号は、現用回線と予備回線とに分けられる。このうち、一方の現用回線の光信号は、光伝送装置３０ｂを通過し、光伝送装置３０ａにて、ドロップされる。このドロップされた光信号は、第２のリング伝送システム３１の光伝送装置３１ａにて受信されて現用回線から光信号が出力され、この光信号は、光伝送装置３１ｂを通過し、光伝送装置３１ｃにてドロップされる。
【０１７８】
また、第１のリング伝送システム３０の光伝送装置３０ｃにて分離された他方の予備回線の光信号は、光伝送装置３０ｄを通過し、光伝送装置３０ｅにてドロップされる。このドロップされた光信号は、第２のリング伝送システム３１の光伝送装置３１ｅにて受信されて予備回線から光信号が出力され、この光信号は、光伝送装置３１ｄを通過し、光伝送装置３１ｃにてドロップされる。
【０１７９】
逆方向も同様であって、第２のリング伝送システム３１の光伝送装置３１ｃにて光信号がアドされ、この光信号は、現用回線と予備回線とに分離される。このうち、一方の現用回線の光信号は、光伝送装置３１ｂを通過し、光伝送装置３１ａにて、ドロップされる。このドロップされた光信号は、第１のリング伝送システム３０の光伝送装置３０ａにて受信されて現用回線から光信号が出力され、この光信号は、光伝送装置３０ｂを通過し、光伝送装置３０ｃにてドロップされる。
【０１８０】
また、第２のリング伝送システム３１の光伝送装置３１ｃにて分離された他方の予備回線の光信号は、光伝送装置３１ｄを通過し、光伝送装置３１ｅにてドロップされる。このドロップされた光信号は、第１のリング伝送システム３０の光伝送装置３０ｅにて受信されて予備回線から光信号が出力され、この光信号は、光伝送装置３０ｄを通過し、光伝送装置３０ｃにてドロップされる。
【０１８１】
また、ＤＣＰ接続の場合と同様に、リング伝送路に関係するノード数の増加に対してクロスコネクト情報を把握し、より複雑なスケルチテーブル１１ｅの構築と、回線毎の切り替えを管理できるようにするために、各ノード毎にＲＩＰテーブルの構築が行なわれ、複雑な構成での切り替えに対応できるようになっている。さらに、これらの設定は、回線毎に必要であり、使用者が設定する場合は、ＳＴＳ回線単位でかつ方向別になされなければならない。
【０１８２】
また、第１のリング伝送システム３０と、第２のリング伝送システム３１とで行なわれる、リング伝送システム用光伝送方法は、次のようになる。すなわち、第１のリング伝送システム３０が、第１アドドロップノードと、第１プライマリノードと、第１セカンダリノードとをそなえて構成され、第２のリング伝送システム３１が、第２プライマリノードと、第２セカンダリノードと、第２アドドロップノードとをそなえて構成され、上記の各ノードのそれぞれにおいて、データリンクのクロスコネクト情報とリング状に接続されたノードの並び順を一意的に表示するトポロジー情報とが読み出され（データリンク読み出しステップ）、データリンク読み出しステップにて読み出されたトポロジー情報を用いて、トポロジーが生成される（トポロジー生成ステップ）。
【０１８３】
そして、トポロジー生成ステップにて生成されたトポロジーに基づき、データリンクのクロスコネクト情報に、複数のノードのそれぞれが有する固有の絶対ノードＩＤと、他ノードの絶対ノードＩＤとトポロジーとを関連させて付された相対ノードＩＤとが書き込まれる（データリンク書き込みステップ）。また、このデータリンク書き込みステップが、相対ノードＩＤが零以外のデータを使用するようになっている。
【０１８４】
さらに、データリンクに書き込まれたクロスコネクト情報を保持するスケルチテーブルが生成され（スケルチテーブル生成ステップ）、第１のリング伝送路から第２のリング伝送路に光信号を送信するプライマリノードを示すＩＤと、プライマリノードに隣接して光信号を送受信するセカンダリノードを示すセカンダリノードＩＤと、ドロップノードＩＤとを保持するリップテーブルが、クロスコネクト情報に基づいて現用回線及び予備回線毎に生成されるのである（リップテーブル生成ステップ）。
【０１８５】
続けて、データリンク読み出しステップが読み出したクロスコネクト情報の相対ノードＩＤにより、自ノードがプライマリノードであるかセカンダリノードであるかが認識される（ノード認識ステップ）。
図１１（ａ）はＤＴＰ接続形態を説明するための模式図であり、光伝送装置３０ａが現用回線にて送信した光信号と、光伝送装置３０ｅが予備回線にて送信した光信号とが、それぞれ、光伝送装置３０ｃにて受信され、ドロップされている。なお、実線は現用回線を表し、点線は予備回線を表しており、光伝送装置３０ａと光伝送装置３０ｅとは接続されているが、その結線は、省略している。
【０１８６】
そして、図１１（ｂ）はＤＴＰ接続における各ノードでのデータリンクの中身を示す図であり、この図１１（ｂ）は、図１１（ａ）に示す各ノードに、それぞれ、対応したものであって、各ノードの真下に配置されている。
例えば、ノード３（光伝送装置３０ｃ）については、イースト側受信部１３ａ，イースト側送信部１３ｂ，ウエスト側送信部１４ａ，ウエスト側受信部１４ｂを有する。すなわち、ノード３は、Ｅ→Ｗ方向とＷ→Ｅ方向とを別々に有し、これらの方向毎に、それぞれ、送信データと受信データとを有する。ここで、送信及び受信に関する情報は、１バイトのデータにより管理されている。
【０１８７】
また、（５）と（７）とは、それぞれ、Ｅ→Ｗ方向に伝送するデータリンクの流れを示しており、（６）と（８）とは、それぞれ、Ｗ→Ｅ方向に伝送するデータリンクの流れを示している。換言すれば、Ｅ→Ｗ方向とＷ→Ｅ方向とは、それぞれ、２系統のデータリンクを伝送する回線を有するようになっている。さらに、ウエスト側から送信するデータリンクの内容は、ウエスト側送信部１４ａに格納され、ウエスト側で受信するデータリンクの内容は、ウエスト側受信部１４ｂに格納される。
【０１８８】
さらに、上記の（１）〜（４）と同様に、データリンクの各方向（Ｅ→Ｗ方向,Ｗ→Ｅ方向）と、その中のソースノードＩＤとデスティネーションノードＩＤとの関係を、次のようにして決定する。
すなわち、Ｅ→Ｗ方向のＷ方向（５）の流れにおいては、各ノードは、ソースノードＩＤ部に末端ノード、デスティネーションノードＩＤ部に中継ノードのＩＤを書き込み、また、Ｅ→Ｗ方向のＥ方向（７）の流れにおいては、各ノードは、ソースノードＩＤ部に中継ノード、デスティネーションノードＩＤ部に末端ノードを書き込む。ここで、中継ノードとは、ノード３，ノード５間ではノード１のプライマリノードであり、また、ノード１，ノード３間ではノード５のセカンダリノードを意味する。
【０１８９】
さらに、Ｗ→Ｅ方向のＷ方向（６）の流れにおいては、各ノードは、ソースノードＩＤ部に中継ノードのＩＤを書き込み、デスティネーションノードＩＤ部に末端ノードを書き込む。加えて、Ｗ→Ｅ方向のＥ方向（８）の流れにおいては、各ノードは、ソースノードＩＤ部に末端ノードのＩＤを書き込み、デスティネーションノードＩＤ部に中継ノードを書き込む。
【０１９０】
また、同様に、各ノードは、中継ノードと、末端ノードとの関係をトポロジーテーブルからみた並びの関係と比較して、プライマリノードが自ノードと末端ノードとの間の内側にあるかどうかを判定して、ＤＣＰ接続及びＤＴＰ接続の区別が行なえる。
まず、ノード１（光伝送装置３０ａ）は、Ｅ→Ｗ方向のＥ方向（７）のデータリンクを受信する。ここで、デスティネーションノードＩＤが"２"（相対ノードＩＤ）で、ソースノードＩＤが"４"（相対ノードＩＤ）である。これより、末端ノードは、ノード３を示し、プライマリノードは、ノード５となる。この場合、ノード１と末端ノード（ノードＩＤが"３"）との間には、中継ノード（ノードＩＤが"５"）がないことになるため、ノード１は、ＤＴＰ接続と認識できる。
【０１９１】
従って、付加情報判定手段１２ｄは、プライマリノードＩＤ（"５"）からみた自ノードを示す自ノードＩＤ（"１"）の方向が、トポロジーが表示するノードの並び順（１，２，３，４，５）と逆方向であるので、第１のリング伝送システム３０及び第２のリング伝送システム３１が、ＤＴＰ接続と判定していることになる。
また、Ｗ→Ｅ方向のＥ方向（８）のデータリンクをみると、ソースノードＩＤが"３"（絶対ノードＩＤ）を示し、デスティネーションノードＩＤが"２"を示していることから、末端ノードはノード３で、中継ノードがノード５であることを認識できる。従って、ノード３は、ドロップノードであり、ノード５は、アドノードである。なぜならば、あくまでもソースノードＩＤ部としており、この場合の現用回線のスケルチは、Ｗ方向のデータで構築する必要があり、この場合のスケルチテーブル１１ｅは、同じルールに従って作成される。
【０１９２】
これにより、ノード１は、Ｅ→Ｗ方向と同様に、末端ノードとの間には、中継ノードがないので（逆方向）、ＤＴＰ接続と判断することができる。
また、ノード５は、それぞれ、方向別に、デスティネーションノードＩＤが"０"以外の値が戻ってくることにより、ノード５がセカンダリノードと認識することができる。
従って、データリンク書き込み手段が設定する相対ノードＩＤが零以外のデータを使用するとともに、ノード認識手段が、データリンクのドロップノードＩＤが書き込まれた領域の零データの有無を認識することにより、クロスコネクト情報の設定が完了したことを判定するようになっている。
【０１９３】
すなわち、ノード５は、末端ノードと中継ノードとの関係をみると、ノード５と末端ノード３との間に中継ノード２がないことから、ＤＴＰ接続と認識することができるとともに、受信した各データリンクから現用回線の使用区間を認識でき、ＲＩＰテーブルの構築を行なえるのである。
なお、リング伝送システム３５に障害が発生した場合は、次のようになる。すなわち、プライマリノードを含む現用回線に障害が発生した場合には、セカンダリノードは、予備回線へのアド・ドロップ制御をそのまま継続して実施する。
【０１９４】
一方、プライマリノードを含まない現用回線に障害が発生した場合には、プライマリノードは、通常の切り替え動作を行なう。ここで、プライマリノードが光信号をスルーさせるだけのときは、スルーノードとして動作する。また、セカンダリノードは、プライマリノード方向の予備回線に、光信号のドロップと伝送続行とを実施し、プライマリノードへ光信号を送信する。加えて、セカンダリノードは、ターミナルノードに向かう予備回線については、サービスセレクタＳＳの設定を行なう。
【０１９５】
また、予備回線に障害が発生した場合や、光信号が通過していない区間で障害が発生した場合は、プライマリノードは、通常の切り替え動作を行ない、光信号をスルーさせるだけのときは、スルーノードとして動作する。そして、セカンダリノードは、予備回線を使ったアド・ドロップのクロスコネクトを禁止する。
さらに、ターミナルノードを含む現用回線又は予備回線に障害が発生した場合は、プライマリノードは、やはり、通常の切り替え動作を行ない、光信号をスルーさせるだけのときは、スルーノードとして動作する。そして、セカンダリノードも、同様に、予備回線を使ったアド・ドロップのクロスコネクトを禁止する。
【０１９６】
このような構成によって、各光伝送装置は、ＤＣＰ接続のときとＤＴＰ接続のときとで、それぞれ、異なる態様での光信号の伝送が行なわれる。図１２は、第１実施形態に係るアド設定の光信号伝送シーケンスを示す図であり、ＤＣＰ接続された場合におけるシーケンスである。この図１２の上部には、左から、光伝送装置（第１セカンダリノード）２０ｃと、光伝送装置（第１プライマリノード）２０ａと、光伝送装置（第２プライマリノード）２１ａと、光伝送装置（第２セカンダリノード）２１ｂとが表示されており、これらのノード間における、光信号の送受信シーケンスの内容が表示されている。また、光信号の内容は、データリンクＷ１〜Ｗ１１で表示されている。
【０１９７】
なお、光信号の伝送は、第１のリング伝送システム２０と第２のリング伝送システム２１との間にあるこれら４ノードの動作を知れば十分であって、これら４ノード以外の他のノードについては、表示されていない。
まず、光伝送装置２０ｃは、ウエスト側送信部１４ａに、ソースノードＩＤを入れ、デスティネーションノードＩＤを０（未設定）にしたデータリンクＷ１を送信する。そして、光伝送装置２０ａは、光伝送装置２１ａに対して、ソースノードＩＤをそのままにしデスティネーションノードＩＤをＰ（光伝送装置２０ａの相対ノードＩＤ）を入れたデータリンクＷ２を送信する。続いて、光伝送装置２１ａは、光伝送装置２１bに対して、ソースノードＩＤをそのままにしデスティネーションノードＩＤをＴｐ（光伝送装置２１ａの相対ノードＩＤ）を入れたデータリンクＷ３を送信する。
【０１９８】
さらに、光伝送装置２１ｂは、光伝送装置２１ａに対して、ソースノードＩＤをＴｓ（光伝送装置２１ｂの絶対ノードＩＤ）にしデスティネーションノードＩＤに１を入れたデータリンクＷ４を送信する。また、光伝送装置２１ａは、データリンクＷ４のデスティネーションノードＩＤをＴｐに書き替えて、データリンクＷ５を送信する。そして、光伝送装置２０ａは、光伝送装置２０ｃに対して、ソースノードＩＤをＴｐにしデスティネーションノードＩＤをＰにしたデータリンクＷ６を送信する。
【０１９９】
次に、光伝送装置２０ｃと光伝送装置２０ａとの間で、光信号の送受信が行なわれる。すなわち、光伝送装置２０ｃから、ソースノードＩＤがＳでデスティネーションノードＩＤに１が入ったデータリンクＷ７が送信され、また、光伝送装置２０ａからソースノードＩＤがＴｓでデスティネーションノードＩＤがＰの入ったデータリンクＷ８が送信される。さらに、ソースノードＩＤがＳでデスティネーションノードＩＤに０が入ったデータリンクＷ９が送信され、ソースノードＩＤがＴｐでデスティネーションノードＩＤにＰが入ったデータリンクＷ１０が送信され、そして、ソースノードＩＤがＳでデスティネーションノードＩＤに０が入ったデータリンクＷ１１が送信される。
【０２００】
また。図１３は、第１実施形態に係るアドノードとしてのシーケンスを示す図であって、光伝送装置２０ｃが隣接ノードから受信する受信値と、隣接ノードへの送信値が表示されている。この図１３に示すＡ1と付された区間は、クロスコネクトが設定されるまでの区間であって、光伝送装置２０ｃは、ソースノードＩＤ及びデスティネーションノードＩＤが空であるデータリンクＷ２０を送信するとともに、隣接するノードから送信される空のデータリンクＷ２０を受信し続ける。ここで、光伝送装置２０ｃは、予備回線（ＰＴ）にて光信号をアドすると決定すると、ソースノードＩＤがＳでデスティネーションノードＩＤに０が入ったデータリンクＷ１を送信する。なお、このデータリンクＷ１は、図１２に示すデータリンクＷ１と同一のものを表す。
【０２０１】
また、他の光伝送装置は、このデータリンクＷ１を受信し、クロスコネクトの設定を行なって、設定が完了した旨をデータリンクＷ２１にて送信する。このデータリンクＷ２１は、ソースノードＩＤがＳ′でデスティネーションノードＩＤが０であり、光伝送装置２０ｃは、このデータリンクＷ２１によって、予備回線にてドロップされたことを認識する。なお、光伝送装置２０ｃは、この図１３に示すＡと付された区間において、データリンクＷ１を送信し続けるとともに、データリンクＷ２１を受信し続ける。
【０２０２】
そして、光伝送装置２０ｃは、クロスコネクトの設定が完了したことを、データリンクＷ６（Ａ2と付した区間）により認識し、データリンクＷ７を送信する。また、光伝送装置２０ｃは、ソースノードＩＤが０でデスティネーションノードＩＤがＰのデータリンクＷ２２を受信し、ＤＣＰ接続のクロスコネクトが完了する。なお、データリンクＷ６，Ｗ７は、それぞれ、図１２のものと同一である。
【０２０３】
さらに、Ｂ1と付された区間において、光伝送装置２０ｃは、ソースノードＩＤがＳでデスティネーションノードＩＤに０が入ったデータリンクＷ１を送信し続けるとともに、ソースノードＩＤがＴｐでデスティネーションノードＩＤにＰが入ったデータリンクＷ１０を受信し続ける。
また、区間Ｂ2と付された区間において、クロスコネクトの設定を解除する要求が送信された場合は、光伝送装置２０ｃは、ソースノードＩＤがＳ′でデスティネーションノードＩＤに０が入ったデータリンクＷ２１を受信することにより、その旨を認識し、予備回線でのクロスコネクトを解除するのである。なお、その後は、空のデータリンクＷ１を送受信し続ける。
【０２０４】
このように、光伝送装置２０ｃは、データリンクの送受信により、アドノードとして、クロスコネクトの設定を行なえるのである。なお、ＤＴＰ接続の場合も同様であり、そのシーケンスについては省略する。
一方、光伝送装置２０ｃがドロップノードとして、クロスコネクトの設定を行なう場合を図１４，図１５を用いて説明する。図１４は、第１実施形態に係るドロップ設定の光信号伝送シーケンスを示す図であり、ＤＣＰ接続された場合におけるシーケンスである。この図１４の上部には、左から、光伝送装置（第２セカンダリノード）２１ｂと、光伝送装置（第２プライマリノード）２１ａと、光伝送装置（第１プライマリノード）２０ａと、光伝送装置（第１セカンダリノード）２０ｃとが表示されており、これらのノード間における、光信号の送受信シーケンスの内容が表示されている。また、光信号の内容は、データリンクＸ１〜Ｘ８で表示されている。
【０２０５】
まず、光伝送装置２１ｂは、アドノードを示すＡＤＤ（Ｔｓに相当）をソースノードＩＤに入れデスティネーションノードＩＤを０（未設定）にしたデータリンクＸ１を送信する。このデータリンクＸ１は、光伝送装置２１ａにて、デスティネーションノードＩＤがＴｐ（光伝送装置２１ａの相対ノードＩＤ）に書き替えられて、データリンクＸ２として送信される。同様に、光伝送装置２０ａにて、デスティネーションノードＩＤがＰ（光伝送装置２０ａの相対ノードＩＤ）に書き替えられて、データリンクＸ３として送信される。
【０２０６】
このデータリンクＸ３を受信した光伝送装置２０ｃは、光伝送装置２０ａに対して、ソースノードＩＤをＳにしデスティネーションノードＩＤに１を入れたデータリンクＸ４を送信する。また、光伝送装置２０ａは、データリンクＸ３のデスティネーションノードＩＤをＴｐに書き替えて、データリンクＸ５を送信する。そして、光伝送装置２０ｃは、光伝送装置２０ａに対して、ソースノードＩＤをＳにしデスティネーションノードＩＤを０にしたデータリンクＸ６を送信する。また、光伝送装置２０ａは、ソースノードＩＤがアドノード（ＡＤＤ）でデスティネーションノードＩＤがＰのデータリンクＸ７を送信する。そして、光伝送装置２０ｃは、光伝送装置２０ａに対して、ソースノードＩＤをＳにしデスティネーションノードＩＤを０にしたデータリンクＸ８を送信する。
【０２０７】
図１５は、第１実施形態に係るドロップノードとしてのシーケンスを示す図であり、光伝送装置２０ｃが隣接ノードから受信する受信値と、隣接ノードへの送信値が表示されている。この図１５に示すＣと付された区間は、クロスコネクトが設定されるまでの区間であって、光伝送装置２０ｃは、ソースノードＩＤ及びデスティネーションノードＩＤが空であるデータリンクＸ２０を送信するとともに、隣接するノードから送信される空のデータリンクＸ２０を受信し続ける。
【０２０８】
ここで、光伝送装置２０ｃは、予備回線（ＰＴ）にて光信号をドロップすると決定すると、ソースノードＩＤがＳでデスティネーションノードＩＤに０が入ったデータリンクＸ２１を送信する。
また、他の光伝送装置は、このデータリンクＸ２１を受信し、クロスコネクトの設定を行なって、設定が完了した旨をデータリンクＸ２２にて送信する。このデータリンクＸ２２は、ソースノードＩＤがＳ′でデスティネーションノードＩＤに０が入っている。さらに、区間Ｃの残りの区間では、同様のシーケンスが繰り返される。
【０２０９】
次に、Ｄと付された区間において、光伝送装置２０ｃは、ソースノードＩＤにアドノードＩＤ（ＡＤＤ）が入り、デスティネーションノードＩＤにＰが入ったデータリンクＸ３を受信すると、クロスコネクトの設定が完了したことを認識する。そして、光伝送装置２０ｃは、ソースノードＩＤがＳで、デスティネーションノードＩＤに１が入ったデータリンクＸ４を送信する。ここで、光伝送装置２０ｃは、他の光伝送装置から送信されるデスティネーションノードＩＤが空のデータリンクＸ２３を受信し続けるとともに、空のデータリンクＸ２１を送信し、隣接ノードから返信が来るまで、このデータリンクＸ２１を送信し続ける。なお、データリンクＸ３，Ｘ４は、それぞれ、図１４のものと同一である。
【０２１０】
そして、光伝送装置２０ｃは、ソースノードＩＤにＡＤＤが入りデスティネーションノードＩＤにＰが入ったデータリンクＸ７を受信し、ＤＣＰ接続のクロスコネクトが完了したことを認識し、ソースノードＩＤにＳが入りデスティネーションノードＩＤに０が入ったデータリンクＸ８を送信し続ける。また、データリンクＸ７，Ｘ８は、それぞれ、図１４のものと同一である。
【０２１１】
また、Ｅと付された区間においては、光伝送装置２０ｃは、区間Ｃにおけるシーケンスと同様の処理を行なうので、更なる説明を省略する。
このように、光伝送装置２０ｃは、データリンクの送受信により、ドロップノードとして、クロスコネクトの設定を行なえるのである。なお、ＤＴＰ接続の場合も同様であり、そのシーケンスについては省略する。
【０２１２】
そして、このようにして、リング伝送システム２５，３５において、複数の箇所で伝送経路の切り替えが行なわれても、スケルチテーブル１１ｅと、ＲＩＰテーブル１２ｂとが、データリンクの設定と同時に、かつ、自動的に行なわれ、また、最小限の設定により正常動作させることができる利点がある。従って、多量の設定項目が存在しても、設定項目を少なくしたまま、簡易に、光伝送装置の設定を行なえる利点がある。
【０２１３】
また、このようにして、スケルチテーブル１１ｅは、既存のハードウェアを用いて、高速に生成され、効率的な情報伝送が可能となり、製品の汎用性を向上させられる。
さらに、このようにして、現状のデータリンクが有する情報量のままで、その設定項目を増加させずに、データリンクを構成でき、また、セカンダリノードが、スケルチテーブル１１ｅが構築されるまでに、ＡＩＳを自動的に送信するので、回線の安全性を高められる利点がある。
【０２１４】
（Ａ１）第１実施形態の変形例の説明
本発明に関連する技術は上述した実施態様に限定されるものではなく、本発明に関連する技術の趣旨を逸脱しない範囲で、種々変形して実施することができる。
上記の実施形態では、光伝送は、２種類のリング伝送システム間で行なわれているが、それ以上の個数のリング伝送システムが接続されていても同様である。そして、１つのリング伝送システムが有する光伝送装置の数は、５基，６基に限定されずに、それ以上の数でも構わない。
【０２１５】
また、各ノードは、複数のリング伝送システムを管理することができるので、第１プライマリノードと第２プライマリノードとを統合するとともに、第１セカンダリノードと第２セカンダリノードとを統合することもできる。図１６は、第１実施形態の変形例に係るノードを統合した場合のリング伝送システムの模式図である。この図１６に示すリング伝送システム２５′は、第１のリング伝送システム２０′と、第２のリング伝送システム２１′とが結合したものであって、各リング伝送路内の相互のノードが結合することによって、これらのリング伝送路を光信号が伝送できるようになっている。また、このリング伝送システム２５′は、ＤＣＰ接続されたものである。
【０２１６】
この第１のリング伝送システム２０′は、アドノードＩＤとドロップノードＩＤとを表示するクロスコネクト情報が書き込まれたデータリンクを有する双方向リング伝送路を介して５基の光伝送装置２０ｄ，２０ｅ，２６ａ，２６ｂ，２０ｆが相互に接続されて構成されている。また、第２のリング伝送システム２１′は、光伝送装置２６ａ，２６ｂを、第１のリング伝送システム２０′と共有しており、光伝送装置２１ｃ，２１ｄ，２１ｅが相互に接続されて構成されている。ここで、光伝送装置２０ｆは、スルーノードであり、光伝送装置２０ｄ，２０ｅ及び光伝送装置２１ｃ，２１ｄ，２１ｅは、それぞれ、上述したものと同一であるので、更なる説明を省略する。
【０２１７】
そして、光伝送装置２６ａは、上述の第１プライマリノード２０ａの機能と第２プライマリノード２１ａの機能とを共有した機能を有し、また、同様に、光伝送装置２６ｂは、上述の第１セカンダリノード２０ｃの機能と第２セカンダリノード２１ｂの機能とを共有した機能を有する。また、これらの光伝送装置２６ａ，２６ｂは、それぞれ、上述した各機能と同一なので、更なる説明を省略する。
【０２１８】
このように、２種類のリング伝送システム間で、プライマリノードとセカンダリノードとが共有できるので、経済性を向上させることができるようになる。なお、図示はしないが、ＤＴＰ接続された場合でも同様にノードを統合することができる。
さらに、各光伝送装置を接続するための光ファイバの個数は、４ファイバであったが、本発明は、物理レイヤとは無関係なので、光ファイバの本数が２本でも４本でも適用可能である。また、２ファイバＢＬＳＲでのクロスコネクトの種類は、４ファイバＢＬＳＲのクロスコネクトの種類と同じく８種類のパターンがある。
【０２１９】
なお、上記の実施形態にて説明した、ノードＩＤの値は、例示したものに過ぎず、このような設定に限定されるものではない。例えば、各光伝送装置に対して、ノードＡ，ノードＢ，ノードＣ，ノードＤ，ノードＥ，ノードＦというように付するようにしてもよい。
また、上記の説明においては、ＳＯＮＥＴ以外の方式でも適用することができる。
さらに、図８に示す光伝送装置２０ａ，２１ａ内において、ＤＣＰと付された四角形のものは、接続形態がＤＣＰ接続であることを示すものであり、また、この場合、サービスセレクタＳＳもＤＣＰ接続で動作している。これは、図６４においても同様である。加えて、図６７に示す光伝送装置９２ｃ，９３ｃ内において、ＤＴＰと付された四角形のものは、接続形態がＤＴＰ接続であることを示すものであり、また、この場合、スイッチＰＳＷもＤＴＰ接続で動作している。
【０２２０】
（Ｂ）第２実施形態の説明
上述したように、ＳＯＮＥＴ方式は、いわゆる新同期網の１つとして北米において規格化されている。この網の一例として、１６基のノード（光伝送装置のこと。局と称することがある）が環状に接続されて伝送リングが形成されている。
この伝送リングは、各ノード間が２本の光ファイバで接続された２−ファイバＢＬＳＲと、４本の光ファイバで接続された４−ファイバＢＬＳＲとがある。これらの光ファイバのペアにより双方向リング伝送路が形成されている。そして、４−ファイバＢＬＳＲにおいて、二本の光ファイバを一組として、２−ファイバの時と同様に、一方（一組）を用いて時計方向に光信号伝送が行なわれ、他方（もう一組）を用いて反時計方向に光信号伝送が行なわれる。
【０２２１】
この伝送リングにおいては、その双方向リング伝送路を介して、例えば１６基のノードが相互に接続され、一方の光ファイバを用いて、時計方向の光信号伝送が行なわれ、他方の光ファイバを用いて、反時計方向の光信号伝送が行なわれる。
また、この回線は、現用回線と予備回線との２種類を用いており、これらの回線とは、具体的には、光ファイバを伝送するタイムスロットの中における所定のタイムスロットを意味する。
【０２２２】
これにより、回線断等の障害が発生した時には、一方の光ファイバ内の現用回線にて伝送された光信号は、他方の光ファイバの予備回線にループバックされ、品質（回線品質）の高い通信が維持されるようになっている。
なお、以下の説明では、特に断らない限り、ループバックとは、リングブリッジ及びリングスイッチの両方を含む。ここで、リングブリッジとは、障害位置をはさんで両側にあるノードがスイッチングノードとなり、各々の現用回線を予備回線に切り替えることであり、例えば、現用回線のチャネル１を予備回線チャネル２５に切り替えることである。
【０２２３】
また、リングスイッチとは、各々の予備回線を現用回線に切り替えることであり、例えば、各々予備回線チャネル２５を現用回線のチャネル１に切り替えることである。なお、光信号をそのまま通過させることは、スルー制御と呼ばれる。
図１７は本発明の実施形態（説明の流れ上、この実施形態を第２実施形態と称する）に係るリング伝送システムの概略構成図である。この図１７に示すリング伝送システム１００は、光ファイバ伝送路（双方向リング伝送路）を介して６基のノードＡ，Ｂ，Ｃ，Ｄ，Ｅ，Ｆ（複数の光伝送装置）が相互に接続されたものである。そして、ノードＢ，Ｃ及びノードＥ，Ｆは、それぞれ、ターミナルノードとして機能している。
【０２２４】
なお、リング伝送システム１００は、１つのリングそのものと、２又は３以上の複数のリングが相互に接続されたものとの両方を意味する。そのため、以下の説明においては、リング伝送システムを、単に、伝送リングあるいはリングと称することがある。加えて、例えば、ノードＢのことを、Ｂ局と称することがあるが、これらのものは、同一のものを表す。また、混同を生じない範囲にて、ノードＢ，Ｃの表記を単にＢ，Ｃと簡略化して表記することがある。
【０２２５】
図１８は本発明の第２実施形態に係るノードＢの構成図である。この図１８に示すノードＢは、リング伝送システム用光伝送装置であって、接続形態認識手段１１０ａと、障害区間検出手段１１０ｂと、ループバック切り替え制御手段１１０ｃと、パス切り替え手段１１０ｄとをそなえて構成されている。
この接続形態認識手段１１０ａは、双方向リング伝送路に接続され、伝送リングとこの伝送リングに接続された他の伝送リングとの間の接続形態を認識するものである。また、障害区間検出手段１１０ｂは、接続形態認識手段１１０ａに接続され、障害が発生した区間を検出するものである。
【０２２６】
さらに、ループバック切り替え制御手段１１０ｃは、接続形態認識手段１１０ａと障害区間検出手段１１０ｂとに接続され、接続形態と区間とに基づいて伝送パスを切り替えするものである。この伝送パスとは、現用回線又は予備回線におけるチャネルを意味し、具体的には、伝送路を時間多重により多重化されたタイムスロットである。
また、これらの機能は、それぞれ、ソフトウェア等により実現される。なお、パス切り替え手段１１０ｄについては、後述する第２実施形態の第２変形例にて、説明する。
【０２２７】
そして、これら接続形態認識手段１１０ａ，障害区間検出手段１１０ｂは、それぞれ、伝送リング１００における光信号を受信して、トポロジーテーブルを作成するようになっている。すなわち、回線接続情報は、予め、図１７に示す伝送リング１００にて、アド／ドロップ（アド又はドロップ）しているノードＢ，Ｃ，Ｅ，Ｆに対して、現用回線，予備回線を用いて報知され、各ノードは、それぞれ、その情報を受信して、自分の回線接続状況を認識する。
【０２２８】
なお、以下の説明における他のノードも、特に断らない限り、この図１８に示すノードＢのそれと同一の構成をとるので、それらに関する重複した説明を省略する。そして、後述する他の変形例における他のノードについても、同様である。
図１９（ａ），（ｂ）はそれぞれ本発明の第２実施形態に係るノードＩＤの説明図である。各ノードは、それぞれ、これらの図１９（ａ），（ｂ）にそれぞれ示すリングマップ（トポロジーテーブル）を有しており、このリングマップは、伝送リングを構成する各ノードのトポロジーを一意的に表示するものである。
【０２２９】
例えば図１９（ａ）に示すノードＢ（Ｂ局と表示されている）は、他の局が時計方向に、それぞれ、Ｃ，Ｄ，Ｅ，Ｆ，Ａの順で並んでいるように見える。また、図１９（ｂ）に示すノードＣについても同様である。そして、リング内の各ノードは、それぞれ、リングを構成する全ノードのノードＩＤを保持するようになっており、これにより、各ノードは、それぞれ、リングにおけるトポロジーを認識するのである。
【０２３０】
図２０は本発明の第２実施形態に係る回線接続テーブルの説明図であり、ある１局において、ある１チャネルに着目した場合の回線接続テーブル（以下、単にテーブルと称することがある）を示している。このテーブルは、後述する第２実施形態の各変形例においても同様に使用されている。
この図２０に示すテーブルは、Ｅａｓｔと付された欄と、Ｗｅｓｔと付された欄とを有する。ここで、Ｅａｓｔと付された欄は１つの局のＥａｓｔ側を意味し、１と付された欄と２と付された欄とを有する。そして、Ｗｅｓｔと付された欄は同一局のＷｅｓｔ側を意味し、３と付された欄と４と付された欄とを有する。なお、この表記は、Ｅａｓｔ方向周り（時計周り）又はＷｅｓｔ方向周り（反時計周り）という意味とは異なる。
【０２３１】
ここで、双方向リング伝送路は、時計方向に伝送するものと反時計方向に伝送するものとの２種類があり、このテーブルの下段（２及び４と付された欄）はＥａｓｔ方向周りが時計方向の伝送路を表し、このテーブルの上段（１及び３と付された欄）はＷｅｓｔ方向周りが反時計方向の伝送路を表す。
また、１つの局において、Ｅａｓｔ側にてアド及びドロップ（テーブル中最上段のＥａｓｔ）が行なわれ、また、Ｗｅｓｔ側にてアド及びドロップ（テーブル中最上段のＷｅｓｔ）が行なわれるようになっている。
【０２３２】
Ｅａｓｔ側に着目すると、Ｗｅｓｔ方向周りの光信号について、対向ノード側のアドノードに関する情報［枠１のＳｅｃ（Ｅ），Ｐｒｉ（Ｅ）と付したもの］と、自ノード側のドロップノードに関する情報［枠１のＰｒｉ（Ｗ），Ｓｅｃ（Ｗ）と付したもの］とがそれぞれ設定される。また、Ｅａｓｔ方向周りの光信号について、自ノード側のアドノードに関する情報［枠２のＰｒｉ（Ｗ），Ｓｅｃ（Ｗ）と付したもの］と対向ノード側のドロップノードに関する情報（［枠２のＳｅｃ（Ｅ），Ｐｒｉ（Ｅ）と付したもの］とがそれぞれ、設定される。
【０２３３】
同様に、Ｗｅｓｔ側に着目すると、Ｗｅｓｔ方向周りの光信号について、自ノード側のアドノードに関する情報［枠３のＳｅｃ（Ｅ），Ｐｒｉ（Ｅ）と付したもの］と、対向ノード側のドロップノードに関する情報［枠３のＰｒｉ（Ｗ），Ｓｅｃ（Ｗ）と付したもの］とがそれぞれ、設定される。また、Ｅａｓｔ方向周りの光信号について、対向ノード側のアドノードに関する情報［枠４のＰｒｉ（Ｗ），Ｓｅｃ（Ｗ）と付したもの］と自ノード側のドロップノードに関する情報［枠４のＳｅｃ（Ｅ），Ｐｒｉ（Ｅ）と付したもの］とがそれぞれ、設定される。
【０２３４】
さらに、ネットワークの構成に関する情報は、そのチャネルのリング・インターコネクションの接続種別を表している。従って、アド／ドロップの各ノードにおいて、Ｅａｓｔ方向周り，Ｗｅｓｔ方向周りのそれぞれにチャネル単位に与えられる。
このように、ノードＩＤを用いて、伝送パス毎に回線接続情報が与えられ、これにより、例えばＤＣＷ等のリングを構成している各ノード（アドノード／ドロップノード）において、Ｅａｓｔ方向周り、Ｗｅｓｔ方向周りのそれぞれに対して、光信号がアド又はドロップされる、各リングにおけるノードが一元的に管理される。
【０２３５】
図２１は本発明の第２実施形態に係るネットワーク構成情報テーブルの説明図である。この図２１に示すネットワーク構成情報テーブルは、ＤＣＰ，ＤＴＰ，ＤＣＷ，ＤＣＷの接続を示している。このネットワーク構成情報テーブルについても、後述する第２実施形態の各変形例において同様に使用されている。
そして、この図２１に示すネットワーク構成情報テーブルは、'Ｅａｓｔ'と付された欄と、'Ｗｅｓｔ'と付された欄とを有し、'Ｅａｓｔ'が局のＥａｓｔ側の情報を表し、'Ｗｅｓｔ'が局のＷｅｓｔ側の情報を表す。また、このテーブルは、２段を有し、上段の'Ｅ→Ｗ（Ｗｅｓｔ方向）'と、下段の'Ｗ→Ｅ（Ｅａｓｔ方向）'とが表示されている。
【０２３６】
また、Ｅａｓｔ側のＥ→Ｗの光信号について、１１を付した欄は対向ノード側のアドノードの接続を表し、１４を付した欄は自ノード側のドロップノードの接続を表す。そして、Ｗ→Ｅの光信号について、１３を付した欄は自ノード側のアドノードの接続を表し、１２を付した欄は対向ノード側のドロップノードの接続を表す。
換言すれば、Ｅａｓｔ方向周りについては、Ｗ→Ｅへ光信号をアドするノードと、Ｗ→Ｅへ光信号をドロップしているノードのプライマリノードとセカンダリノードとの間の回線接続の設定が記録されており、Ｗｅｓｔ方向周りについては、Ｅ→Ｗへ光信号をアドするノードと、Ｅ→Ｗへ光信号をドロップしているノードのプライマリノード及びセカンダリノード間の回線接続形態が設定されている。
【０２３７】
同様に、Ｗｅｓｔ側のＥ→Ｗの光信号について、１７を付した欄は自ノード側のアドノードの接続を表し、１５を付した欄は対向ノード側のドロップノードの接続を表す。そして、Ｗ→Ｅの光信号については、１６を付した欄は対向ノード側のアドノードの接続を表し、１８を付した欄は自ノード側のドロップノードの接続を表す。
換言すれば、Ｗｅｓｔ方向周りについては、Ｅ→Ｗへ光信号をアドするノードと、Ｅ→Ｗへ光信号をドロップしているノードのプライマリノードとセカンダリノードとの間の回線接続形態の設定が記録されており、Ｅａｓｔ方向周りについては、Ｗ→Ｅへ光信号をアドするノードと、Ｗ→Ｅへ光信号をドロップしているノードのプライマリノード及びセカンダリノード間の回線接続形態が設定されている。
【０２３８】
従って、接続形態認識手段１１０ａ（図１８参照）が、双方向リング伝送路に接続され光信号をアド／ドロップするターミナルノード（終端光伝送装置）に関する情報と、ノードの接続形態に関する接続形態情報と、現用回線／予備回線種別を示す回線種別情報とを一元的に認識しうるように構成されたことになる。
また、図１８に示す障害区間検出手段１１０ｂは、障害位置を、上記回線接続テーブルの情報と障害情報を示すＡＰＳ（Automatic Protection Switching）制御とを用いて検出する。この障害情報を示すＡＰＳとは、リング内の障害位置を示す情報であって、ＡＰＳコードとも呼ばれる。また、その情報は、ＳＤＨのセクションオーバーヘッドＫ１，Ｋ２バイトを用いてリング内を転送する。このＡＰＳ制御は、ＳＯＮＥＴフレーム又はＳＤＨフレーム中のＫ１/Ｋ２バイトを用いた標準規格に基づく。このＡＰＳ制御は、主に、リング間を接続するノードに対して行なわれる。なお、この規格は、Bellcore社のGeneric Requirements等の規格（又はＣＣＩＴＴ勧告基準）として公知な技術であるので、それらについての詳細な説明を省略する。
【０２３９】
さらに、図１８に示すループバック切り替え制御手段１１０ｃは、障害が発生したときに、プライマリノード又はセカンダリノードとして、回線切り替えをするようになっている。
ここで、特にセカンダリノードとしての切り替えについては、次の基本動作（１）及び（２−α）〜（２−δ）に示す動作を行なう。なお、これらの基本動作（１）及び（２−α）〜（２−δ）は、それぞれ、後述するノード動作に関する説明においても参照する。
（１）基本動作
ループバック切り替え制御手段１１０ｃは、リングに障害が発生したとき、予備回線のアクセスを全て拒否する。この基本動作は、ＤＣＰ，ＤＴＰ及びサブマリンＢＬＳＲのいずれの接続であっても、共通して行なわれ、リングスイッチのノード状態をトリガとしている。
【０２４０】
なお、障害発生時のプライマリノードとしての切り替え動作は、現用回線を用いて伝送してきた光信号を、ドロップして、隣接するセカンダリノードに対して、予備回線に切り替えて伝送するようにしている。
（２−α）予備回線にアクセスすることにより、対向ノードに光信号が到着する場合には、アド及びドロップが行なわれる。ここで、ＤＣＰの場合には、逆方向へアド及びドロップが行なわれる。
【０２４１】
（２−β）スイッチングノードとして動作しており、かつ、リングブリッジが発生している場合には、そのチャネルのブリッジを解除する。
（２−γ）ペアを組んでいるプライマリノードに光信号が到着する場合には、上記に加えて、アド側の光信号にはサービスセレクタＳＳを起動させ、また、ドロップ側の光信号にはドロップしかつコンティニューを行なう。
【０２４２】
（２−δ）上記（２−α）〜（２−γ）以外で予備回線にアクセスすることにより、対向ノード（セカンダリノード）に光信号が到着する場合には、アド及びドロップする。
なお、これら（２−α）〜（２−δ）以外について、ループバック切り替え制御手段１１０ｃは、予備回線のアクセスを停止させる。また、対向ノードとは現用回線を終端しているターミナルノード，プライマリノード及びセカンダリノードを意味し、プライマリノードとは自ノード（セカンダリノード）とペアを組み、同一光信号にアクセスしているノードをいい、対向ノードに対するプライマリノードではない。
【０２４３】
図２２は本発明の第２実施形態に係るＤＣＰにおけるノードの基本動作の説明図である。この図２２に示す障害検出パターンａ（プライマリ・ノードを含む現用回線の障害と表示されたもの）が発生すると、プライマリノードは、ドロップのみ行ない、サービスセレクタＳＳを停止させ、また、セカンダリノードは、逆方向の予備回線にアクセスするようになっている。この動作は上記の基本動作（２−α）に相当し、これ以外についても、この図２２に表示したような基本動作が行なわれる。
【０２４４】
図２３は本発明の第２実施形態に係るＤＴＰ時におけるノードの基本動作の説明図である。この図２３に示す障害検出パターンａ（プライマリ・ノードを含む現用回線の障害と表示されたもの）が発生すると、ターミナルノードは、予備回線（ＰＴＣＴ）へのブリッジを停止し、パス切り替えを停止し、また、セカンダリノードは、順方向の予備回線にアクセスする。この障害検出パターンａは、上記の基本動作（２−α）に相当し、これ以外についても、図２３に示す基本動作が行なわれる。
【０２４５】
図２４（ａ），（ｂ）はそれぞれ本発明の第２実施形態に係るノード間の基本動作の説明図であり、セカンダリノードとターミナルノードとプライマリノードとの３ノード間の動作について表示されている。ここで、図２４（ａ）は図２２に示す基本動作（２−α），（２−β），（２−γ）の動作位置をそれぞれ示し、また、図２４（ｂ）は図２２に示す基本動作（２−α），（２−β），（２−γ）の動作位置をそれぞれ示す。
【０２４６】
さらに、図２４（ｃ）は本発明の第２実施形態に係るプライマリノードとセカンダリノードとの対応を説明するための図である。この図２４（ｃ）に示すセカンダリノード１（Ｓｅｃ−１）は、ペアとなるプライマリノードとしてプライマリノード１（Ｐｒｉ−１）を選択し、また、セカンダリノード２（Ｓｅｃ−２）は、ペアとなるプライマリノードとしてプライマリノード２（Ｐｒｉ−２）を選択する。
【０２４７】
以下、図２５〜図３５を用いて、４ノード間における障害動作パターンを説明し、図３６から図３９を用いて、３ノード間における障害動作パターンを説明する。なお、障害動作パターンを単にパターンと称することがある。
図２５は本発明の第２実施形態に係るリング伝送システムの構成図であり、この図２５に示すリング伝送システム１００ａは、ＤＣＰ−ＤＣＰ（両端ＤＣＰ）構成である。この図２５に示すリング伝送システム１００ａのリング２は、リング１とリング３のそれぞれとＤＣＰ接続されている。ここで、リング２の２箇所のターミナルノード（プライマリノード及びセカンダリノードのペア）において、隣接するリング１及びリング３のそれぞれと接続されている。
【０２４８】
これらの片端ＤＣＰ，ＤＴＰ等の仕様は、Bellcore社のＧＲ−１２３０の基準書により規格化されているが、同一リング内で両端にて予備回線を利用したリング間を相互接続しているものについては書面化されていない。
この図２５に示すノードは、いずれも、接続形態認識手段１１０ａ（図１８参照）を有する。そして、この接続形態認識手段１１０ａは、伝送リングに接続されたノードのうち２基が、それぞれ、現用回線／予備回線の両方を用いて光信号を伝送続行するＤＣＰ接続であることを認識するようになっている。
【０２４９】
なお、中間のリング（リング２に接続されるリング）は、ＤＴＰであったり、あるいは、ＵＰＳＲであってもよく、また、プライマリノードとセカンダリノードとの間（リング２に存在する２箇所）には、図示はしないが、他のノードを設けるようにしてもよい。
図２６（ａ）〜図２６（ｃ）と図２７（ａ）〜図２７（ｃ）とはいずれも本発明の第２実施形態に係るＤＣＰ−ＤＣＰにおける障害動作パターンを示す図であり、この図２６（ａ）に示す４種類のノードは、それぞれ、例えば図２５に示すリング２内のノードである（符号４，３，１，６を付したもの）。そして、Ｓｅｃ−２，Ｐｒｉ−２，Ｐｒｉ−１，Ｓｅｃ−１は、この順に、リング２のノード４，ノード３，ノード１，ノード６に対応する。また、Ｓｅｃ−１，Ｐｒｉ−１の一組は、自ノード側のペアであり、Ｓｅｃ−２，Ｐｒｉ−２の一組は、対向ノード側のペアである。そして、Ｓｅｃ−２，Ｐｒｉ−２のペアは、隣接するリングとＤＣＰ接続しており、Ｓｅｃ−１，Ｐｒｉ−１のペアも、隣接するリングとＤＣＰ接続している。
【０２５０】
なお、図２６（ｂ），図２６（ｃ）及び図２７（ａ）〜図２７（ｃ）にそれぞれ示す４種類のノードについても、図２６（ａ）に示すものと同様である。
そして、図２６（ａ）に示すパターンは、通常動作［以下、ノーマル動作（Normal）と称することがある］を示すものであり、また、図２６（ｂ），（ｃ）にそれぞれ示すパターンは、障害発生時の動作を示すものである。
【０２５１】
ここで、障害が発生した範囲を、便宜上、次のように分類する。すなわち、Ｓｅｃ−１を基準に考えて、Ｓｅｃ−１の左側のノードヘ順に回線接続位置を、リング間の障害位置を示す略称として、Ｎ１，Ｎ２，Ｎ３，Ｎ４と名付けるようにする。
Ｎ１:順方向で、自ノード側予備回線範囲
Ｎ２:順方向で、現用回線障害
Ｎ３:順方向で、対向ノード側予備回線障害
Ｎ４:順方向で、その他の回線障害
Ｒ１:逆方向で、その他の回線障害
Ｒ２:逆方向で、対向ノード側予備回線障害
Ｒ３:逆方向で、現用回線障害
Ｒ４:逆方向で、自ノード側予備回線障害
そして、障害が発生した場合、まず、障害が発生したノードが、ＡＰＳ情報を用いて、その障害情報をリング内に転送する。従って、リング間を相互に接続しているプライマリノードと、セカンダリノードとのそれぞれにおいて、回線接続テーブルとＡＰＳ情報とから、障害が発生した障害位置Ｎ１〜Ｎ４，Ｒ１〜Ｒ４が特定される。
【０２５２】
また、図２６（ａ）〜図２６（ｃ）と図２７（ａ）〜図２７（ｃ）に示すパターンの数については、リングが両側で接続している場合、複数箇所の障害を含めて通常１６パターンである。そして、プライマリノードとセカンダリノードとのそれぞれの動作を個別に分析することにより、そのパターン数は集約できる。このため、その１６パターンの中から、その集約した結果に基づいて各ノードが動作するものだけが表示されている。
【０２５３】
さらに、図２６（ａ）〜（ｃ）及び図２７（ａ）〜図２７（ｃ）にそれぞれ示すＳｅｃ−１（図２５に示すリング２−ノード６参照）の動作の種類は、次の（１−１）〜（１−４）の４種類に集約できる。
（１−１）デフォルト状態
Ｅａｓｔ方向（Ｗ→Ｅ）に対する操作として、Ｓｅｃ−１は光信号を順方向の予備回線にアドする。Ｗｅｓｔ方向（Ｅ→Ｗ）に対する操作として、Ｓｅｃ−１は順方向からの光信号を、予備回線を伝送する光信号へドロップする。なお、順方向とは、元の（デフォルト）の方向を意味し、また、逆方向とは、デフォルト方向とは逆向きにアクセスしたときの方向を意味する。従って、順方向／逆方向はいずれもＥ→Ｗ方向／Ｗ→Ｅの方向とは異なる。
（１−２）完全停止状態
Ｓｅｃ−１はアドを停止し、ドロップの代わりにＡＩＳを送出する（この動作はドロップ−ＡＩＳと呼ばれる）。
（１−３）逆方向アクセス
Ｓｅｃ−１はデフォルト状態にて順方向回線にアドしていた操作を中止し、逆方向回線の予備回線にアドする。また、Ｓｅｃ−１はデフォルト状態にて順方向回線から光信号をドロップしていた操作を中止し、その光信号を逆方向回線の予備回線を伝送する光信号へドロップする。
（１−４）逆方向アクセスしサービスセレクタしかつコンティニュー
Ｓｅｃ−１は逆方向回線の予備回線にアドし、かつ、サービスセレクタＳＳを形成する。また、Ｓｅｃ−１は逆方向回線からの光信号を、予備回線を伝送する光信号へドロップし、かつ、コンティニューする。
【０２５４】
また、図２６（ａ）に示すＰｒｉ−１（プライマリノード）の動作の種類は、次の（２−１）〜（２−３）の３種類に集約できる。
（２−１）デフォルト状態
Ｐｒｉ−１は順方向回線に光信号をアドし、かつ、サービスセレクタＳＳを形成する。Ｐｒｉ−１は順方向回線からの光信号をドロップし、かつ、その光信号を予備回線にコンティニューする。
（２−２）完全停止状態
Ｐｒｉ−１はスイッチングノードとして動作しているときは、スケルチして、ドロップ−ＡＩＳをする。なお、次の（２−３）一部停止状態と同様な動作をすることもある。
（２−３）一部停止状態
Ｐｒｉ−１は順方向回線に光信号をアドするのみ行なう。Ｐｒｉ−１は順方向回線からの光信号をドロップするのみ行なう。
【０２５５】
まず、図２６（ａ）の右側からＳｅｃ−１にてアドされた光信号は、Ｎ１（予備回線）を通過してＰｒｉ−１へ到達し、Ｐｒｉ−１において、そのＮ１の光信号とＰｒｉ−１にてアドされる光信号との両方が、サービスセレクタ制御により併せられてＮ２（現用回線）を通過してＰｒｉ−２へ転送される。
なお、障害ノードにてループバックされ、また、現用回線へのアドと現用回線からのドロップとは、実際には、それぞれ、光信号の伝送を停止せずに、障害ノードにてスケルチすることによって実行されるようになっている。これは、図２６のほか、後述する他の障害動作パターンについての図においても、同様である。
【０２５６】
そして、Ｐｒｉ−２において、Ｎ２にて受信された光信号がドロップされるとともに、コンティニューされ、その光信号は、Ｎ３（現用回線）を通過してＳｅｃ−２へ転送される。また、Ｓｅｃ−２において、Ｎ３からの光信号がドロップされる。
なお、Ｓｅｃ−２からアドされて、逆方向に伝送する光信号については、通過パスがＲ２（現用回線）、Ｒ３（現用回線）、Ｒ４（予備回線）となる点だけが異なり、その他は同一の制御が行なわれるので、冗長な説明を省略する。
【０２５７】
以上がノーマル時のＤＣＰ−ＤＣＰにおける動作である。
次に、図２６（ｂ）に示すパターンは、別の区間にて障害が発生したときのものであって、上記の基本動作（１）が行なわれる。この図２６（ｂ）に示すＮ４−Ｒ１の単一個所にて障害が発生した場合、Ｓｅｃ−１から見た障害位置はＮ４−Ｒ１間（Ｓｅｃ−１右隣とＳｅｃ−２の左隣との間）であり、Ｓｅｃ−１とＰｒｉ−１との間のＮ１（予備回線）による通信は停止する。
【０２５８】
この理由は、仮にＳｅｃ−１と障害位置とをはさむ対向側のノードが、現用回線を用いた通信をしていた場合にその現用回線を救済する必要があるためである。そのＲＩＰ制御に当たり、Ｓｅｃ−１においては、アドを停止し、ドロップにはＡＩＳを挿入する動作を行なう。このＡＩＳについては公知であるためその説明を省略する。また、図２６（ｃ）に示すパターンは、例外を示すものであって、上記基本動作（２−γ）に相当する。
【０２５９】
このように、この例は両端の予備回線が障害であるため、他の現用回線をループバックによって救済することができない。従って、予備回線を用いた通信が、逆方向にアクセスすることにより継続している。
また、図２７（ａ）に示すパターンはプライマリノードを含む現用回線に障害が発生した場合のものであって、上記の基本動作（２−α）が行なわれる。このパターンは、Ｓｅｃ−１から見て、Ｎ１−Ｒ４（Ｓｅｃ−１の左隣とＰｒｉ−１の右隣との間）と、Ｎ２−Ｒ３（Ｐｒｉ−１の左隣とＰｒｉ−２の右隣との間）とのそれぞれにおいて、障害が発生した場合である。
【０２６０】
なお、黒い丸はサービスセレクタＳＳを、黒い四角形はリングブリッジを、また、白い四角形はリングスイッチをそれぞれ表す。これらの記号は、その他の図においても同様である。
この場合、Ｓｅｃ−１は光信号を逆方向にアドする。また、Ｓｅｃ−２は逆方向のＲ１（予備回線）から受信した光信号をドロップし、かつＲ２（予備回線）へコンティニューし、Ｐｒｉ−２は、逆方向のＲ２（予備回線）から受信した光信号をリングスイッチ（ループバック）してドロップする。
【０２６１】
さらに、Ｓｅｃ−２，Ｐｒｉ−２のそれぞれにてアドされる光信号については、Ｐｒｉ−２はリングブリッジしてＮ３（予備回線）へ転送する。また、Ｓｅｃ−２はＮ３から受信する光信号とＳｅｃ−２にて逆方向にアドする光信号とをサービスセレクタ制御してその光信号をＮ４（予備回線）に転送する。
このように、障害が発生しても予備回線を経由してＳｅｃ−１にて逆方向に光信号がアド又はドロップされ、従って、障害が回避される。
【０２６２】
さらに、図２７（ｂ）に示すパターンはプライマリノードを含まない現用回線にて障害が発生した場合のものであって、Ｓｅｃ−１から見た障害位置がＮ２−Ｒ３だけのときに相当する。ここで、Ｓｅｃ−２及びＰｒｉ−１の動作においては、上記の基本動作（２−γ）が行なわれる。
加えて、図２７（ｃ）に示すパターンは予備回線に障害が発生した場合のものであり、上記と同様な動作なので、重複した説明を省略する。
【０２６３】
Ｓｅｃ−１がアドする光信号と、Ｐｒｉ−１がアドする光信号とのそれぞれについては、Ｐｒｉ−１は、アドした光信号をリングブリッジしてＲ４（予備回線）へ転送する。また、Ｓｅｃ−１は、Ｒ４から受信した光信号と逆方向にアドする光信号とをサービスセレクタ制御し、その光信号をＲ１へ転送する。さらに、Ｓｅｃ−１，Ｐｒｉ−１のそれぞれにてドロップされる光信号は、Ｓｅｃ−１にてドロップしかつコンティニューされて、その後、Ｐｒｉ−１にてリングスイッチされてドロップされる。
【０２６４】
このように、上記のＳｅｃ−１にて逆方向に光信号がアド又はドロップされる動作に加えて、Ｐｒｉ−１にて予備回線経由で受信された光信号がサービスセレクタ制御される。
なお、障害検出ノードにおけるリングブリッジ（Ring-Bridge）動作は、ノーマルＢＬＳＲにおいての回線接続情報とは別である。すなわち、Ｎ３−Ｒ３及びＮ２−Ｒ３にて障害が発生した場合（図示省略）のＰｒｉ−１のリングブリッジ動作は、Ｐｒｉ−１ノードに隣接する障害検出ノード（図示省略）により行なわれる。換言すれば、障害検出ノードは、相互接続しているＰｒｉ−１でなくてもリングブリッジするのである。
【０２６５】
このように、１つのリングについて複数の接続形態があっても、各ノードについてのパターンを集約することによって、上記の状態に帰一させることができる。そして、分類ごとに上記の動作が行なわれ、これにより、回線の救済制御が行なえる。
次に、ＤＣＰ−ＤＣＷ（ノーマルＢＬＳＲ）の障害動作パターンについて説明する。図２８は本発明の第２実施形態に係るリング伝送システムの構成図であり、この図２８に示すリング伝送システム１００ｂは、ＤＣＰ−ＤＣＷ構成である。また、図２９（ａ）〜図２９（ｅ）及び図３０（ａ）〜図３０（ｃ）はそれぞれ本発明の第２実施形態に係るＤＣＰ−ＤＣＷにおける障害動作パターンを示す図である。なお、障害動作パターンを、単に、パターンと称することがある。
【０２６６】
これらの図に示すＳｅｃ−１の動作の種類と、Ｐｒｉ−１の動作の種類とのそれぞれに関する個々の救済方法は、上記ＤＣＰ−ＤＣＰ（ノーマルＢＬＳＲ）の集約時における場合と同様である。すなわち、障害位置及び対向ノードのそれぞれについて、現用回線を用いているのか予備回線を用いているかの情報によりＢＬＳＲリング全体としての回線救済接続形態は異なるが、Ｓｅｃ−１とＰｒｉ−１とはいずれもＤＣＰ−ＤＣＰの集約時における場合と同様な回線救済制御動作をする。
【０２６７】
続いて、ＤＣＷ−ＤＣＰ（ノーマルＢＬＳＲ）の障害動作パターンについて説明する。図３１（ａ）〜図３１（ｈ）及び図３２（ａ）〜図３２（ｃ）はそれぞれ本発明の第２実施形態に係るＤＣＷ−ＤＣＰにおける障害動作パターンを示す図である。
これらの図におけるＳｅｃ−１の動作の種類と、Ｐｒｉ−１の動作の種類とのそれぞれに関する個々の救済方法は、上記ＤＣＰ−ＤＣＰ（ノーマルＢＬＳＲ）の集約時における場合と同様である。すなわち、障害位置及び対向ノードの現用回線又は予備回線に関する情報により、ＢＬＳＲリング全体としての回線救済接続形態は異なるが、Ｓｅｃ−１とＰｒｉ−１とはいずれもＤＣＰ−ＤＣＰの集約時における場合と同様な回線救済制御動作をする。
【０２６８】
さらに、ＤＣＷ−ＤＣＷ（ノーマルＢＬＳＲ）の障害動作パターンについて説明する。図３３は本発明の第２実施形態に係るリング伝送システムの構成図であり、この図３３に示すリング伝送システム１００ｃは、ＤＣＷ−ＤＣＷ（両側ＤＣＷ）構成である。
図３４（ａ）〜図３４（ｈ）及び図３５（ａ）〜図３５（ｃ）はそれぞれ本発明の第２実施形態に係るＤＣＷ−ＤＣＷにおける障害動作パターンを示す図である。
【０２６９】
これらの図におけるＳｅｃ−１とＰｒｉ−１とのそれぞれについて、同様に、個々の救済方法は前記記載のＤＣＰ−ＤＣＰ（ノーマルＢＬＳＲ）の集約時のいずれかの回線救済制御動作を実施する。なお、障害位置及び対向ノードの現用回線又は予備回線に関する情報により、ＢＬＳＲリング全体としての回線救済接続形態は異なる。
続いて、図３６から図３９を用いて、３ノード間における障害動作パターンを説明する。
【０２７０】
図３６は本発明の第２実施形態に係るリング伝送システムの構成図であり、この図３６に示すリング伝送システム１００ｄは、ＤＴＰ構成である。また、図３７（ａ）〜図３７（ｅ）はいずれも本発明の第２実施形態に係るＤＴＰにおける動作パターンを示す図であり、図３７（ａ）は通常動作を示すものであり、図３７（ｂ）〜図３７（ｅ）はそれぞれ、障害動作パターンを示している。
【０２７１】
ここで、図３７（ａ）に示すＳｅｃ−１にてアドされた光信号は、Ｎ１（予備回線）を通過してＴｅｒｍ（ターミナルノード）へ到達する。このＴｅｒｍにおいて、そのＮ１の光信号とＰｒｉ−２からの光信号とが、そのパスを選択されドロップされる。そして、Ｔｅｒｍにおいて、アドされた光信号は現用回線を経由してＰｒｉ−２に接続され、予備回線を経由してＳｅｃ−１に接続されるようになっている。
【０２７２】
次に、図３７（ｂ）には、プライマリノードを含む現用回線に障害が発生した場合であって、具体的には、Ｓｅｃ−１及びＴｅｒｍから見た障害位置がいずれもＮ２−Ｒ１である場合である。この図３７（ｂ）に示す制御は、上記の基本動作（２−ａ）に相当する。
続いて、図３７（ｃ）に示すパターンは、Ｓｅｃ−１，Ｔｅｒｍから見た障害位置がいずれもＮ２−Ｒ３の場合である。そして、このパターンは、プライマリノードを含まれない現用回線障害であり、上記の基本動作（２−γ）に相当する。
【０２７３】
図３７（ｄ）に示すパターンは、Ｓｅｃ−１，Ｔｅｒｍから見た障害位置がいずれもＮ１−Ｒ４のときのものである。このパターンは、予備回線障害が発生した場合に相当し、上記の基本動作（１）に相当する。
図３７（ｅ）に示すパターンは、Ｓｅｃ−１，Ｔｅｒｍから見た障害位置がいずれもＮ４−Ｒ１の場合である。このパターンは、別の区間での障害が発生した場合に相当し、上記の基本動作（１）に相当する。
【０２７４】
次に、図３８は本発明の第２実施形態に係るリング伝送システムの構成図であり、この図３８に示すリング伝送システム１００ｅは、片端ＤＣＰ構成である。
図３９（ａ）〜図３９（ｅ）は、それぞれ、本発明の第２実施形態に係る片端ＤＣＰにおける動作パターンを示す図であり、Ｐｒｉ−２，Ｐｒｉ−１，Ｓｅｃ−１の３ノード間における障害動作が表示されている。
【０２７５】
まず、図３９（ａ）に示すパターンは、通常動作（ノーマル動作）であって、障害のない動作に相当する。次に、図３９（ｂ）に示すパターンは、光信号が伝送していない区間において障害が発生したときを表している。さらに、図３９（ｃ）に示すパターンは、プライマリノードを含む現用回線に障害が発生したときを表しており、上記基本動作（２−α）に相当する。図３９（ｄ）に示すパターンは、プライマリノードを含まない現用回線に障害が発生したときを表しており、上記基本動作（２−γ）に相当する。図３９（ｅ）に示すパターンは、予備回線に障害が発生したときを表しており、上記基本動作（１）に相当する。
【０２７６】
これにより、各パターンに応じて、各ノードが適切な動作を行なえるので、適切な光信号の伝送を行なえる。
従って、本発明のリング伝送システム用光伝送方法は、双方向リング伝送路を介して複数の光伝送装置（ノード）が相互に接続された伝送リング（リング伝送システム１００ａ〜１００ｅ）における、リング伝送システム用光伝送方法であって、接続形態認識手段１１０ａ（図１８参照）は、伝送リングとこの伝送リングに接続された他の伝送リングとの間の接続形態を認識する（接続形態認識ステップ）。そして、障害区間検出手段１１０ｂは、この認識された接続形態に基づき障害が発生した区間を検出する（障害区間検出ステップ）。
【０２７７】
さらに、ループバック切り替え制御手段１１０ｃは、その認識された接続形態とその検出された区間とに基づき、光信号の伝送リングにおけるループバック距離を最小にすべく、伝送パスを切り替えするのである（ループバック切り替え制御ステップ）。
これにより、通常時は、伝送リング（リング伝送システム１００ａ〜１００ｅ）の各ノードに対して、予め、固有のアドレス番号（ノードＩＤ）が割り当てられ、各ノードは、それぞれ、回線情報テーブルを生成する。そして、障害発生時には、ＡＰＳ情報が報知され、各ノードの障害区間検出手段１１０ｂはそれぞれ、回線情報テーブルに設定されたデータに基づき、障害区間を検出し、ネットワークが円滑に運用され、光信号は最短な経路を通るように救済されるのである。
【０２７８】
上述のように構成された本発明のリング伝送システム用光伝送装置について、通常時における回線接続情報の設定を図４０〜図４６を用いて説明し、障害発生時における回線接続情報の設定を図４７，図４８を用いて説明する。
図４０は本発明の第２実施形態に係る片端ＤＣＰ時の回線接続情報の一例を示す図であり、この図４０に示すリング１２０ａは、ノードＡ，Ｂ，Ｃ，Ｄ，Ｅ，Ｆ，Ｇ，Ｈからなり、ノードＡ，ノードＧ及びノードＥにてチャネル１（現用回線を表す。予備回線はチャネル２５である）がアド／ドロップされている。
【０２７９】
ここで、ノードＧとノードＥとはそれぞれ、ネットワークにおける冗長なパスであって、それぞれプライマリノード，セカンダリノードという関係になっており、その間は予備回線を用いて接続されている。また、ノードＧ，ノードＥの対向ノードはいずれもノードＡであり、ノードＡの対向ノードはノードＧ，ノードＥである。
従って、ノードＡ側には冗長なパスとなるセカンダリノードはないので、片端ＤＣＰである。すなわち、片端のノードＧ，ノードＥだけが、ドロップしかつコンティニューを予備回線にて行なっている。
【０２８０】
なお、ノードＡは冗長なパスでないため、ノードＡとペアを組むセカンダリノードも存在していない。従って、一般的には、プライマリノードやセカンダリノードという表現はされないが、あらゆるネットワーク構成においても、同様の回線接続テーブルを用いてアド又はドロップできるように、冗長なパスがない場合（つまり、通常のターミナルノードである場合）は、プライマリノード及びセカンダリノードのノードＩＤには、それぞれ、ターミナルノードのノードＩＤを示している。
【０２８１】
また、図中に表示されるノードＩＤの位置関係は、上記テーブルと同様にしている。さらに、回線接続テーブルには、本来、固有のノードＩＤが数字で示されているが、説明のため、アルファベットで表している。
そして、図４０〜図４８にそれぞれ示す接続形態については、同様に、アド/ドロップしている側にＥａｓｔ方向周り、Ｗｅｓｔ方向周りそれぞれのプライマリノード，セカンダリノードが設定され、ネットワーク構成も設定されている。
【０２８２】
まず、ノードＡのＷｅｓｔ方向周りにアドしている光信号は，回線接続テーブルの右上にＧ，Ｅと設定され、ノードＡは、ネットワーク構成（リング・インターコネクション構成）のＥａｓｔ端にＤＣ−ＷＫと設定される。
また、リングトポロジーを用いて構築された絶対ノードＩＤが、相対ノードＩＤに変換され、障害が発生したノードに隣接するノードから、ＡＰＳ情報が送信される。これにより、各ノードは、簡単な大小比較によってスケルチ制御及び回線切り替えを行なうことができる。
【０２８３】
次に、図４１は本発明の第２実施形態に係る片端ＤＣＷ時の回線接続情報の一例を示す図であり、この図４１に示すリング１２０ｂは、図４０に示す設定と同様に設定される。
このように、プライマリノードやセカンダリノードがない場合でも、ターミナルノードのノードＩＤを示しておけば、４ノードのリングのみならず、３ノードのリング及び２ノードのリング（１対１の通信）においても、光信号を救済するためのパスを適切に選択できる。
【０２８４】
また、図４２は本発明の第２実施形態に係るＤＣＰ−ＤＣＰ時の回線接続情報の一例を示す図である。この図４２に示すリング１２０ｃは、ノードＡ〜ノードＨからなり、ノードＡ，Ｃ，Ｅ，Ｇにてチャネル１（予備回線はチャネル２５）がアド／ドロップされている。そして、ノードＡ、ノードＣから見ると、ノードＧ、ノードＥは、それぞれ、対向ノードであり、反対にノードＧ、ノードＥから見ると、ノードＡ、ノードＣがそれぞれ対向ノードであるので、ネットワーク構成は両端ＤＣＰ（ＤＣＰ−ＤＣＰ）である。
【０２８５】
この図４２に示すノードＡとノードＣとはいずれも冗長なパスであり、プライマリノードとセカンダリノードという関係であり、また、これらの間は、予備回線を用いて接続される。同様に、ノードＧとノードＥとは、いずれも冗長なパスであり、それぞれプライマリノードとセカンダリノードという関係で、予備回線で接続されている。
そして、この両端ＤＣＰにおける回線接続テーブルは、光信号のパスに基づき作成される。すなわち、ノードＣからアドされた光信号は、ノードＢを通過後、ノードＡに到達し、このノードＡにて、サービスセレクタＳＳにより、選択される。さらに、ノードＡにて選択された光信号は、ノードＨを介してノードＧに到達する。そして、ノードＧにて、一方はドロップされ、他方はコンティニューされて、ノードＦを経てノードＥにてドロップされる。
【０２８６】
この光信号について追って見ると、ノードＡとノードＣとはそれぞれ、リング構成のＥａｓｔ端に相当し、また、ノードＧとノードＥとがＷｅｓｔ端に相当するため、ノードＣはＥａｓｔ端のセカンダリノードになり、ノードＡがＥａｓｔ端のプライマリノードになる。そして、Ｗｅｓｔ端がノードＧとノードＥとになるため、Ｗｅｓｔ端のプライマリノードがノードＧであり、Ｗｅｓｔ端のセカンダリノードがノードＥとなる。
【０２８７】
従って、回線接続テーブルについても、アドノードやドロップノードの各々に示したものがそれぞれ、Ｓ−Ｅ、Ｐ−Ｅ、Ｐ−Ｗ、Ｓ−Ｗと設定される。そして、Ｅａｓｔ端，Ｗｅｓｔ端の接続形態として、ＤＣＰであることが、ネットワーク構成情報として予めハードウェアに対して与えられる。
同様に、ノードＥからアドされた光信号は、ノードＧにてサービスセレクタＳＳにより選択された後、対向ノード側に伝送し、ノードＡにてドロップしかつコンティニューが行なわれる。また、ノードＣにてドロップされる光信号のパスについても、同様であって、回線接続テーブルにＤＣＰであることが予め設定され、この設定によりハードウェアが必要な動作を行なえるのである。
【０２８８】
さらに、図４３は本発明の第２実施形態に係るＤＣＰ−ＤＣＷ時の回線接続情報の一例を示す図であり、図４４は本発明の第２実施形態に係るＤＣＷ−ＤＣＷ時の回線接続情報の一例を示す図であり、図４５は本発明の第２実施形態に係るＤＴＰ時の回線接続情報の一例を示す図であり、そして、図４６は本発明の第２実施形態に係るＤＴＷ時の回線接続情報の一例を示す図である。
【０２８９】
また、図４３に示すリング１２０ｄ，図４４に示すリング１２０ｅ，図４５に示すリング１２０ｆ，図４６に示すリング１２０ｇにそれぞれ示したものについても、同様な制御が行なわれ、回線接続テーブル、ネットワーク構成テーブルが作成される。
次に、障害が発生した場合について、図４７，図４８を用いて説明する。
図４７は本発明の第２実施形態に係る障害発生時の第１の動作説明図であり、この図４７に示すリング１４０ａは、ＤＣＰ−ＤＣＰ接続である。そして、リング１４０ａは、ノードＡ，ノードＢ間と、ノードＡ，ノードＨ間とにおいて障害が発生すると、ＡＰＳ制御により、その障害検出ノード（障害位置の隣接ノード）から、同一リングの各ノードに対して、障害検出ノードのノードＩＤ情報を転送し、障害検出ノードが他ノードに報知される。
【０２９０】
ここで、障害位置に隣接するノードは、必ず２基のノード（例えばノードＡ，ノードＨ）が存在するので、各ノードは、それぞれ、２基の障害検出ノードに関する情報（例えばノードＩＤ）を受け取る。
この理由は、たとえ２箇所以上にて障害が発生したとしても、各ノードは、それぞれ、２基のノードからの情報を受け取り、障害情報を受け取った各ノードは、障害位置の隣接ノードを知ることができるからである。
【０２９１】
これにより、各ノードは、それぞれ、予め与えられていた回線接続情報を基に、そのまま伝送を継続すべきか、あるいは、自ノードにて光信号を折り返すべきかを判定し、アド／ドロップノードで折り返せば、最短距離で光信号を救済する。
図４７において、まず、ノードＡは、Ｅａｓｔ方向の光信号とＷｅｓｔ方向の光信号とを受信する。ここで、ノードＡは、Ｅａｓｔ方向の光信号に対しては、アド又はドロップしないので、Ｗｅｓｔ方向側の欄だけに、情報を書き込む。
【０２９２】
また、Ｗｅｓｔ方向側のＥ端の欄には、自ノード側のアドノードの接続構成と、自ノード側のドロップノードの接続構成とがそれぞれ書き込まれる。これにより、自ノード側のアドノード（ノードＣ）はＤＣＰであることがわかる。自分が含まれる一対のペア（アドノード及びドロップノード）の接続構成が書き込まれる。一方、Ｗｅｓｔ方向側のＷ端の欄には、対向ノード側のアドノードの接続構成と、対向ノード側のドロップノードの接続構成とがそれぞれ書き込まれる。これにより、対向ノード側のドロップノード（ノードＥ）はＤＣＰであることがわかる。
【０２９３】
さらに、図４７に示す回線接続テーブルにも、ネットワーク構成テーブルと同様に、Ｗｅｓｔ方向の光信号のみ書き込まれている。ここで、Ｗｅｓｔ方向の欄は、８欄に分割されており、このうち、左側の４欄のうちの左上欄と右上欄とは、それぞれ、自ノード側のアドノードが属する一対のペア（対向側のセカンダリノード及びプライマリノードを表し、いずれもアドノードである）が書き込まれる。また、左下欄と右下欄とは、それぞれ、自ノード側のドロップノードが属する一対のペア（自局側のセカンダリノード及びプライマリノードを表し、いずれもドロップノードである）が書き込まれる。
【０２９４】
一方、Ｗｅｓｔ方向の欄が有する８欄にうちの右側の４欄のうちの左上欄と右上欄には、それぞれ、対向ノード側のドロップノードが属する一対のペア（いずれもドロップノード）が書き込まれる。例えば、対向ノード側のドロップノード（ノードＥ）が属する一対のペア（ノードＧ及びノードＥ）が書き込まれる。また、左下欄と右下欄には、それぞれ、対向ノード側のアドノードが属する一対のペア（いずれもアドノード）が書き込まれる。
【０２９５】
ノードＧは、Ｅ端にてノードＨからの障害情報を受信する。一方、反対側のＷ端にてノードＢからの障害情報を受信する。ここで、ノードＧは回線接続テーブルとネットワーク構成（リングマップ）とを参照し、Ｅａｓｔ方向へは、対向ノードのプライマリノードに到達できず、Ｗｅｓｔ方向へは、対向ノードのセカンダリノードには到達できるが、プライマリノードには到達できないことを知る。
【０２９６】
また、ドロップする光信号についても、ノードＧは、Ｅａｓｔ方向周りの光信号をドロップしても、対向ノードからは光信号が到達しておらず、Ｗｅｓｔ方向周りの光信号を折り返してドロップすれば、対向ノードのセカンダリノードとの通信可能と判定する。
このように、ノードＧはＥａｓｔ方向周りへアドし続けていても、対向ノードには到達できないが、自ノード（ノードＧ）で折り返せば、対向ノードのセカンダリノードに到達できることを知るのである。
【０２９７】
この結果、救済のためのパスが生成され、最短距離での光信号伝送が行なえる。さらに、障害位置の隣接ノードから、最遠到達ノードのＩＤが伝送される。そして、各ノードは、それぞれ、この最遠到達ノードＩＤと、ＲＩＰテーブルとを比較し、ネットワークにおける障害位置を知ることができ、これにより、各ノードは、それぞれ、光信号を折り返したり、又は、スイッチングによって光信号を救済する。
【０２９８】
さらに、両端ＤＣＰにおける設定について図４８を用いて説明する。
図４８は本発明の第２実施形態に係る障害発生時の第２の動作説明図であり、この図４８に示すリング１４０ｂは、ノードＡ〜ノードＨを有する。そして、ノードＡ，ノードＣがペアを組み、また、ノードＧ，ノードＥがペアを組んでいる。ここで、チャネル１（ｃｈ１）に関しノードＡの回線接続テーブルにおいて、ノードＡのＷｅｓｔ方向周りにアドしている光信号は、回線接続テーブルの右上にＧ，Ｅと設定される。さらに、ノードＡは、ネットワーク構成のＥａｓｔ端にＤＣ−ＰＴと設定する。同様にして、チャネル１に関するノードＧと、チャネル２５に関するノードＣと、チャネル２５に関するノードＥとのそれぞれが、所定の値を設定し、これにより、各ノードは、それぞれ、リングが両端ＤＣＰ構成であることを認識するのである。
【０２９９】
ここで、ノードＡとノードＨとの間にて第１の障害が発生し、ノードＡとノードＢとの間にて第２の障害が発生すると、各ノードは、それぞれ、回線を切り替える。そして、ノードＡにてアドされた光信号はいずれの方向にも伝送されない代わりに、ノードＣにてアドされた光信号が、予備回線を用いてノードＤを経由して、ノードＥに到達し、このノードＥにて一方はドロップされるとともに、他方は予備回線を伝送してノードＦ，ノードＧをスルーし、ノードＨにて折り返されて、反時計方向に現用回線を伝送し、そして、ノードＧにてドロップされる。
【０３００】
一方、ノードＧにてアドされた光信号は、現用回線を用いて伝送し、ノードＨにて折り返され、逆の方向を伝送し、ノードＧ，ノードＦを経由して、ノードＥに到達する。そして、このノードＥにて、他のアドされた光信号と選択されてから、その選択された光信号は、予備回線を伝送し、ノードＤを経由して、ノードＣにてドロップされる。
また、プライマリノードとセカンダリノードとに同一値が設定されることにより、回線接続テーブル等が設定される。そして、この一元管理できる回線接続テーブルを用いて、４ノード、３ノード、２ノードのリング間が相互に接続される。
【０３０１】
従って、両端ＤＣＰという接続形態のみならず、３ノード間における回線接続（片端ＤＣＰ−片端ＤＴＰ）や、２ノードの回線接続（１対１の通信）も可能となる。
このように、各ノードが、それぞれ、現用回線にアドノード、ドロップノードそれぞれの回線接続設定テーブルを有し、対向ノード側が現用回線か予備回線かのどちらを使用して光信号を伝送しているのかを認識し、各ノードは、それぞれ、リング間接続形態を認識できる。
【０３０２】
従って、光信号は、各ノードが有するＲＩＰ機能と、ループバック機能とによって、ターミナルノードにて最短距離でのループバックが可能となり、光信号の劣化を防止できるようになる。
また、従って、ＲＩＰテーブルと最短距離でループバックする制御機能との一元管理が可能となり、同一仕様のノードを用いて、リングを構成できるようになるので、装置部材の汎用化が行なえて、コストの低減に寄与できるようになる。
【０３０３】
また、このように、回線利用効率、回線障害救済率を向上するので、４ノードのみならず、３ノード及び２ノードで構成されるリングにおいて、高品質な通信を維持できる。
とりわけ、両端ＤＣＰのリングにおいても、リング間を相互接続するための制御（リング・インターコネクション制御）やループバック制御が可能となり、また、これらの輻輳的なネットワークの制御に対しても、より効果的で高品質なネットワークの救済が行なえる。
【０３０４】
さらに、このように、リングトポロジーを用いて生成された絶対ノードＩＤが、相対ノードＩＤに変換され、そして、障害が発生したノードに隣接するノードから、ＡＰＳ情報が送信されるので、各ノードは、簡単な大小比較によってスケルチ制御及び回線切り替えを行なうことができる。
（Ｂ１）本発明の第２実施形態の第１変形例の説明
本変形例では、サブマリンＢＬＳＲについて説明する。サブマリンＢＬＳＲの基本動作は、現用回線にアクセスしている光信号が逆方向にアクセスすることにより対向ノードに光信号が到達する場合にはループバックする。
【０３０５】
ここで、逆方向にアクセスして対向ノードに光信号が到達する場合には、ループバックせずに順方向にアクセスしても、光信号は到達しない。一方、逆方向にアクセスして対向ノードに光信号が到達しない場合は、順方向からアクセスすれば光信号が対向ノードに到達するか又はいずれかの方向から伝送しても光信号が対向ノードに到達しないかのどちらかが起こりうる。なお、この対向ノードとは上記と同様であって、現用回線を終端しているターミナルノード，プライマリノードを意味する。
【０３０６】
従って、本変形例では、これらを正確に判定するために、障害位置を特定する際に、複数の障害動作パターンが集約され、真の障害位置が特定されるようになっている。そして、Ｎ１−Ｒ４等の障害位置が正確に検出される。
その方法は、ＢＬＳＲにおけるＲＩＰ構成でかつ最短距離でのループバック制御を行なうようになっている。そして、各ノードは、それぞれ、ネットワークの接続形態（片端ＤＣＰ，片端ＤＴＰ，片端ＤＣＷ，片端ＤＴＷ，ＤＣＰ−ＤＣＰ，ＤＣＰ−ＤＣＷ，ＤＣＷ−ＤＣＷ）の相違に基づいて、プライマリノード、セカンダリノードがそれぞれ集約された複数の動作のうちの一つを行なう。
【０３０７】
ここで、各ノードがどの動作を行なうかについては、ネットワーク構成とＮ１〜Ｎ４，Ｒ１〜Ｒ４のどちらの障害が発生したかとによって異なり、基本的には、次の（３−１）〜（３−４）に示す救済制御のルールに基づく。
（３−１）リング内で障害が発生した時に、予備回線を使用したアクセスは中止する。これは、現用回線の救済に、その予備回線を使用するためである。
（３−２）リング内で障害が発生しても、そのままの回線接続設定で通信を継続する。
（３−３）逆方向にアクセスすることにより、回線を救済できると判定された場合は、逆方向にアクセスする。
（３−４）（３−３）の逆方向アクセスに加えてサービスセレクタＳＳを形成することにより、アド光信号と逆方向から来るスルー光信号とのうち、品質の良い方を選択するようにする。
【０３０８】
図４９（ａ）〜図４９（ｄ）と図５０（ａ）〜図５０（ｃ）とは、それぞれ、本発明の第２実施形態の第１変形例に係る片端接続の動作説明図である。ここで、図４９（ａ）から図４９（ｄ）には、それぞれ、ターミナルノードと、プライマリノードと、セカンダリノードとのほか、プライマリノードにはサービスセレクタＳＳが設けられている。
図４９（ａ）は正常状態のパターンを示しており、プライマリノードにて、アドされた光信号とセカンダリノードからの光信号とがサービスセレクタにより、選択されて、ターミナルノードに対して送信されるようになっている。
【０３０９】
図４９（ｂ）は、プライマリノードの左側にて障害が発生した時のパターンを示している。ここで、セカンダリノードにおいて、光信号をプライマリノードに対して送信せずに、この図４９（ｂ）に示す（１）と付した回線を用いて、折り返してしまうと、その折り返された光信号はプライマリノードにてアドされて折り返された光信号に上書きされてしまう。このため、サービスセレクタができない。また、ＤＣＰ接続によると、光信号の向きが逆であるので、やはり、救済ができない。
【０３１０】
図４９（ｃ）は、そのような場合の第１のパターンを示したものであって、セカンダリノードにサービスセレクタＳＳ（（２）と付したもの）が設けられている。これにより、プライマリノードにてアドされセカンダリノードに伝送された光信号と、セカンダリノードにてアドされた光信号とは、セカンダリノードにおいて、サービスセレクタされるのである。なお、ターミナルノードは、固定的にスイッチすることもできる。
【０３１１】
従って、この図４９（ｃ）に示すセカンダリノードとプライマリノードとのそれぞれによる動作は、ＤＣＰ接続における動作と類似している。
図４９（ｄ）は、第２のパターンを示したものであって、セカンダリノードには、サービスセレクタＳＳは設けられていないが、プライマリノードには、サービスセレクタＳＳが設けられている。
【０３１２】
これにより、セカンダリノードにおいて（（３）を付したところ）、光信号をループバックせずに、プライマリノードにてループバックするのである。なお、ターミナルノードは、固定的にスイッチすることもできる。
図５０（ａ）は正常状態のパターンを示しており、プライマリノードにて、アドされた光信号とセカンダリノードからの光信号とがサービスセレクタにより、選択されて、ターミナルノードに対して送信されるようになっている。
【０３１３】
図５０（ｂ）は、プライマリノードとセカンダリノードとの間にて障害が発生した時のパターンを示している。ここで、ターミナルノードにおいて、光信号を切り替えると、プライマリノードからのものは、選択されない。
図５０（ｃ）は、救済時のパターンを示したものであって、ターミナルノードに、パススイッチが設けられている。これにより、ターミナルノードは、ＤＴＰ接続のターミナルノードのような動作をすることができる。
【０３１４】
また、図５１（ａ）〜図５１（ｃ）は、それぞれ、本発明の第２実施形態の第１変形例に係る両端接続の動作説明図であり、１つのリングの両側において、他のリングと接続している場合のパターンを示している。換言すれば、これらのパターンは、図５０（ａ）〜図５０（ｃ）にそれぞれ示すパターンを両側に拡張したものである。
図５１（ａ）は正常状態のパターンを示しており、プライマリノードにて、アドされた光信号とセカンダリノードからの光信号とがサービスセレクタにより、選択されて、対向するプライマリノードとセカンダリノードとに対して送信されるようになっている。
【０３１５】
図５１（ｂ）は、プライマリノードとセカンダリノードとの間にて障害が発生した時のパターンを示している。ここで、対向するプライマリノードとセカンダリノードとのそれぞれにおいて、光信号が切り替えられると、プライマリノードからのものが選択されない。
図５１（ｃ）は、救済時のパターンを示したものであって、対向するプライマリノードに、パススイッチが設けられている。これにより、対向するプライマリノードは、ＤＴＰ接続のターミナルノードのような動作をすることができる。
【０３１６】
このように、サブマリンＢＬＳＲとして動作する際には、各ノードは、それぞれ、状況に応じてパスを選択するのである。
次に、図５２（ａ），（ｂ）は、それぞれ、本発明の第２実施形態の第１変形例に係る片端ＤＣＷにおける障害動作パターンの説明図である。なお、片端ＤＣＷについては、図４１に示すものと同様である。さらに、この図５２（ａ）に示すものは、通常時のパターンであり、これについては、上述したものと同様であるので、重複した説明を省略する。
【０３１７】
一方、図５２（ｂ）に示すパターンは、Ｓｅｃ−１及びＰｒｉ−１から見た障害位置がいずれもＮ１−Ｒ４である場合である。そして、Ｐｒｉ−２には、サービスセレクタにより切り替えられるようになっている。
これにより、Ｓｅｃ−１にてアドされた光信号は、逆方向の回線を経由してＰｒｉ−２へ到達し、このＰｒｉ−２において、この光信号は、Ｐｒｉ−１からアドされた光信号と比較され、パス選択されドロップされる。また、Ｐｒｉ−２にてアドされた光信号は、逆方向の回線を経由して、Ｓｅｃ−１にてドロップされる。
【０３１８】
このように、サブマリンＢＬＳＲにて動作するときにも、無駄なパスを省くことができるようになり、光信号の効果的な救済が行なえる。
さらに、このように、リングトポロジーを用いて生成された絶対ノードＩＤが、相対ノードＩＤに変換され、そして、障害が発生したノードに隣接するノードから、ＡＰＳ情報が送信されるので、各ノードは、簡単な大小比較によってスケルチ制御及び回線切り替えを行なうことができる。
【０３１９】
図５３（ａ），（ｂ）は、それぞれ、本発明の第２実施形態の第１変形例に係るＤＣＰ−ＤＣＷにおける障害動作パターンの説明図である。なお、ＤＣＰ−ＤＣＷについては、図２８に示すものと同様である。さらに、この図５３（ａ）に示すものは、通常時の動作であり、これについては、上述したものと同様であるので、重複した説明を省略する。
一方、図５３（ｂ）に示す接続は、右側からＳｅｃ−１、Ｐｒｉ−１、Ｐｒｉ−２，Ｓｅｃ−２の順番にノードが接続されている。そして、Ｓｅｃ−１及びＰｒｉ−１から見た障害位置がいずれもＮ３−Ｒ２である場合のパターンが示されている。
【０３２０】
これにより、Ｓｅｃ−１にてアドされた光信号は、逆側の回線を経由してＳｅｃ−２へ到達し、このＳｅｃ−２にて、この光信号は、ドロップされる。また、Ｓｅｃ−２にてアドされた光信号は、逆方向の回線を経由して、Ｓｅｃ−１にて一方はドロップされ、他方は、Ｐｒｉ−１にてＰｒｉ−２からの光信号と選択されて、ドロップされる。
このように、サブマリンＢＬＳＲにて動作するときにも、無駄なパスを省くことができるようになり、光信号の効果的な救済が行なえる。
【０３２１】
続いて、図５４（ａ），（ｂ）は、それぞれ、本発明の第２実施形態の第１変形例に係るＤＣＷ−ＤＣＷにおける障害動作パターンの説明図である。なお、ＤＣＷ−ＤＣＷについては、図３３に示すものと同様である。さらに、この図５４（ａ）に示すものは、通常時の動作であり、これについては、上述したものと同様であるので、重複した説明を省略する。
【０３２２】
一方、図５４（ｂ）に示す場合は、Ｓｅｃ−１及びＰｒｉ−１から見た障害位置がいずれもＮ３−Ｒ２である場合であり、プライマリノードにてサービスセレクタされるようになっている。
これにより、Ｓｅｃ−１にてアドされた光信号は、Ｐｒｉ−１にて分岐されて逆側の回線を経由してＳｅｃ−２へ到達してドロップされる。また、Ｓｅｃ−２にてアドされた光信号は、逆方向の回線を経由し、Ｓｅｃ−１をスルーして、Ｐｒｉ−１にてＰｒｉ−２からの光信号と選択されてから、ドロップされる。
【０３２３】
上述のように構成された本発明のリング伝送システム用光伝送装置について、サブマリンＢＬＳＲによる回線接続情報の設定を図５５を用いて説明する。
図５５は本発明の第２実施形態の第１変形例に係るサブマリンＢＬＳＲにおける障害発生時の救済経路の説明図である。ここで、この図５５に示すリング１４０において、白い矢印は、ＡＰＳ（障害情報を表す。図１８に示す障害区間検出手段１１０ｂが障害区間を検出するためのトリガの役割を果たす）の通知経路である。この図５５に示すノードＡ，ノードＨ間にて第１の障害が発生し、ノードＡ，ノードＢ間にて第２の障害が発生している。そして、第１の障害は、ノードＨにて検出され、第２の障害は、ノードＢにて検出される。
【０３２４】
ここで、第１の障害については、ノードＧは、ノードＨと現用回線（チャネル１）を用いて通信を停止する。そして、ノードＧはリングブリッジ及びリングスイッチをすることにより、ノードＦから予備回線を用いて伝送した光信号は、ノードＧにてドロップされ、また、ノードＧにてアドされた光信号は、ノードＨにまで伝送されずに、このノードＧにて折り返されて、予備回線を用いてノードＦに伝送されるのである。
【０３２５】
一方、予備回線（チャネル２５）については、通常時にはノードＡとの間で光信号の送受信されている。この区間に障害が発生すると、前記の最短距離での救済と同様に、ノードＣにてノードＡ方向とは逆方向に対して光信号がアド（又はドロップ）される。
このように、サブマリンＢＬＳＲとして動作するときにも、最短距離でループバックが行なえて、光信号を効果的に救済できる。これにより、光信号の伝送ロスを大幅に減少させることができ、また、中継距離の飛躍的な延長ができるようになって、システム運用のコストが大幅に縮小することができる。
【０３２６】
（Ｂ２）本発明の第２実施形態の第２変形例の説明
本変形例では、リングに、特別な回線障害が発生した場合（以下、特例と称することがある）の動作について説明する。
上記の図７４，図７５に示すリング２００は、いずれも、障害が発生した場合に、その障害位置を迂回するときに余計なパスを通っている。このため、ループバックによる余計なパスを通らないようにすることが要求されている。
【０３２７】
このため、各ノードは、それぞれ、パス切り替え手段１１０ｄ（図１８参照）を有するようになっている。パス切り替え手段１１０ｄは、ループバック切り替え制御手段１１０ｃに接続され、双方向リング伝送路において、一方向からの第１光信号と、他の方向からの第２光信号とのうちの品質のよい方を選択するものである。
なお、本変形例においても、各ノードは、それぞれ、図１８に示すノードＢと同一の構成であり、それらの重複した説明を省略する。
【０３２８】
図５６は第２実施形態の第２変形例に係るループバック制御の説明図であり、この図５６に示すノードＢとノードＡとの間において、障害が発生している。ここで、ノードＡ及びノードＢは、それぞれ、スイッチングノードでありが、障害発生時には、何も制御を行なわない。一方、ノードＣ及びノードＦは、それぞれ、ターミナルノードであり、これらのターミナルノードにおいて、ループバック（Loop-back）されるようになっている。
【０３２９】
そして、各ノードのパススイッチは、どちらか一方の光信号を固定的に選択せずに、双方向からくる光信号をモニタし、より品質の高い方を選択するのである。
これにより、リング２００ａのノードＣのＷ側からアドされた光信号は、ノードＢへ伝送されず、ノードＣにて現用回線から予備回線ヘリングブリッジされる。その光信号は、ノードＤ，ノードＥ，ノードＦのそれぞれを通過して、ノードＦにて、ノードＡへは到達せずにリングスイッチされ、このノードＦのＥ側からドロップされるのである。
【０３３０】
そして、このように、リング２００ａにおいて、光信号が最短距離で伝送し又はループバックされ、余計なパスを通過せずに、最短距離でループバック制御が可能となる。さらに、リング２００ａにおいては、図７５に示すリング２００と異なり、図７５に示すノードＢとノードＣとの間の余計なパスを通過せず最短距離で光信号が伝送される。
このような構成により、図５７に示す切り替えが行なわれる。図５７は本発明の第２実施形態の第２変形例に係るＤＣＰ−ＤＣＷにおける動作説明図である。この図５７に示すリング２００ｂは、ＤＣＰ−ＤＣＷ接続であって、通常時の光信号の流れについては、上記の内容と同一であるので、重複した説明を省略する。
【０３３１】
ここで、リング２−ノード１とリング２−ノード６との間にて、障害が発生し、さらに、リング２−ノード４とリング１−ノード６との間においても障害が発生している。また、リング２−ノード３に示す黒い丸はサービスセレクタＳＳである。
この場合には、リング２−ノード３にて、光信号の選択が行なわれる。すなわち、リング２−ノード３において、リング２−ノード４から予備回線を通過した光信号とリング２−ノード２の現用回線を通過した光信号とのうち品質の良い方が、リング２−ノード３にて選択される。
【０３３２】
換言すれば、各ノードにおけるパススイッチは、双方向からの光信号をモニタし、どちらの回線で伝送されている光信号の方がより品質が高いかを判定して、その判定結果に基づいて、適応的に現用回線又は予備回線に光信号を切り替える。
このようにして、リング２−ノード３は、常時、リング２−ノード４からの光信号と、リング２−ノード２からの光信号のうち、品質のよい方が選択されるので、光信号の伝送の信頼性が大幅に向上する。
【０３３３】
このようにして、本変形例では、ＢＬＳＲにおけるＲＩＰ構成でかつ最短距離でのループバック制御において、特例動作による制御を用いるので、よりよい回線救済が行なえる。
（Ｃ）その他
本発明は上述した実施態様及びその変形例に限定されるものではなく、本発明の趣旨を逸脱しない範囲で、種々変形して実施することができる。
【０３３４】
上記の各実施形態及びその変形例において示したノード名や、符号等は、例示であって、これらの名称には限定されない。
また、図面において、単にＤＣＰと表記したものは、ＤＣＰ接続又はＤＣＰ構成の意味であり、同様に、単に、ＤＴＰ，ＤＣＷ，ＤＴＷと表記したものは、それぞれ、ＤＴＰ接続又はＤＣＰ構成，ＤＣＷ接続又はＤＣＷ構成，ＤＴＷ接続又はＤＴＷ構成の意味である。また、図６６，６９において、ＳＳと表示されているものは、サービスセレクタを表す。
【０３３５】
なお、図２５，２８，３３，３８，７０，７２，７６に示すリング伝送システムは、ＲＩＰテーブルによるリングの相互接続の一例であり、隣接したノードが必ずプライマリノード又はセカンダリノードとなるものではなく、プライマリノードとセカンダリノードとの間に複数のノードが存在する場合もある。また、ノードが接続される相手についても、リング間の相互接続において、プライマリノードどうしの接続とは限らず、プライマリノードとセカンダリノードとを接続する場合もある。
【０３３６】
上記の各ノードの動作について、ＲＩＰテーブルによる障害救済の代表的なものを用いたが、ＲＩＰテーブルを用いた同一リング内のノード数は、４ノードに固定されず、最大１６ノードまで拡張できる。例えば図７２のように６ノードに限定されるものではない。
また、第２実施形態にて、リング間の障害位置として名付けたＮ１〜Ｎ４，Ｒ１〜Ｒ４については、この呼び方に限定されるものではない。
【０３３７】
そして、各図面において、プライマリノードをPrimary，Primary Node又はPriと表示し、セカンダリノードをSecondary，Secondary Node又はSecと表示し、ターミナルノードをTerminal，Terminal Node又はTermと表示しているが、これらはそれぞれ、同一の意味である。
さらに、図４０〜図４８，図５５にそれぞれ示すネットワーク構成とは、ネットワーク構成情報テーブルを意味する。
【０３３８】
各図面において、ｃｈ．１等と表示されているものは、チャネル１等を意味する。
図２５，図２８，図３３，図３６，図３８，図５７，図７０〜図７３，図７６〜図７９において、インター・コネクティング・パスと表示されているのは、リング間を相互接続するものである。
（Ｄ）付記
（付記１）  光信号をアドするノードを表すアドノード識別番号と光信号をドロップするノードを表すドロップノード識別番号とを表示するクロスコネクト情報が書き込まれたデータリンクチャネルを有する双方向リング伝送路を介して複数の光伝送装置が相互に接続されたリング伝送システムに使用される、リング伝送システム用光伝送装置であって、
該クロスコネクト情報とリング状に接続された光伝送装置の並び順を一意的に表示するトポロジー情報とを読み出すデータリンク読み出し手段と、
該データリンク読み出し手段にて読み出された該トポロジー情報を用いて、トポロジーを生成するトポロジー生成手段と、
該トポロジー生成手段にて生成された該トポロジーに基づき、該データリンクチャネルの該クロスコネクト情報に、複数の光伝送装置のそれぞれが有する固有の絶対ノード識別番号と、他ノードの絶対ノード識別番号と該トポロジーとを関連させて付された相対ノード識別番号とを、該データリンクチャネルの該クロスコネクト情報に書き込むデータリンク書き込み手段と、
該データリンクチャネルに書き込まれた該クロスコネクト情報を保持するスケルチテーブルを生成するスケルチテーブル生成手段とをそなえて構成されたことを特徴とする、リング伝送システム用光伝送装置。
【０３３９】
（付記２）  光信号をアドするノードを表すアドノード識別番号と光信号をドロップするノードを表すドロップノード識別番号とを表示するクロスコネクト情報が書き込まれたデータリンクチャネルを有する双方向リング伝送路を介して複数の光伝送装置が相互に接続された第１のリング伝送システムと、該データリンクチャネルを有する双方向リング伝送路を介して複数の光伝送装置が相互に接続された第２のリング伝送システムとが結合したリング伝送システムに使用される、リング伝送システム用光伝送装置であって、
該データリンクチャネルの該クロスコネクト情報とリング状に接続された光伝送装置の並び順を一意的に表示するトポロジー情報とを読み出すデータリンク読み出し手段と、
該データリンク読み出し手段にて読み出された該トポロジー情報を用いて、トポロジーを生成するトポロジー生成手段と、
該トポロジー生成手段にて生成された該トポロジーに基づき、該データリンクチャネルの該クロスコネクト情報に、複数の光伝送装置のそれぞれが有する固有の絶対ノード識別番号と、他ノードの絶対ノード識別番号と該トポロジーとを関連させて付された相対ノード識別番号とを、書き込むデータリンク書き込み手段と、
該データリンクチャネルに書き込まれた該クロスコネクト情報を保持するスケルチテーブルを生成するスケルチテーブル生成手段と、
該第１のリング伝送路から該第２のリング伝送路に該光信号を送信するプライマリノードを示すプライマリノード識別番号と、該プライマリノードに隣接して該光信号を送受信するセカンダリノードを示すセカンダリノード識別番号と、該ドロップノード識別番号とを保持するリップテーブルを、該クロスコネクト情報に基づいて該現用回線及び該予備回線毎に生成するリップテーブル生成手段と、
該データリンク読み出し手段が読み出した該クロスコネクト情報の該相対ノード識別番号により、自ノードが該プライマリノードであるか該セカンダリノードであるかを認識しうるノード認識手段とをそなえて構成されたことを特徴とする、リング伝送システム用光伝送装置。
【０３４０】
（付記３）  該データリンク書き込み手段が、
自ノードが該アドノードである場合は自ノードの絶対ノード識別番号を該データリンクチャネルの該アドノード識別番号に設定し、自ノードがドロップノードである場合は該データリンクチャネルの該ドロップノード識別番号を該アドノード識別番号に対応する自ノードの相対ノード識別番号に設定するように構成されたことを特徴とする、付記１又は付記２記載のリング伝送システム用光伝送装置。
【０３４１】
（付記４）  該データリンク書き込み手段が設定する該相対ノード識別番号が零以外のデータを使用するとともに、
該ノード認識手段が、該データリンクチャネルの該ドロップノード識別番号が書き込まれた領域の零データの有無を認識することにより、該クロスコネクト情報の設定が完了したことを判定するように構成されたことを特徴とする、付記１〜付記３のいずれか一つに記載のリング伝送システム用光伝送装置。
【０３４２】
（付記５）  該ノード認識手段が、
該第１のリング伝送システム又は該第２のリング伝送システムの接続形態に関し、該光信号が該プライマリノードでドロップされるとともに該光信号が該予備回線にて伝送続行されるディーシーピー接続か、若しくは、該光信号が該現用回線と該予備回線との両方にて伝送続行されるディーティーピー接続かを、該スケルチテーブルに書き込まれた情報により判定しうる付加情報判定手段をそなえて構成されたことを特徴とする、付記２記載のリング伝送システム用光伝送装置。
【０３４３】
（付記６）  該付加情報判定手段が、
該プライマリノード識別番号からみた自ノードを示す自ノード識別番号の方向が、該トポロジーが表示するノードの並び順と同一方向か逆方向かにより、該第１のリング伝送システム及び該第２のリング伝送システムが、該ディーシーピー接続又は該ディーティーピー接続であるかを判定するように構成されたことを特徴とする、付記５記載のリング伝送システム用光伝送装置。
【０３４４】
（付記７）  該スケルチテーブル生成手段が、
該リング伝送システムの光伝送装置の間で同一のスケルチテーブルを生成するように構成されたことを特徴とする、付記１〜付記６のいずれか一つに記載のリング伝送システム用光伝送装置。
（付記８）  該リップテーブル生成手段が、
該リング伝送システムの光伝送装置の間で同一のスケルチテーブルを生成するように構成されたことを特徴とする、付記２〜付記６のいずれか一つに記載のリング伝送システム用光伝送装置。
【０３４５】
（付記９）  光信号をアドするノードを表すアドノード識別番号と光信号をドロップするノードを表すドロップノード識別番号とを表示するクロスコネクト情報が書き込まれたデータリンクチャネルを有する双方向リング伝送路を介して複数のノードが相互に接続されたリング伝送システムに使用される、リング伝送システム用光伝送方法であって、
上記の各ノードのそれぞれにおいて、
該クロスコネクト情報とリング状に接続された光伝送装置の並び順を一意的に表示するトポロジー情報とを読み出すデータリンク読み出しステップと、
該データリンク読み出しステップにて読み出された該トポロジー情報を用いて、トポロジーを生成するトポロジー生成ステップと、
該トポロジー生成ステップにて生成された該トポロジーに基づき、該データリンクチャネルの該クロスコネクト情報に、複数のノードのそれぞれが有する固有の絶対ノード識別番号と他ノードの絶対ノード識別番号と該トポロジーとを関連させて付された相対ノード識別番号とを書き込むデータリンク書き込みステップと、
該データリンクチャネルに書き込まれた該クロスコネクト情報を保持するスケルチテーブルを生成するスケルチテーブル生成ステップとをそなえて構成されたことを特徴とする、リング伝送システム用光伝送方法。
【０３４６】
（付記１０）  光信号をアドするノードを表すアドノード識別番号と光信号をドロップするノードを表すドロップノード識別番号とを表示するクロスコネクト情報が書き込まれたデータリンクチャネルを有する双方向リング伝送路を介して複数のノードが相互に接続された第１のリング伝送システムと、該データリンクチャネルを有する双方向リング伝送路を介して複数のノードが相互に接続された第２のリング伝送システムとで行なわれる、リング伝送システム用光伝送方法であって、
該第１のリング伝送システムが、
外部のノードから該現用回線にて送信された光信号を受信し該光信号を該現用回線にて該第１のリング伝送システムの他のノードに送信するとともに、該第１のリング伝送システムの他のノードから該現用回線にて送信された光信号を受信する第１アドドロップノードと、
該第１アドドロップノードが該現用回線にて送信した該光信号を受信し該光信号を該現用回線にて外部のリング伝送システムと第１のリング伝送システムの他のノードとに送信するとともに、該外部のリング伝送システムが該現用回線にて送信した光信号と該第１のリング伝送システムの他のノードが該予備回線にて送信した光信号とを受信し、受信した該光信号のうちの一方を選択して該現用回線にて該第１のリング伝送システムの他のノードに送信する第１プライマリノードと、
該第１プライマリノードが該予備回線にて送信した該光信号を受信し該光信号を該予備回線にて該外部のリング伝送システムに送信するとともに、該外部のリング伝送システムが該予備回線にて送信した該光信号を受信し該光信号を該予備回線にて該第１プライマリノードに送信する第１セカンダリノードとをそなえて構成され、
第２のリング伝送システムが、
該第１のリング伝送システムの該第１セカンダリノードが該予備回線にて送信した該光信号を受信して、該光信号を該予備回線にて該第２のリング伝送システムに送信する第２セカンダリノードと、
該第１のリング伝送システムの該第１プライマリノードが送信した該現用回線の光信号と該第２セカンダリノードが送信した該予備回線の該光信号とを受信して該光信号を該現用回線にて該第２のリング伝送システムの他のノードに送信するとともに、該第２のリング伝送システムの他のノードが該現用回線で送信した光信号を受信し該光信号を該第１のリング伝送システムの該第１プライマリノードに送信し該光信号を該第２セカンダリノードに送信する第２プライマリノードと、
外部のリング伝送システムから該現用回線にて送信された光信号を受信し該光信号を該現用回線にて該第２のリング伝送システムの他のノードに送信するとともに、該第２のリング伝送システムの他のノードが該現用回線にて送信した該光信号を受信し該光信号を該現用回線にて該外部のリング伝送システムに送信する第２アドドロップノードとをそなえて構成され、
上記の各ノードのそれぞれにおいて、
該データリンクチャネルの該クロスコネクト情報とリング状に接続された光伝送装置の並び順を一意的に表示するトポロジー情報とを読み出すデータリンク読み出しステップと、
該データリンク読み出しステップにて読み出された該トポロジー情報を用いて、トポロジーを生成するトポロジー生成ステップと、
該トポロジー生成ステップにて生成された該トポロジーに基づき、該データリンクチャネルの該クロスコネクト情報に、複数のノードのそれぞれが有する固有の絶対ノード識別番号と、他ノードの絶対ノード識別番号と該トポロジーとを関連させて付された相対ノード識別番号とを書き込むデータリンク書き込みステップと、
該データリンクチャネルに書き込まれた該クロスコネクト情報を保持するスケルチテーブルを生成するスケルチテーブル生成ステップと、
該第１のリング伝送路から該第２のリング伝送路に該光信号を送信するプライマリノードを示すプライマリノード識別番号と、該プライマリノードに隣接して該光信号を送受信するセカンダリノードを示すセカンダリノード識別番号と、該ドロップノード識別番号とを保持するリップテーブルを、該クロスコネクト情報に基づいて該現用回線及び該予備回線毎に生成するリップテーブル生成ステップと、
該データリンク読み出しステップが読み出した該クロスコネクト情報の該相対ノード識別番号により、自ノードが該プライマリノードであるか該セカンダリノードであるかを認識しうるノード認識ステップとをそなえて構成されたことを特徴とする、リング伝送システム用光伝送方法。
【０３４７】
（付記１１）  光信号をアドするノードを表すアドノード識別番号と光信号をドロップするノードを表すドロップノード識別番号とを表示するクロスコネクト情報が書き込まれたデータリンクチャネルを有する双方向リング伝送路を介して複数のノードが相互に接続された第１のリング伝送システムと、該データリンクチャネルを有する双方向リング伝送路を介して複数のノードが相互に接続された第２のリング伝送システムとで行なわれる、リング伝送システム用光伝送方法であって、
該第１のリング伝送システムが、
外部のノードから該現用回線にて送信された光信号を受信し該光信号を該現用回線にて第１のリング伝送システムに送信し該光信号を該予備回線にて該第１のリング伝送システムに送信するとともに、該第１のリング伝送システムの他のノードから該現用回線にて送信された光信号を受信し、また、第１のリング伝送システムの他のノードから該予備回線にて送信された光信号を受信し該光信号を該現用回線にて外部のリング伝送システムに送信する第１アドドロップノードと、
該第１アドドロップノードが該現用回線にて送信した該光信号を受信し該光信号を該現用回線にて外部のリング伝送システムと第１のリング伝送システムの他のノードとに送信するとともに、該外部のリング伝送システムが該現用回線にて送信した光信号と該第１のリング伝送システムの他のノードが該予備回線にて送信した光信号とを受信し、受信した該光信号のうちの一方を選択して該現用回線にて該第１のリング伝送システムの他のノードに送信する第１プライマリノードと、
該第１アドドロップノードが該予備回線にて送信した光信号を受信し該光信号を該予備回線にて該外部のリング伝送システムのノードに送信するとともに、該外部のリング伝送システムのノードが該予備回線にて送信した光信号を受信し該光信号を該予備回線にて該第１アドドロップノードに送信する第１セカンダリノードとをそなえて構成され、
該第２のリング伝送システムが、
該第１のリング伝送システムの該第１プライマリノードが該予備回線にて送信した該光信号を受信し該光信号を該現用回線にて第２のリング伝送システムの他のノードに送信するとともに、該第２のリング伝送システムの他のノードが該現用回線にて送信した光信号を受信し該光信号を該予備回線にて該第１のリング伝送システムの該第１プライマリノードに送信する第２プライマリノードと、
該第１のリング伝送システムの該第１セカンダリノードが該予備回線にて送信した光信号を受信し該光信号を該予備回線にて該第２のリング伝送システムの他のノードに送信するとともに、該第２のリング伝送システムの他のノードが該予備回線にて送信した該光信号を受信し該光信号を該予備回線にて該第１のリング伝送システムの該第１セカンダリノードに送信する第２セカンダリノードと、
該第２プライマリノードが該予備回線にて送信した該光信号を受信し該第２のリング伝送システムの他のノードが該現用回線にて送信した該光信号を受信し該光信号を該現用回線にて外部のリング伝送システムに送信するとともに、該外部のリング伝送システムが該現用回線にて送信した光信号を受信し該光信号を該現用回線にて該第２のリング伝送システムの他のノードに送信し該光信号を該予備回線にて第２のリング伝送システムの他のノードに送信する第２アドドロップノードとをそなえて構成され、
上記の各ノードのそれぞれにおいて、
該データリンクチャネルの該クロスコネクト情報とリング状に接続された光伝送装置の並び順を一意的に表示するトポロジー情報とを読み出すデータリンク読み出しステップと、
該データリンク読み出しステップにて読み出された該トポロジー情報を用いて、トポロジーを生成するトポロジー生成ステップと、
該トポロジー生成ステップにて生成された該トポロジーに基づき、該データリンクチャネルの該クロスコネクト情報に、複数のノードのそれぞれが有する固有の絶対ノード識別番号と、他ノードの絶対ノード識別番号と該トポロジーとを関連させて付された相対ノード識別番号とを書き込むデータリンク書き込みステップと、
該データリンクチャネルに書き込まれた該クロスコネクト情報を保持するスケルチテーブルを生成するスケルチテーブル生成ステップと、
該第１のリング伝送路から該第２のリング伝送路に該光信号を送信するプライマリノードを示すプライマリノード識別番号と、該プライマリノードに隣接して該光信号を送受信するセカンダリノードを示すセカンダリノード識別番号と、該ドロップノード識別番号とを保持するリップテーブルを、該クロスコネクト情報に基づいて該現用回線及び該予備回線毎に生成するリップテーブル生成ステップと、
該データリンク読み出しステップが読み出した該クロスコネクト情報の該相対ノード識別番号により、自ノードが該プライマリノードであるか該セカンダリノードであるかを認識しうるノード認識ステップとをそなえて構成されたことを特徴とする、リング伝送システム用光伝送方法。
【０３４８】
（付記１２）  該データリンク書き込みステップが、
該相対ノード識別番号が零以外のデータを使用するように構成されたことを特徴とする、付記９〜付記１１のいずれか一つに記載のリング伝送システム用光伝送方法。
（付記１３）  該ノード認識ステップが、
該データリンクチャネルの該ドロップノード識別番号が書き込まれた領域の零データの有無を認識することにより、該クロスコネクト情報の設定が完了したことを判定するように構成されたことを特徴とする、付記１０又は付記１１記載のリング伝送システム用光伝送方法。
【０３４９】
（付記１４）  双方向リング伝送路を介して複数の光伝送装置が相互に接続された伝送リングにおける、リング伝送システム用光伝送装置であって、
該双方向リング伝送路に接続され、該伝送リングと該伝送リングに接続された他の伝送リングとの間の接続形態を認識する接続形態認識手段と、
該接続形態認識手段に接続され、障害が発生した区間を検出する障害区間検出手段と、
該接続形態認識手段と該障害区間検出手段とに接続され、該接続形態と該区間とに基づいて伝送経路を切り替えするループバック切り替え制御手段とをそなえて構成されたことを特徴とする、リング伝送システム用光伝送装置。
【０３５０】
（付記１５）  該接続形態認識手段が、
該双方向リング伝送路に接続され該光信号をアド／ドロップする終端光伝送装置に関する情報と、該終端光伝送装置の該接続形態に関する接続形態情報と、現用回線／予備回線種別を示す回線種別情報とを一元的に認識しうるように構成されたことを特徴とする、付記１４記載のリング伝送システム用光伝送装置。
【０３５１】
（付記１６）  該接続形態認識手段が、
該伝送リングに接続された該終端光伝送装置のうち少なくとも２基が、それぞれ、現用回線／予備回線の両方を用いて該光信号を伝送続行するディーティーピー接続であることを認識するように構成されたことを特徴とする、付記１５記載のリング伝送システム用光伝送装置。
【０３５２】
（付記１７）  該ループバック切り替え制御手段に接続され、該双方向リング伝送路において、一方向からの第１光信号と、他の方向からの第２光信号とのうちの品質のよい方を選択するパス切り替え手段をそなえて構成されたことを特徴とする、付記１４記載のリング伝送システム用光伝送装置。
（付記１８）  双方向リング伝送路を介して複数の光伝送装置が相互に接続された伝送リングにおける、リング伝送システム用光伝送方法であって、
該伝送リングと該伝送リングに接続された他の伝送リングとの間の接続形態を認識する接続形態認識ステップと、
該接続形態認識ステップにて認識された該接続形態に基づき障害が発生した区間を検出する障害区間検出ステップと、
該接続形態認識ステップにて認識された該接続形態と該障害区間検出ステップにて検出された該区間とに基づき、光信号の該伝送リングにおけるループバック距離を最小にすべく、伝送経路を切り替えするループバック切り替え制御ステップとをそなえて構成されたことを特徴とする、リング伝送システム用光伝送方法。
【図面の簡単な説明】
【０３５３】
【図１】第１実施形態に係るリング伝送システムの模式図である。
【図２】第１実施形態に係るデータリンクのフォーマットを示す図である。
【図３】第１実施形態に係る光伝送装置の構成図である。
【図４】（ａ）はリング伝送システムの光伝送装置に付された絶対ノードＩＤの一例を示す図であり、（ｂ）はノードＩＤとトポロジーテーブルとの関係を示す図であり、（ｃ）はトポロジーテーブルと相対ノードＩＤとの関係を示す図である。
【図５】（ａ）は現用回線のドロップのみを行なうノードの模式図であり、（ｂ）は現用回線のアドのみを行なうノードの模式図であり、（ｃ）は予備回線のドロップのみを行なうノードの模式図であり、（ｄ）は予備回線のアドのみを行なうノードの模式図である。
【図６】（ａ）は２方向からの光信号を選択してアドするノードの模式図であり、（ｂ）は１方向からの光信号を２方向に伝送するノードの模式図である。
【図７】（ａ）は１方向からの光信号を２方向に伝送するノードの模式図であり、（ｂ）は２方向からの光信号を選択しドロップするノードの模式図である。
【図８】第１実施形態に係るＤＣＰ接続されたリング伝送システムの模式図である。
【図９】（ａ）はＤＣＰ接続形態を説明するための模式図であり、（ｂ）はＤＣＰ接続における各ノードでのデータリンクの中身を示す図である。
【図１０】第１実施形態に係るＤＴＰ接続されたリング伝送システムの模式図である。
【図１１】（ａ）はＤＴＰ接続形態を説明するための模式図であり、（ｂ）はＤＴＰ接続における各ノードでのデータリンクの中身を示す図である。
【図１２】第１実施形態に係るアド設定の光信号伝送シーケンスを示す図である。
【図１３】第１実施形態に係るアドノードとしてのシーケンスを示す図である。
【図１４】第１実施形態に係るドロップ設定の光信号伝送シーケンスを示す図である。
【図１５】第１実施形態に係るドロップノードとしてのシーケンスを示す図である。
【図１６】第１実施形態の変形例に係るノードを統合した場合のリング伝送システムの模式図である。
【図１７】本発明の第２実施形態に係るリング伝送システムの概略構成図である。
【図１８】本発明の第２実施形態に係るノードＢの構成図である。
【図１９】（ａ），（ｂ）はそれぞれ本発明の第２実施形態に係るノードＩＤの説明図である。
【図２０】本発明の第２実施形態に係る回線接続テーブルの説明図である。
【図２１】本発明の第２実施形態に係るネットワーク構成情報テーブルの説明図である。
【図２２】本発明の第２実施形態に係るＤＣＰにおけるノードの基本動作の説明図である。
【図２３】本発明の第２実施形態に係るＤＴＰ時におけるノードの基本動作の説明図である。
【図２４】（ａ），（ｂ）はそれぞれ本発明の第２実施形態に係るノード間の基本動作の説明図であり、（ｃ）は本発明の第２実施形態に係るプライマリノードとセカンダリノードとの対応を説明するための図である。
【図２５】本発明の第２実施形態に係るリング伝送システムの構成図である。
【図２６】（ａ）〜（ｃ）はいずれも本発明の第２実施形態に係るＤＣＰ−ＤＣＰにおける障害動作パターンを示す図である。
【図２７】（ａ）〜（ｃ）はいずれも本発明の第２実施形態に係るＤＣＰ−ＤＣＰにおける障害動作パターンを示す図である。
【図２８】本発明の第２実施形態に係るリング伝送システムの構成図である。
【図２９】（ａ）〜（ｅ）はそれぞれ本発明の第２実施形態に係るＤＣＰ−ＤＣＷにおける障害動作パターンを示す図である。
【図３０】（ａ）〜（ｃ）はそれぞれ本発明の第２実施形態に係るＤＣＰ−ＤＣＷにおける障害動作パターンを示す図である。
【図３１】（ａ）〜（ｈ）はそれぞれ本発明の第２実施形態に係るＤＣＷ−ＤＣＰにおける障害動作パターンを示す図である。
【図３２】（ａ）〜（ｃ）はそれぞれ本発明の第２実施形態に係るＤＣＷ−ＤＣＰにおける障害動作パターンを示す図である。
【図３３】本発明の第２実施形態に係るリング伝送システムの構成図である。
【図３４】（ａ）〜（ｈ）はそれぞれ本発明の第２実施形態に係るＤＣＷ−ＤＣＷにおける障害動作パターンを示す図である。
【図３５】（ａ）〜（ｃ）はそれぞれ本発明の第２実施形態に係るＤＣＷ−ＤＣＷにおける障害動作パターンを示す図である。
【図３６】本発明の第２実施形態に係るリング伝送システムの構成図である。
【図３７】（ａ）〜（ｅ）はいずれも本発明の第２実施形態に係るＤＴＰにおける動作パターンを示す図である。
【図３８】本発明の第２実施形態に係るリング伝送システムの構成図である。
【図３９】（ａ）〜（ｅ）はそれぞれ本発明の第２実施形態に係る片端ＤＣＰにおける障害動作パターンを示す図である。
【図４０】本発明の第２実施形態に係る片端ＤＣＰ時の回線接続情報の一例を示す図である。
【図４１】本発明の第２実施形態に係る片端ＤＣＷ時の回線接続情報の一例を示す図である。
【図４２】本発明の第２実施形態に係るＤＣＰ−ＤＣＰ時の回線接続情報の一例を示す図である。
【図４３】本発明の第２実施形態に係るＤＣＰ−ＤＣＷ時の回線接続情報の一例を示す図である。
【図４４】本発明の第２実施形態に係るＤＣＷ−ＤＣＷ時の回線接続情報の一例を示す図である。
【図４５】本発明の第２実施形態に係るＤＴＰ時の回線接続情報の一例を示す図である。
【図４６】本発明の第２実施形態に係るＤＴＷ時の回線接続情報の一例を示す図である。
【図４７】本発明の第２実施形態に係る障害発生時の第１の動作説明図である。
【図４８】本発明の第２実施形態に係る障害発生時の第２の動作説明図である。
【図４９】（ａ）〜（ｄ）はそれぞれ本発明の第２実施形態の第１変形例に係る片端接続の動作説明図である。
【図５０】（ａ）〜（ｃ）はそれぞれ本発明の第２実施形態の第１変形例に係る片端接続の動作説明図である。
【図５１】（ａ）〜（ｃ）はそれぞれ本発明の第２実施形態の第１変形例に係る両端インターコネクションの動作説明図である。
【図５２】（ａ），（ｂ）は、それぞれ、本発明の第２実施形態の第１変形例に係る片端ＤＣＷにおける障害動作パターンの説明図である。
【図５３】（ａ），（ｂ）は、それぞれ、本発明の第２実施形態の第１変形例に係るＤＣＰ−ＤＣＷにおける障害動作パターンの説明図である。
【図５４】（ａ），（ｂ）は、それぞれ、本発明の第２実施形態の第１変形例に係るＤＣＷ−ＤＣＷにおける障害動作パターンの説明図である。
【図５５】本発明の第２実施形態の第１変形例に係るサブマリンＢＬＳＲにおける障害発生時の救済経路の説明図である。
【図５６】第２実施形態の第２変形例に係るループバック制御の説明図である。
【図５７】本発明の第２実施形態の第２変形例に係るＤＣＰ−ＤＣＷにおける動作説明図である。
【図５８】ＵＰＳＲ構成の模式図である。
【図５９】（ａ）〜（ｃ）はそれぞれＢＬＳＲ構成の模式図である。
【図６０】トポロジーを説明するための図である。
【図６１】データリンクのフォーマットを示す図である。
【図６２】（ａ）はアドノードとドロップノードとを有するリング伝送路の模式図であり、（ｂ）はノードのスケルチテーブルの一例を示す図であり、（ｃ）は各ノードでのスケルチテーブル値を比較するための図である。
【図６３】（ａ）は３ノードが接続された模式図であり、（ｂ）〜（ｅ）はそれぞれ各ノードにおけるデータリンクの内容を示す図であり、（ｆ）は各ノードのスケルチテーブルの内容を示す図である。
【図６４】ＤＣＰ接続の模式図である。
【図６５】（ａ）はＤＣＰ接続の構成図であり、（ｂ）はＤＣＰ接続された各ノードのスケルチテーブルの説明図である。
【図６６】ＤＣＰ接続におけるプライマリノード及びセカンダリノードの動作説明図である。
【図６７】ＤＴＰ接続の模式図である。
【図６８】（ａ）はＤＴＰ接続の構成図であり、（ｂ）はＤＴＰ接続された各ノードのスケルチテーブルの説明図である。
【図６９】ＤＴＰ接続におけるプライマリノード及びセカンダリノードの動作説明図である。
【図７０】片端ＤＣＷの構成図である。
【図７１】ＤＴＷの構成図である。
【図７２】片端ＤＣＰの構成図である。
【図７３】ＤＴＰの構成図である。
【図７４】通常時のノーマルＢＬＳＲとしての伝送の説明図である。
【図７５】回線救済制御の説明図である。
【図７６】ＤＣＰ−ＤＣＷのリング間相互接続の説明図である。
【図７７】障害発生時のリングの説明図である。
【図７８】リングスイッチ機能がないネットワークにて障害が発生した場合の説明図である。
【図７９】リングスイッチ機能がないネットワークにて障害が発生した場合の説明図である。
【符号の説明】
【０３５４】
１    データリンク
１０，２０，２０′，３０    第１のリング伝送システム
１０ａ〜１０ｆ，２０ａ〜２０ｅ，２１ａ〜２１ｅ，２６ａ，２６ｂ，３０ａ〜３０ｅ，３１ａ〜３１ｅ，４２ａ〜４２ｈ    リング伝送システム用光伝送装置（光伝送装置又はノード）
１１，２１，２１′，３１  第２のリング伝送システム
１１ａ    データリンク読み出し手段
１１ｂ    トポロジー生成手段
１１ｃ    データリンク書き込み手段
１１ｄ    スケルチテーブル生成手段
１１ｅ    スケルチテーブル
１２ａ    ＲＩＰテーブル生成手段
１２ｂ    ＲＩＰテーブル
１２ｃ    ノード認識手段
１３ａ    イースト側受信部
１３ｂ    イースト側送信部
１４ａ    ウエスト側送信部
１４ｂ    ウエスト側受信部
２５，２５′，３５，３５′，１００，１００ａ〜１００ｅ，１２０ａ〜１２０ｇ，１４０，１４０ａ，１４０ｂ，１５０，２００，５００    リング伝送システム（リング）
１１０ａ    接続形態認識手段
１１０ｂ    障害区間検出手段
１１０ｃ    ループバック切り替え制御手段
１１０ｄ    パス切り替え手段
【図１】
2006129530.tif 000003
【図２】
2006129530.tif 000004
【図３】
2006129530.tif 000005
【図４】
2006129530.tif 000006
【図５】
2006129530.tif 000007
【図６】
2006129530.tif 000008
【図７】
2006129530.tif 000009
【図８】
2006129530.tif 000010
【図９】
2006129530.tif 000011
【図１０】
2006129530.tif 000012
【図１１】
2006129530.tif 000013
【図１２】
2006129530.tif 000014
【図１３】
2006129530.tif 000015
【図１４】
2006129530.tif 000016
【図１５】
2006129530.tif 000017
【図１６】
2006129530.tif 000018
【図１７】
2006129530.tif 000019
【図１８】
2006129530.tif 000020
【図１９】
2006129530.tif 000021
【図２０】
2006129530.tif 000022
【図２１】
2006129530.tif 000023
【図２２】
2006129530.tif 000024
【図２３】
2006129530.tif 000025
【図２４】
2006129530.tif 000026
【図２５】
2006129530.tif 000027
【図２６】
2006129530.tif 000028
【図２７】
2006129530.tif 000029
【図２８】
2006129530.tif 000030
【図２９】
2006129530.tif 000031
【図３０】
2006129530.tif 000032
【図３１】
2006129530.tif 000033
【図３２】
2006129530.tif 000034
【図３３】
2006129530.tif 000035
【図３４】
2006129530.tif 000036
【図３５】
2006129530.tif 000037
【図３６】
2006129530.tif 000038
【図３７】
2006129530.tif 000039
【図３８】
2006129530.tif 000040
【図３９】
2006129530.tif 000041
【図４０】
2006129530.tif 000042
【図４１】
2006129530.tif 000043
【図４２】
2006129530.tif 000044
【図４３】
2006129530.tif 000045
【図４４】
2006129530.tif 000046
【図４５】
2006129530.tif 000047
【図４６】
2006129530.tif 000048
【図４７】
2006129530.tif 000049
【図４８】
2006129530.tif 000050
【図４９】
2006129530.tif 000051
【図５０】
2006129530.tif 000052
【図５１】
2006129530.tif 000053
【図５２】
2006129530.tif 000054
【図５３】
2006129530.tif 000055
【図５４】
2006129530.tif 000056
【図５５】
2006129530.tif 000057
【図５６】
2006129530.tif 000058
【図５７】
2006129530.tif 000059
【図５８】
2006129530.tif 000060
【図５９】
2006129530.tif 000061
【図６０】
2006129530.tif 000062
【図６１】
2006129530.tif 000063
【図６２】
2006129530.tif 000064
【図６３】
2006129530.tif 000065
【図６４】
2006129530.tif 000066
【図６５】
2006129530.tif 000067
【図６６】
2006129530.tif 000068
【図６７】
2006129530.tif 000069
【図６８】
2006129530.tif 000070
【図６９】
2006129530.tif 000071
【図７０】
2006129530.tif 000072
【図７１】
2006129530.tif 000073
【図７２】
2006129530.tif 000074
【図７３】
2006129530.tif 000075
【図７４】
2006129530.tif 000076
【図７５】
2006129530.tif 000077
【図７６】
2006129530.tif 000078
【図７７】
2006129530.tif 000079
【図７８】
2006129530.tif 000080
【図７９】
2006129530.tif 000081